(57)【特許請求の範囲】
【請求項１】
テレビジョン受像機と情報端末とを含むシステムであって、
上記テレビジョン受像機は、当該テレビジョン受像機の状態を、上記情報端末から送信されたコマンドに応じたものに切り換える状態切換手段と、上記状態切換手段によって切り換えられた当該テレビジョン受像機の状態を上記情報端末に通知するか、又は、上記状態切換手段によって切り換えられた当該テレビジョン受像機の状態に応じたＧＵＩへの切り換えを上記情報端末に指示する状態通知手段とを備え、
上記情報端末は、当該情報端末に設けられたタッチパネルに表示したＧＵＩ（Graphical User Interface）に対するユーザ操作に応じたコマンドを上記テレビジョン受像機に送信するコマンド送信手段と、上記タッチパネルに表示するＧＵＩを、上記テレビジョン受像機から通知された上記テレビジョン受像機の状態に応じたＧＵＩに切り換えるか、又は、上記テレビジョン受像機から指示されたＧＵＩに切り換えるＧＵＩ切換手段とを備え、
上記状態通知手段は、チャンネルセットとして選択されている放送局名を通知する機能を有しており、
上記ＧＵＩ切換手段は、表示対象チャンネルを指定するためのＧＵＩ要素であるボタンと共に表示する放送局名を、上記状態通知手段からの通知に応じたものに切り換える機能を有しており、
上記状態通知手段は、更に、上記テレビジョン受像機がディスプレイに表示するテキストフィールドに入力された文字列であって、入力文字列として確定した文字列を通知する機能を有しており、
上記ＧＵＩ切換手段は、更に、上記情報端末がタッチパネルに表示するテキストフィールドに表示する文字列を、上記状態通知手段からの通知に応じたものに切り換える機能を有している、ことを特徴とするシステム。
【請求項２】
上記状態通知手段は、上記テレビジョン受像機の電源状態を通知する機能を有しており、
上記ＧＵＩ切換手段は、上記テレビジョン受像機の電源状態を切り換えるためのＧＵＩ要素であるトグルスイッチに設けられたインジケータの表示色を、上記状態通知手段からの通知に応じたものに切り換える機能を有している、
ことを特徴とする請求項１に記載のシステム。
【請求項３】
上記状態通知手段は、上記テレビジョン受像機のボリュームレベルを通知する機能を有しており、
上記ＧＵＩ切換手段は、上記テレビジョン受像機のボリュームレベルを切り換えるためのＧＵＩ要素であるスライダの指示位置を、上記状態通知手段からの通知に応じたものに切り換える機能を有している、
ことを特徴とする請求項１又は２に記載のシステム。
【請求項４】
上記状態通知手段は、上記テレビジョン受像機が電子番組表を表示している旨を通知する機能を有しており、
上記ＧＵＩ切換手段は、上記タッチパネルに表示するＧＵＩを、上記電子番組表においてカーソルを移動することに特化したＧＵＩに切り換える機能を有している、
ことを特徴とする請求項１〜３の何れか１項に記載のシステム。
【請求項５】
上記状態通知手段は、表示対象チャンネルとして選択されているチャンネルを通知する機能を有しており、
上記ＧＵＩ切換手段は、表示対象チャンネルを上下させるためのＧＵＩ要素であるボタンと共に表示する放送局名を、上記状態通知手段からの通知に応じたものに切り換える機能を有している、
ことを特徴とする請求項１〜４の何れか１項に記載のシステム。
【請求項６】
上記状態通知手段は、上記テレビジョン受像機に接続されているソース機器の機器名を通知する機能を有しており、
上記ＧＵＩ切換手段は、入力ソースを選択するためのＧＵＩ要素であるリストに表示する機器名を、上記状態通知手段からの通知に応じたものに切り換える機能を有している、ことを特徴とする請求項１〜５の何れか１項に記載のシステム。
【請求項７】
上記状態通知手段は、入力ソースとして選択されているソース機器を通知する機能を有しており、
上記ＧＵＩ切換手段は、上記タッチパネルに表示するＧＵＩを、上記状態通知手段から通知されたソース機器を操作することに特化したＧＵＩに切り換える機能を有している、ことを特徴とする請求項１〜６の何れか１項に記載のシステム。
【請求項８】
上記情報端末は、上記情報端末がタッチパネルに表示するテキストフィールドに入力された文字列であって、入力文字列として確定した文字列をテレビジョン受像機に通知する機能を有しており、
上記テレビジョン受像機は、当該テレビジョン受像機がディスプレイに表示するテキストフィールドに表示する文字列を、上記情報端末からの通知に応じたものに切り換える機能を有している、
ことを特徴とする請求項１〜７の何れか１項に記載のシステム。
【請求項９】
上記コマンド送信手段は、検索を指示するコマンドを検索文字列と共に送信する機能を有しており、
上記状態通知手段は、検索結果の表示が完了した旨を通知する機能を有しており、
上記ＧＵＩ切換手段は、上記タッチパネルに表示するＧＵＩを、上記検索結果においてカーソルを移動することに特化したＧＵＩに切り換える機能を有している、
ことを特徴とする請求項１〜８の何れか１項に記載のシステム。
【請求項１０】
上記検索は、ウェブサーバに蓄積されたウェブコンテンツ、ＶＯＤサーバに蓄積されたＶＯＤコンテンツ、電子番組表に掲載された放送番組、及び、上記テレビジョン受像機又は上記テレビジョン受像機に接続されたレコーダに記録された録画コンテンツから、上記検索文字列に合致するコンテンツを検索するシームレス検索である、
ことを特徴とする請求項９に記載のシステム。
【請求項１１】
上記状態通知手段は、上記テレビジョン受像機の機器名としてユーザが設定したフレンドリネームを通知する機能を有しており、
上記ＧＵＩ切換手段は、上記コマンドの送信先となるテレビジョン受像機を選択するためのＧＵＩ要素であるリストに表示する機器名を、上記状態通知手段からの通知に応じたものに切り換える機能を有している、
ことを特徴とする請求項１〜１０の何れか１項に記載のシステム。
【請求項１２】
上記コマンド送信手段は、画像等の再生終了を指示するコマンドを送信する機能を有しており、
上記状態通知手段は、上記画像等の再生を終了した旨を通知する機能を有しており、
上記ＧＵＩ切換手段は、上記タッチパネルに表示するＧＵＩを、上記画像等の再生に特化したＧＵＩから、上記画像の再生を開始する前に表示していたＧＵＩに切り換える、
ことを特徴とする請求項１〜１１の何れか１項に記載のシステム。
【請求項１３】
上記コマンド送信手段は、上記タッチパネルにおいて上記画像と同一の画像を下方にドラッグする操作が行われたときに、上記画像の再生終了を指示するコマンドを送信する、ことを特徴とする請求項１２に記載のシステム。
【請求項１４】
上記コマンド送信手段は、再生対象画像の切り換えを指示するコマンドを送信する機能を有しており、
上記ＧＵＩ切換手段は、再生対象画像の切り換えが完了した旨を通知する機能を有しており、
上記ＧＵＩ切換手段は、上記タッチパネルに表示する画像を、上記切り換え前の再生対象画像から上記切り換え後の再生対象画像に切り換える、
ことを特徴とする請求項１〜１３の何れか１項に記載のシステム。
【請求項１５】
上記コマンド送信手段は、上記タッチパネルにおいて上記切り換え前の再生対象画像を右方又は左方にフリックする操作が行われたときに、再生対象画像の切り換えを指示するコマンドを送信する、
ことを特徴とする請求項１４に記載のシステム。
【請求項１６】
上記ＧＵＩ切換手段は、上記状態通知手段から通知されたチャンネルに対応するチャンネルボタンを、タップ可能な状態からタップ不能な状態へと切り換える機能を有している、
ことを特徴とする請求項５に記載のシステム。
【請求項１７】
上記テレビジョン受像機は、上記テレビジョン受像機にて選択されているチャンネルまたはソース機器を切り換えたとき、切り換える前のチャンネルまたはソース機器を履歴情報として管理する履歴情報管理手段を備えており、
上記コマンド送信手段は、上記履歴情報を取得するコマンドを送信する機能を有しており、
上記状態通知手段は、上記コマンド送信手段から上記コマンドを受信すると、上記履歴情報を通知する機能を有しており、
上記ＧＵＩ切換手段は、上記タッチパネルに表示する履歴情報を、上記状態通知手段からの通知に応じたものに切り換える機能を有している、ことを特徴とする請求項１〜１６の何れか１項に記載のシステム。
【請求項１８】
上記テレビジョン受像機は、お気に入りチャンネルとしてユーザによって設定されたチャンネルを示すお気に入りチャンネル情報を管理するお気に入りチャンネル管理手段を備えており、
上記コマンド送信手段は、上記お気に入りチャンネル情報を取得するコマンドを送信する機能を有しており、
上記状態通知手段は、上記コマンド送信手段から上記コマンドを受信すると、上記お気に入りチャンネル情報を通知する機能を有しており、
上記ＧＵＩ切換手段は、お気に入りチャンネルとして設定されたチャンネルの中から視聴対象チャンネルを選択するためのＧＵＩ要素であるリストを、上記状態通知手段からの通知に応じたものに切り換える機能を有している、ことを特徴とする請求項１〜１７の何れか１項に記載のシステム。
【請求項１９】
上記ＧＵＩ切換手段は、上記タッチパネルに表示するＧＵＩを、上記お気に入りチャンネルを編集するＧＵＩに切り換える機能を有しており、
上記コマンド送信手段は、ユーザによって編集されたお気に入りチャンネルを示す情報を送信する機能を有しており、
上記お気に入りチャンネル管理手段は、上記コマンド送信手段から送信されたコマンドに応じて、お気に入りチャンネル情報を更新する機能を有している、ことを特徴とする請求項１８に記載のシステム。
【請求項２０】
上記テレビジョン受像機は、お気に入りアプリとしてユーザによって設定されたアプリケーションを示すお気に入りアプリ情報を管理するお気に入りアプリ管理手段を備えており、
上記コマンド送信手段は、上記お気に入りアプリ情報を取得するコマンドを送信する機能を有しており、
上記状態通知手段は、上記コマンド送信手段から上記コマンドを受信すると、上記お気に入りアプリ情報を通知する機能を有しており、
上記ＧＵＩ切換手段は、お気に入りアプリとして設定されたアプリケーションの中から利用可能なアプリケーションを選択するためのＧＵＩ要素であるリストを、上記状態通知手段からの通知に応じたものに切り換える機能を有している、ことを特徴とする請求項１〜１９の何れか１項に記載のシステム。
【請求項２１】
上記ＧＵＩ切換手段は、上記タッチパネルに表示するＧＵＩを、上記お気に入りアプリを編集するＧＵＩに切り換える機能を有しており、
上記コマンド送信手段は、ユーザによって編集されたお気に入りアプリを示す情報を送信する機能を有しており、
上記お気に入りアプリ管理手段は、上記コマンド送信手段から送信されたコマンドに応じて、お気に入りアプリ情報を更新する機能を有している、ことを特徴とする請求項２０に記載のシステム。
【請求項２２】
上記状態通知手段は、上記テレビジョン受像機にて利用可能なアプリケーションのリストを通知する機能を有しており、
上記ＧＵＩ切換手段は、利用可能なアプリケーションの中から上記テレビジョン受像機に実行させるアプリケーションを選択するためのＧＵＩ要素であるリストを、上記状態通知手段からの通知に応じたものに切り換える機能を有している、ことを特徴とする請求項１〜２１の何れか１項に記載のシステム。
【請求項２３】
上記状態通知手段は、上記テレビジョン受像機が利用可能なデータ放送コンテンツのリストを通知する機能を有しており、
上記ＧＵＩ切換手段は、利用可能なデータ放送コンテンツの中から上記テレビジョン受像機に表示させるデータ放送コンテンツを選択するためのＧＵＩ要素であるリストを、上記状態通知手段からの通知に応じたものに切り換える機能を有している、ことを特徴とする請求項１〜２２の何れか１項に記載のシステム。
【請求項２４】
自装置の状態を、情報端末から送信されたコマンドに応じたものに切り換える状態切換手段と、
上記状態切換手段によって切り換えられた自装置の状態を上記情報端末に通知するか、又は、上記状態切換手段によって切り換えられた当該テレビジョン受像機の状態に応じたＧＵＩへの切り換えを上記情報端末に指示する状態通知手段と、を備え、
上記状態通知手段は、チャンネルセットとして選択されている放送局名を通知する機能を有し、
上記状態通知手段は、更に、上記テレビジョン受像機がディスプレイに表示するテキストフィールドに入力された文字列であって、入力文字列として確定した文字列を通知する機能を有していることを特徴とするテレビジョン受像機。
【請求項２５】
テレビジョン受像機の状態を切り換えるためのコマンドであって、自装置に設けられたタッチパネルに表示したＧＵＩ（Graphical User Interface）に対するユーザ操作に応じたコマンドをテレビジョン受像機に送信するコマンド送信手段と、
上記タッチパネルに表示するＧＵＩを、上記テレビジョン受像機から通知された上記テレビジョン受像機の状態に応じたＧＵＩに切り換えるか、又は、上記テレビジョン受像機から指示されたＧＵＩに切り換えるＧＵＩ切換手段とを備え、
上記ＧＵＩ切換手段は、表示対象チャンネルを指定するためのＧＵＩ要素であるボタンと共に表示する放送局名を、上記テレビジョン受像機からの通知に応じたものに切り換える機能を有し、
上記ＧＵＩ切換手段は、更に、当該情報端末がタッチパネルに表示するテキストフィールドに表示する文字列を、上記テレビジョン受像機からの通知に応じたものに切り換える機能を有している、ことを特徴とする情報端末。
【請求項２６】
情報端末を用いてテレビジョン受像機を制御する制御方法であって、
上記情報端末が、当該情報端末に設けられたタッチパネルに表示したＧＵＩ（Graphical User Interface）に対するユーザ操作に応じたコマンドを上記テレビジョン受像機に送信するコマンド送信ステップと、
上記テレビジョン受像機が、当該テレビジョン受像機の状態を、上記情報端末から送信されたコマンドに応じたものに切り換える状態切換ステップと、
上記テレビジョン受像機が、上記状態切換ステップにて切り換えられた当該テレビジョン受像機の状態を上記情報端末に通知するか、又は、上記状態切換ステップにて切り換えられた当該テレビジョン受像機の状態に応じたＧＵＩへの切り換えを上記情報端末に指示する状態通知ステップと、
上記情報端末が、上記タッチパネルに表示するＧＵＩを、上記テレビジョン受像機から通知された上記テレビジョン受像機の状態に応じたＧＵＩに切り換えるか、又は、上記テレビジョン受像機から指示されたＧＵＩに切り換えるＧＵＩ切換ステップと、を含み、
上記状態通知ステップでは、チャンネルセットとして選択されている放送局名を通知し、
上記ＧＵＩ切換ステップでは、表示対象チャンネルを指定するためのＧＵＩ要素であるボタンと共に表示する放送局名を、上記状態通知ステップにおいて、上記テレビジョン受像機からの通知に応じたものに切り換え、
上記状態通知ステップでは、更に、上記テレビジョン受像機がディスプレイに表示するテキストフィールドに入力された文字列であって、入力文字列として確定した文字列を通知し、
上記ＧＵＩ切換ステップでは、更に、上記情報端末がタッチパネルに表示するテキストフィールドに表示する文字列を、上記状態通知ステップにおいて、上記テレビジョン受像機からの通知に応じたものに切り換えることを特徴とする制御方法。
【請求項２７】
請求項２５に記載の情報端末を動作させるためのプログラムであって、上記情報端末が備えるコンピュータを、上記情報端末が備える上記各手段として機能させるプログラム。
【請求項２８】
請求項２７に記載のプログラムが記録されたコンピュータ読み取り可能な記録媒体。
【発明の詳細な説明】
【技術分野】
【０００１】
本発明は、情報端末を用いてテレビジョン受像機を遠隔操作するシステムに関する。
【背景技術】
【０００２】
テレビジョン受像機（以下「テレビ」と略記）の遠隔操作には、従来、赤外線リモコンが広く利用されてきた。しかしながら、近年、スマートフォンなどの情報端末（特に携帯型情報端末）が急速に普及しており、これらの情報端末を利用したテレビの遠隔操作に注目が集まっている。特に、タッチパネルを備えた情報端末の場合、タッチパネルに赤外線リモコン様のＧＵＩ（Graphical User Interface）を表示すれば、使い慣れた赤外線リモコンと同様の感覚でテレビを遠隔操作することが可能になる。
【０００３】
特許文献１には、表示装置と記録再生装置とを遠隔操作する遠隔操作装置が開示されている。この遠隔操作装置は、タッチパネルを備えており、表示装置の操作に特化したＧＵＩ、記録再生装置の記録操作に特化したＧＵＩ、及び、記録再生装置の再生操作に特化したＧＵＩをタッチパネルに表示することができる。この遠隔操作装置においては、タッチパネルに表示するＧＵＩを、ユーザ操作に応じて切り換える構成が採られている。
【０００４】
また、特許文献２には、デバイスと当該デバイスを制御するコントローラとを含む機器制御システムが開示されている。この機器制御システムは、デバイスが、そのデバイス本体の状態が変化した場合に、当該デバイスの状態情報をコントローラに通知し、コントローラは、デバイスから通知された状態情報を受信する構成が採られている。
【０００５】
また、制御装置に表示する操作画面と同様の画面を双方向リモコン装置に表示することについては、特許文献３に開示されている。また、スマートフォンをリモコンとして利用するためのアプリケーションについては、非特許文献１に記載されている。
【先行技術文献】
【特許文献】
【０００６】
【特許文献１】特開２００９−１５２８３６号公報（公開日２００９年７月９日）
【特許文献２】特開２００２−２１５４８３号公報（公開日２００２年８月２日）
【特許文献３】特開２００９−３１２３９１号公報（公開日２０００年１１月７日）
【非特許文献】
【０００７】
【非特許文献１】“REVIEW WindowsケータイをPCのワイヤレスマウス・キーボードに返信させる「GRemote」”[online]、窓の杜、（２０１２年２月２３日検索）、インターネット＜http://www.forest.impress.co.jp/article/2008/12/25/gremote.html＞
【発明の概要】
【発明が解決しようとする課題】
【０００８】
近年のテレビは、多種多様な機能を有している。このため、情報端末を用いてテレビを遠隔操作する場合、単一のＧＵＩでテレビの全ての機能を制御することは不可能である。したがって、タッチパネルに表示するＧＵＩをテレビの利用シーンに合わせて切り換えることが求められる。
【０００９】
ところが、特許文献１に記載の技術のように、タッチパネルに表示するＧＵＩをユーザ操作に応じて切り換える構成を採用した場合、テレビの状態に合致しないＧＵＩが表示される可能性がある。例えば、テレビが録画コンテンツを再生しており、選局操作を受け付けない状態であるにも関わらず、情報端末のタッチパネルに選局操作に特化したＧＵＩが表示されるといった事態が生じ得る。このような事態は、ユーザを混乱に陥れ、誤操作の可能性を高める。
【００１０】
また、特許文献２に記載の技術では、デバイスから状態情報通知されたコントローラは、その状態を画面に表示するにとどまる。
【００１１】
本発明は、上記の問題に鑑みてなされたものであり、情報端末を用いてテレビを遠隔操作するシステムにおいて、従来よりも使い易く誤操作が生じ難いシステムを実現することにある。
【課題を解決するための手段】
【００１２】
上記課題を解決するために、本発明に係るシステムは、テレビジョン受像機と情報端末とを含むシステムであって、上記テレビジョン受像機は、当該テレビジョン受像機の状態を、上記情報端末から送信されたコマンドに応じたものに切り換える状態切換手段と、上記状態切換手段によって切り換えられた当該テレビジョン受像機の状態を上記情報端末に通知するか、又は、上記状態切換手段によって切り換えられた当該テレビジョン受像機の状態に応じたＧＵＩへの切り換えを上記情報端末に指示する状態通知手段とを備え、上記情報端末は、当該情報端末に設けられたタッチパネルに表示したＧＵＩ（Graphical User Interface）に対するユーザ操作に応じたコマンドを上記テレビジョン受像機に送信するコマンド送信手段と、上記タッチパネルに表示するＧＵＩを、上記テレビジョン受像機から通知された上記テレビジョン受像機の状態に応じたＧＵＩに切り換えるか、又は、上記テレビジョン受像機から指示されたＧＵＩに切り換えるＧＵＩ切換手段とを備えている、ことを特徴とする。
【００１３】
また、上記課題を解決するために、本発明に係る制御方法は、情報端末を用いてテレビジョン受像機を制御する制御方法であって、上記情報端末が、当該情報端末に設けられたタッチパネルに表示したＧＵＩ（Graphical User Interface）に対するユーザ操作に応じたコマンドを上記テレビジョン受像機に送信するコマンド送信ステップと、上記テレビジョン受像機が、当該テレビジョン受像機の状態を、上記情報端末から送信されたコマンドに応じたものに切り換える状態切換ステップと、上記テレビジョン受像機が、上記状態切換ステップにて切り換えられた当該テレビジョン受像機の状態を上記情報端末に通知するか、又は、上記状態切換ステップにて切り換えられた当該テレビジョン受像機の状態に応じたＧＵＩへの切り換えを上記情報端末に指示する状態通知ステップと、上記情報端末が、上記タッチパネルに表示するＧＵＩを、上記テレビジョン受像機から通知された上記テレビジョン受像機の状態に応じたＧＵＩに切り換えるか、又は、上記テレビジョン受像機から指示されたＧＵＩに切り換えるＧＵＩ切換ステップと、を含んでいることを特徴とする。
【００１４】
上記の構成によれば、情報端末のタッチパネルに表示されるＧＵＩが、上記テレビジョン受像機の状態に応じたものに自動的に切り換わる。したがって、上記テレビジョン受像機の状態が遷移した際に、上記情報端末のタッチパネルに表示されるＧＵＩを上記テレビジョン受像機の状態に応じたものに切り換える手間を省くことができる。あるいは、上記情報端末の状態が遷移したことを把握し得ないことに起因する誤操作の可能性を低下させることができる。
【００１５】
本発明に係るシステムにおいて、上記状態通知手段は、上記テレビジョン受像機の電源状態を通知する機能を有しており、上記ＧＵＩ切換手段は、上記テレビジョン受像機の電源状態を切り換えるためのＧＵＩ要素であるトグルスイッチに設けられたインジケータの表示色を、上記状態通知手段からの通知に応じたものに切り換える機能を有していることが好ましい。
【００１６】
上記の構成によれば、上記トグルスイッチに対するユーザ操作をトリガーとして上記インジケータの表示色が切り換わるのではなく、上記テレビジョン受像機の電源状態が実際に切り換わったことをトリガーとして上記インジケータの表示色が切り換わる。したがって、既に上記テレビジョン受像機がＯＮ状態であるにも関わらず、上記テレビジョン受像機をＯＮ状態に切り換えることを意図した誤操作が行われたり、逆に、既に上記テレビジョン受像機がスタンバイ状態であるにも関わらず、上記テレビジョン受像機をスタンバイ状態に切り換えることを意図した誤操作が行われたりする可能性を低下させることができる。
【００１７】
本発明に係るシステムにおいて、上記状態通知手段は、上記テレビジョン受像機のボリュームレベルを通知する機能を有しており、上記ＧＵＩ切換手段は、上記テレビジョン受像機のボリュームレベルを切り換えるためのＧＵＩ要素であるスライダの指示位置を、上記状態通知手段からの通知に応じたものに切り換える機能を有している、ことが好ましい。
【００１８】
上記の構成によれば、上記スライダの指示位置を、上記テレビジョン受像機のボリュームレベルに確実に同期させることができる。したがって、上記スライダに対して意図しないユーザ操作が行われる可能性を低下させることができる。
【００１９】
本発明に係るシステムにおいて、上記状態通知手段は、上記テレビジョン受像機が電子番組表を表示している旨を通知する機能を有しており、上記ＧＵＩ切換手段は、上記タッチパネルに表示するＧＵＩを、上記電子番組表においてカーソルを移動することに特化したＧＵＩに切り換える機能を有していることが好ましい。
【００２０】
上記の構成によれば、上記テレビジョン受像機に電子番組表が表示された際に、上記情報端末のタッチパネルに表示されるＧＵＩをカーソル移動に特化したものに切り換える手間を省くことができる。しかも、上記情報端末のタッチパネルに表示されるＧＵＩは、カーソル移動に特化したものなので、電子番組表を表示している状態で上記テレビジョン受像機が受け付けない操作を、ユーザが誤って行ってしまう可能性を低下させることができる。
【００２１】
本発明に係るシステムにおいて、上記状態通知手段は、チャンネルセットとして選択されている放送局名を通知する機能を有しており、上記ＧＵＩ切換手段は、表示対象チャンネルを指定するためのＧＵＩ要素であるボタンと共に表示する放送局名を、上記状態通知手段からの通知に応じたものに切り換える機能を有していることが好ましい。
【００２２】
上記の構成によれば、どのボタンをタップすればどの放送局の放送番組が表示されるかを、ユーザに知らせることができる。したがって、この対応関係を把握し得ないことに起因する誤操作の可能性を低下させることができる。
【００２３】
本発明に係るシステムにおいて、上記状態通知手段は、表示対象チャンネルとして選択されているチャンネルを通知する機能を有しており、上記ＧＵＩ切換手段は、表示対象チャンネルを上下させるためのＧＵＩ要素であるボタンと共に表示する放送局名を、上記状態通知手段からの通知に応じたものに切り換える機能を有していることが好ましい。
【００２４】
上記の構成によれば、表示されている放送番組がどの放送局の放送番組であるかを、ユーザに知らせることができる。したがって、この対応関係を把握し得ないことに起因する誤操作の可能性を低下させることができる。
【００２５】
本発明に係るシステムにおいて、上記状態通知手段は、上記テレビジョン受像機に接続されているソース機器の機器名を通知する機能を有しており、上記ＧＵＩ切換手段は、入力ソースを選択するためのＧＵＩ要素であるリストに表示する機器名を、上記状態通知手段からの通知に応じたものに切り換える機能を有していることが好ましい。
【００２６】
上記の構成によれば、どのリスト項目をタップすればどのソース機器が選択されるかを、ユーザに知らせることができる。したがって、この対応関係を把握し得ないことに起因する誤操作の可能性を低下させることができる。
【００２７】
本発明に係るシステムにおいて、上記状態通知手段は、入力ソースとして選択されているソース機器を通知する機能を有しており、上記ＧＵＩ切換手段は、上記タッチパネルに表示するＧＵＩを、上記状態通知手段から通知されたソース機器を操作することに特化したＧＵＩに切り換える機能を有していることが好ましい。
【００２８】
上記の構成によれば、あるソース機器が入力ソースとして選択されている際に、上記情報端末のタッチパネルに表示されるＧＵＩをそのソース機器の操作に特化したものに切り換える手間を省くことができる。しかも、上記情報端末のタッチパネルに表示されるＧＵＩは、そのソース機器の操作に特化したものなので、そのソース機器が入力ソースとして選択されている状態で上記テレビジョン受像機が受け付けない操作を、ユーザが誤って行ってしまう可能性を低下させることができる。
【００２９】
本発明に係るシステムにおいて、上記状態通知手段は、上記テレビジョン受像機がディスプレイに表示するテキストフィールドに入力された文字列であって、入力文字列として確定した文字列を通知する機能を有しており、上記ＧＵＩ切換手段は、上記情報端末がタッチパネルに表示するテキストフィールドに表示する文字列を、上記状態通知手段からの通知に応じたものに切り換える機能を有している、ことが好ましい。
【００３０】
上記の構成によれば、上記テレビジョン受像機において既に入力文字列として確定している文字列を上記情報端末から重ねて入力してしまったり、逆に、上記テレビジョン受像機において未だ入力文字列として確定していない文字列を上記情報端末から入力することを省いてしまったりする誤操作が生じる可能性を低下させることができる。
【００３１】
本発明に係るシステムにおいて、上記情報端末は、上記情報端末がタッチパネルに表示するテキストフィールドに入力された文字列であって、入力文字列として確定した文字列をテレビジョン受像機に通知する機能を有しており、上記テレビジョン受像機は、当該テレビジョン受像機がディスプレイに表示するテキストフィールドに表示する文字列を、上記情報端末からの通知に応じたものに切り換える機能を有している、ことが好ましい。
【００３２】
上記の構成によれば、上記情報端末において既に入力文字列として確定している文字列を上記テレビジョン受像機から重ねて入力してしまったり、逆に、上記情報端末において未だ入力文字列として確定していない文字列を上記テレビジョン受像機から入力することを省いてしまったりする誤操作が生じる可能性を低下させることができる。
【００３３】
本発明に係るシステムにおいて、上記コマンド送信手段は、検索を指示するコマンドを検索文字列と共に送信する機能を有しており、上記状態通知手段は、検索結果の表示が完了した旨を通知する機能を有しており、上記ＧＵＩ切換手段は、上記タッチパネルに表示するＧＵＩを、上記検索結果においてカーソルを移動することに特化したＧＵＩに切り換える機能を有している、ことが好ましい。
【００３４】
上記の構成によれば、上記テレビジョン受像機に検索結果が表示された際に、上記情報端末のタッチパネルに表示されるＧＵＩをカーソル移動に特化したものに切り換える手間を省くことができる。しかも、上記情報端末のタッチパネルに表示されるＧＵＩは、カーソル移動に特化したものなので、検索結果を表示している状態で上記テレビジョン受像機が受け付けない操作を、ユーザが誤って行ってしまう可能性を低下させることができる。
【００３５】
本発明に係るシステムにおいて、上記検索は、ウェブサーバに蓄積されたウェブコンテンツ、ＶＯＤサーバに蓄積されたＶＯＤコンテンツ、電子番組表に掲載された放送コンテンツ、及び、上記テレビジョン受像機又は上記テレビジョン受像機に接続されたレコーダに記録された録画コンテンツから、上記検索文字列に合致するコンテンツを検索するシームレス検索であるであることが好ましい。
【００３６】
上記の構成によれば、１つの検索文字列を入力するだけで、ウェブコンテンツ、ＶＯＤコンテンツ、放送コンテンツ、及び録画コンテンツを一括して検索することができる。
【００３７】
本発明に係るシステムにおいて、上記状態通知手段は、上記テレビジョン受像機の機器名としてユーザが設定したフレンドリネームを通知する機能を有しており、上記ＧＵＩ切換手段は、上記コマンドの送信先となるテレビジョン受像機を選択するためのＧＵＩ要素であるリストに表示する機器名を、上記状態通知手段からの通知に応じたものに切り換える機能を有していることが好ましい。
【００３８】
上記の構成によれば、どのリスト項目をタップすればどのテレビジョン受像機が操作対象となるかを、理解しやすいフレンドリネームによってユーザに知らせることができる。したがって、この対応関係を把握し得ないことに起因する誤操作の可能性を低下させることができる。
【００３９】
本発明に係るシステムにおいて、上記コマンド送信手段は、画像等の再生終了を指示するコマンドを送信する機能を有しており、上記状態通知手段は、上記画像等の再生を終了した旨を通知する機能を有しており、上記ＧＵＩ切換手段は、上記タッチパネルに表示するＧＵＩを、上記画像等の再生に特化したＧＵＩから、上記画像等の再生を開始する前に表示していたＧＵＩに切り換える、ことが好ましい。
【００４０】
上記の構成によれば、画像等の再生が終了したにも関わらず、画像等の再生に関する操作を行ってしまう可能性を未然に防止することができる。なお、請求項に記載の「画像等」に該当するものとしては、動画像、静止画像、音楽、映像などのコンテンツが挙げられる。
【００４１】
本発明に係るシステムにおいて、上記コマンド送信手段は、上記タッチパネルにおいて上記画像と同一の画像を下方にドラッグする操作が行われたときに、上記画像の再生終了を指示するコマンドを送信する、ことが好ましい。
【００４２】
上記構成によれば、タッチパネルにおいて画像を下方にドラッグするという、あたかもテレビジョン受像機にて再生されている画像を手元に引き寄せるような操作によって、テレビジョン受像機における画像の再生を終了することができる。すなわち、ユーザにとって極めて直感的な操作によって、テレビジョン受像機における画像の再生を終了することができる。
【００４３】
本発明に係るシステムにおいて、上記コマンド送信手段は、再生対象画像の切り換えを指示するコマンドを送信する機能を有しており、上記状態通知手段は、再生対象画像の切り換えが完了した旨を通知する機能を有しており、上記ＧＵＩ切換手段は、上記タッチパネルに表示する画像を、上記切り換え前の再生対象画像から上記切り換え後の再生対象画像に切り換える、ことが好ましい。
【００４４】
上記の構成によれば、テレビジョン受像機における表示対象画像と上記情報端末における表示対象画像とを確実に一致させることができる。したがって、情報端末側で行った操作により意図しない画像の切り換えが起こることを回避することができる。
【００４５】
本発明に係るシステムにおいて、上記コマンド送信手段は、上記タッチパネルにおいて上記切り換え前の再生対象画像をフリックする操作が行われたときに、再生対象画像の切り換えを指示するコマンドを送信する、ことが好ましい。
【００４６】
上記の構成によれば、画像をフリックするというシンプルな操作によって、テレビジョン受像機にて再生される画像を切り換えることができる。
【００４７】
上記ＧＵＩ切換手段は、上記状態通知手段から通知されたチャンネルに対応するチャンネルボタンを、タップ可能な状態からタップ不能な状態へと切り換える機能を有している、ことが好ましい。
【００４８】
上記の構成によれば、既に表示対象として選択されているチャンネルを、再度、表示対象として選択してしまうという誤操作を防止することができる。
【００４９】
本発明に係るシステムにおいて、上記テレビジョン受像機は、上記テレビジョン受像機にて選択されているチャンネルまたはソース機器を切り換えたとき、切り換える前のチャンネルまたはソース機器を履歴情報として管理する履歴情報管理手段を備えており、上記コマンド送信手段は、上記履歴情報を取得するコマンドを送信する機能を有しており、上記状態通知手段は、上記コマンド送信手段から上記コマンドを受信すると、上記履歴情報を通知する機能を有しており、上記ＧＵＩ切換手段は、上記タッチパネルに表示する履歴情報を、上記状態通知手段からの通知に応じたものに切り換える機能を有していることが好ましい。
【００５０】
上記の構成によれば、テレビジョン受像機に選択されたチャンネルまたは入力ソースの履歴情報を、ユーザに情報端末上で知らせることができる。よって、ユーザが視聴している画面を維持したまま、ユーザは上記履歴情報を情報端末上で簡単に確認することができる。
【００５１】
本発明に係るシステムにおいて、上記テレビジョン受像機は、お気に入りチャンネルとしてユーザによって設定されたチャンネルを示すお気に入りチャンネル情報を管理するお気に入りチャンネル管理手段を備えており、上記コマンド送信手段は、上記お気に入りチャンネル情報を取得するコマンドを送信する機能を有しており、上記状態通知手段は、上記コマンド送信手段から上記コマンドを受信すると、上記お気に入りチャンネル情報を通知する機能を有しており、上記ＧＵＩ切換手段は、お気に入りチャンネルとして設定されたチャンネルの中から視聴対象チャンネルを選択するためのＧＵＩ要素であるリストを、上記状態通知手段からの通知に応じたものに切り換える機能を有していることが好ましい。
【００５２】
上記の構成によれば、テレビジョン受像機においてお気に入りチャンネルとしてユーザが設定したチャンネルと上記情報端末に表示するチャンネルとを確実に一致させることができる。したがって、ユーザは、情報端末側で行った操作により、テレビジョン受像機にて再生されるチャンネルを、お気に入りチャンネルとして設定したチャンネルに簡単に切り換えることができる。
【００５３】
本発明に係るシステムにおいて、上記ＧＵＩ切換手段は、上記タッチパネルに表示するＧＵＩを、上記お気に入りチャンネルを編集するＧＵＩに切り換える機能を有しており、上記コマンド送信手段は、ユーザによって編集されたお気に入りチャンネルを示す情報を送信する機能を有しており、上記お気に入りチャンネル管理手段は、上記コマンド送信手段から送信されたコマンドに応じて、お気に入りチャンネル情報を更新する機能を有していることが好ましい。
【００５４】
上記の構成によれば、テレビジョン受像機に設定するお気に入りチャンネルを上記情報端末上で設定することができる。よって、ユーザが視聴している画面を維持したまま、ユーザは上記お気に入りチャンネルを情報端末上で簡単に編集することができる。
【００５５】
本発明に係るシステムにおいて、上記テレビジョン受像機は、お気に入りアプリとしてユーザによって設定されたアプリケーションを示すお気に入りアプリ情報を管理するお気に入りアプリ管理手段を備えており、上記コマンド送信手段は、上記お気に入りアプリ情報を取得するコマンドを送信する機能を有しており、上記状態通知手段は、上記コマンド送信手段から上記コマンドを受信すると、上記お気に入りアプリ情報を通知する機能を有しており、上記ＧＵＩ切換手段は、お気に入りアプリとして設定されたアプリケーションの中から利用可能なアプリケーションを選択するためのＧＵＩ要素であるリストを、上記状態通知手段からの通知に応じたものに切り換える機能を有していることが好ましい。
【００５６】
上記の構成によれば、テレビジョン受像機においてお気に入りアプリとしてユーザが設定したアプリケーションと上記情報端末に表示するアプリケーションとを確実に一致させることができる。したがって、ユーザは、情報端末側で行った操作により、テレビジョン受像機にて実行するアプリケーションを、お気に入りアプリとして設定したアプリケーションに簡単に切り換えることができる。
【００５７】
本発明に係るシステムにおいて、上記ＧＵＩ切換手段は、上記タッチパネルに表示するＧＵＩを、上記お気に入りアプリを編集するＧＵＩに切り換える機能を有しており、上記コマンド送信手段は、ユーザによって編集されたお気に入りアプリを示す情報を送信する機能を有しており、上記お気に入りアプリ管理手段は、上記コマンド送信手段から送信されたコマンドに応じて、お気に入りアプリ情報を更新する機能を有していることが好ましい。
【００５８】
上記の構成によれば、テレビジョン受像機に設定するお気に入りアプリを上記情報端末上で設定することができる。よって、ユーザが視聴している画面を維持したまま、ユーザは上記お気に入りアプリを情報端末上で簡単に編集することができる。
【００５９】
本発明に係るシステムにおいて、上記状態通知手段は、上記テレビジョン受像機にて利用可能なアプリケーションのリストを通知する機能を有しており、上記ＧＵＩ切換手段は、利用可能なアプリケーションの中から上記テレビジョン受像機に実行させるアプリケーションを選択するためのＧＵＩ要素であるリストを、上記状態通知手段からの通知に応じたものに切り換える機能を有していることが好ましい。
【００６０】
上記の構成によれば、どの項目をタップすればどのアプリケーションが選択されるかを、ユーザに知らせることができる。したがって、この対応関係を把握し得ないことに起因する誤操作の可能性を低下させることができる。
【００６１】
本発明に係るシステムにおいて、上記状態通知手段は、上記テレビジョン受像機が利用可能なデータ放送コンテンツのリストを通知する機能を有しており、上記ＧＵＩ切換手段は、利用可能なデータ放送コンテンツの中から上記テレビジョン受像機に表示させるデータ放送コンテンツを選択するためのＧＵＩ要素であるリストを、上記状態通知手段からの通知に応じたものに切り換える機能を有していることが好ましい。
【００６２】
上記の構成によれば、どの項目をタップすればどのデータ放送コンテンツが選択されるかを、ユーザに知らせることができる。したがって、この対応関係を把握し得ないことに起因する誤操作の可能性を低下させることができる。
【００６３】
上述したシステムに含まれるテレビジョン受像機（単体）も、本発明の範疇に含まれる。また、上述したシステムに含まれる情報端末（単体）も、本発明の範疇に含まれる。更に、そのような情報端末を動作させるためのプログラム、及び、そのようなプログラムが記録された記録媒体も、本発明の範疇に含まれる。
【発明の効果】
【００６４】
以上のように、本発明に係るシステムは、テレビジョン受像機と情報端末とを含むシステムであって、上記テレビジョン受像機は、当該テレビジョン受像機の状態を、上記情報端末から送信されたコマンドに応じたものに切り換える状態切換手段と、上記状態切換手段によって切り換えられた当該テレビジョン受像機の状態を上記情報端末に通知するか、又は、上記状態切換手段によって切り換えられた当該テレビジョン受像機の状態に応じたＧＵＩへの切り換えを上記情報端末に指示する状態通知手段とを備え、上記情報端末は、当該情報端末に設けられたタッチパネルに表示したＧＵＩ（Graphical User Interface）に対するユーザ操作に応じたコマンドを上記テレビジョン受像機に送信するコマンド送信手段と、上記タッチパネルに表示するＧＵＩを、上記テレビジョン受像機から通知された上記テレビジョン受像機の状態に応じたＧＵＩに切り換えるか、又は、上記テレビジョン受像機から指示されたＧＵＩに切り換えるＧＵＩ切換手段とを備えている。
【００６５】
また、本発明に係る制御方法は、情報端末を用いてテレビジョン受像機を制御する制御方法であって、上記情報端末が、当該情報端末に設けられたタッチパネルに表示したＧＵＩ（Graphical User Interface）に対するユーザ操作に応じたコマンドを上記テレビジョン受像機に送信するコマンド送信ステップと、上記テレビジョン受像機が、当該テレビジョン受像機の状態を、上記情報端末から送信されたコマンドに応じたものに切り換える状態切換ステップと、上記テレビジョン受像機が、上記状態切換ステップにて切り換えられた当該テレビジョン受像機の状態を上記情報端末に通知するか、又は、上記状態切換ステップにて切り換えられた当該テレビジョン受像機の状態に応じたＧＵＩへの切り換えを上記情報端末に指示する状態通知ステップと、上記情報端末が、上記タッチパネルに表示するＧＵＩを、上記テレビジョン受像機から通知された上記テレビジョン受像機の状態に応じたＧＵＩに切り換えるか、又は、上記テレビジョン受像機から指示されたＧＵＩに切り換えるＧＵＩ切換ステップと、を含んでいる。
【００６６】
したがって、従来よりも使い易く誤操作が生じ難いシステム及び操作方法を実現することができる。
【図面の簡単な説明】
【００６７】
【図１】システムの構成を示すブロック図である。
【図２】テレビのハードウェア構成を示したブロック図である。
【図３】スマートフォンのハードウェア構成を示すブロック図である。
【図４】テレビの制御部及びスマートフォンの制御部の機能構成を示した機能ブロック図である。
【図５】リモコントップ画面の構成を示した図である。なお、ＡＱＵＯＳは登録商標である。
【図６】固定操作パネルの構成を示した図である。
【図７】表示切換タブの構成を示す図である。
【図８】表示切換タブの各領域をタップしたときに表示されるパネルを一覧した図である。
【図９】リモコントップ画面からの画面遷移を示した画面遷移図である。
【図１０】操作対象とするテレビが発見できなかったときの画面遷移を示した画面遷移図である。
【図１１】３つのモードにおける数字選局パネルの構成を示す図である。
【図１２】テレビからチャンネルリストを取得した際の数字選局パネルにおけるスマートフォンの画面の一例を示す図である。
【図１３】３つのモードにおける上下選局パネルの構成を示す図である。
【図１４】テレビからチャンネルリストを取得した際の上下選局パネルにおけるスマートフォンの画面の一例を示す図である。
【図１５】ページ送り／戻しボタンがタップされたときの画面遷移を示した画面遷移図である。
【図１６】上下方向にドラッグまたはフリックされたときの画面遷移を示した画面遷移図である。
【図１７】リモコンアプリケーションを最初に起動した際の画面遷移を示した画面遷移図である。
【図１８】リモコンアプリケーションを２回目以降に起動した際の画面遷移を示した画面遷移図である。
【図１９】機器選択画面から操作対象とするテレビを選択する際の画面遷移を示した画面遷移図である。
【図２０】テレビがスマートフォンを認証する際の画面遷移を示した画面遷移図である。
【図２１】ユーザが指示した時点で機器の再検索を行う際の画面遷移を示した画面遷移図である。
【図２２】スマートフォンが接続されている機器の自動更新を行う際の画面遷移を示した画面遷移図である。
【図２３】（ａ）は、テレビリストに登録されたテレビの機器名を編集する際の画面遷移を示した画面遷移図であり、（ｂ）は、機器選択画面２３−ｂのポップアップメニューの表示例を示した図である。
【図２４】機器名を新機器名に変更する際の画面遷移を示した画面遷移図である。
【図２５】テレビリストに登録されたテレビの機器名を初期化する際の画面遷移を示した画面遷移図である。
【図２６】機器名の編集中にテレビがＬＡＮから外れた際の画面遷移を示した画面遷移図である。
【図２７】（ａ）は、テレビリストからテレビを削除する際の画面遷移を示した画面遷移図であり、（ｂ）は、テレビリストから全てのテレビが削除された際の表示画面の一例を示す図である。
【図２８】機器選択画面において、デモ画面に遷移する際の画面遷移を示した画面遷移図である。
【図２９】スマートフォンにおけるキーワード検索機能の流れの一例を示す画面遷移図である。
【図３０】（ａ）〜（ｄ）は、スマートフォンにおけるキーワード検索機能で指定された検索結果を表示したテレビの画面の一例を示す図である。
【図３１】スマートフォンにおける音声入力で検索文字列を入力する時の流れの一例を示す画面遷移図である。
【図３２】スマートフォンにおける検索文字列が入力されていないときのキーワード検索機能の流れの一例を示す画面遷移図である。
【図３３】スマートフォンを用いたソース機器の切り換えの概要を示す図である。
【図３４】リンク操作パネルを例示した図である。
【図３５】ソース機器のファミリンク操作におけるスマートフォンの画面遷移とテレビの画面の一例を示す図である。
【図３６】テレビが表示する機器選択画面を用いたソース機器の選択におけるスマートフォンの画面遷移とテレビの画面の一例を示す図である。
【図３７】入力切換パネルの画面遷移を示す画面遷移図である。
【図３８】入力切換パネルをフリック又はドラッグ操作によってスクロールした際の画面遷移を示す画面遷移図である。
【図３９】スマートフォンにおける簡単ナビ機能の流れの一例を示す画面である。
【図４０】（ａ）はスマートフォンにおける簡単ナビ機能で画面に表示される項目の一例を示し、（ｂ）は、（ａ）の項目に対するテレビジョン受像機およびスマートフォンに表示される画面例を示す図である。
【図４１】スマートフォンにおける簡単ナビの項目の表示の一例を示す図である。
【図４２】スマートフォンにおける簡単ナビの項目の表示の他の例を示す図である。
【図４３】スマートフォンにおける操作パネルの表示の流れの一例を示す画面遷移図である。
【図４４】スマートフォンにおける操作パネルで表示可能なモードの一例を示す図である。
【図４５】スマートフォンにおける操作パネルの「フリック」モードの画面の一例を示す図である。
【図４６】スマートフォンにおけるオプションメニューの一例を示す図である。
【図４７】スマートフォンにおけるオプションメニューの操作の流れの一例を示す画面遷移図である。
【図４８】スマートフォンにおける機器選択画面のオプションメニューの項目の表示の一例を示す図である。
【図４９】スマートフォンにおける機器選択画面のオプションメニューの操作の流れの一例を示す画面遷移図である。
【図５０】（ａ）は、スマートフォンにおける文字入力の流れの一例を示す画面遷移図であり、（ｂ）は、ソフトウェアキーボードが表示されていない文字列入力ウインドウの表示例を示した図である。
【図５１】スマートフォンにおける文字入力の詳細な流れの一例を示す画面遷移図である。
【図５２】スマートフォンにおける文字入力の流れの他の例を示す画面遷移図である。
【図５３】いくつかの項目の設定を行うためにテレビに表示される設定画面の一例を示す図である。
【図５４】スマートフォンで動作するウェブブラウザで閲覧中のウェブページに、テレビで動作するウェブブラウザをアクセスさせる方法の概要を示した図である。
【図５５】静止画の再生シーンにおけるテレビとスマートフォンとの連携動作を示した図である。
【図５６】電話着信時におけるテレビとスマートフォンの連係動作を示した図である。
【図５７】メール着信時におけるテレビとスマートフォンの連係動作を示した図である。
【図５８】スマートフォンを用いたフラッシュバック機能の概要の一例を示した図である。
【図５９】テレビにおける視聴履歴の管理方法の一例を示したフローチャートである。
【図６０】視聴履歴（入力履歴）を管理するデータベースの一例を示した図である。
【図６１】スマートフォンにおける視聴履歴の管理方法の一例を示したフローチャートである。
【図６２】スマートフォンを用いたフラッシュバック機能の概要の他の例を示した図である。
【図６３】スマートフォンを用いたフラッシュバック機能の概要の他の例を示した図である。
【図６４】スマートフォンを用いたお気に入りチャンネル機能の概要の一例を示した図である。
【図６５】スマートフォンにおいてお気に入りチャンネルを編集する際の画面の一例を示した図である。
【図６６】テレビにおけるお気に入りチャンネル送信方法の一例を示したフローチャートである。
【図６７】お気に入りチャンネルを管理するデータベースの一例を示した図である。
【図６８】スマートフォンおける、テレビに設定されたお気に入りチャンネルの受信方法の一例を示したフローチャートである。
【図６９】テレビが受信可能なチャンネルの一覧をテレビからスマートフォンへ送信する方法の一例を示したフローチャートである。
【図７０】テレビが受信可能なチャンネルの一覧を管理するデータベースの一例を示した図である。
【図７１】スマートフォンにおける、テレビが受信可能なチャンネルの一覧をテレビから受信する方法の一例を示したフローチャートである。
【図７２】テレビに設定されたお気に入りチャンネルの編集をスマートフォン上で行う際のスマートフォン側の処理の流れを示すフローチャートである。
【図７３】テレビに設定されたお気に入りチャンネルの編集をスマートフォン上で行う際のテレビ側の処理の流れを示すフローチャートである。
【図７４】スマートフォンを用いたお気に入りチャンネル機能の概要の他の例を示した図である。
【図７５】スマートフォンにおいてお気に入りチャンネルを編集する際の画面の他の例を示した図である。
【図７６】スマートフォンを用いたお気に入りアプリ機能の概要の一例を示した図である。
【図７７】スマートフォンにおいてお気に入りアプリを編集する際の画面の一例を示した図である。
【図７８】スマートフォンを用いたお気に入りアプリ機能の概要の他の例を示した図である。
【図７９】スマートフォンにおいてお気に入りアプリを編集する際の画面の他の例を示した図である。
【図８０】スマートフォンを用いたチャンネル一覧からの選局機能の概要の一例を示した図である。
【図８１】スマートフォンを用いたアプリ一覧（ＤＯＣＫ）からのアプリケーション切換機能の概要の一例を示した図である。
【図８２】スマートフォンを用いたアプリ一覧（ＤＯＣＫ）からのアプリケーション切換機能の概要の他の例を示した図である。
【図８３】スマートフォンを用いたサービスリスト機能の概要の一例を示した図である。
【図８４】テレビが利用可能なデータ放送コンテンツの一覧をテレビからスマートフォンへ送信する方法の一例を示したフローチャートである。
【図８５】スマートフォンにおける、テレビが利用可能なデータ放送コンテンツの一覧をテレビから受信する方法の一例を示したフローチャートである。
【図８６】視聴履歴（入力履歴）を管理するデータベースの他の例を示した図である。
【図８７】視聴履歴（入力履歴）を管理するデータベースの他の例を示した図である。
【発明を実施するための形態】
【００６８】
（システムの構成）
本実施形態に係るシステム１０について、図１を参照して説明する。図１は、システム１０の構成を示すブロック図である。
【００６９】
システム１０は、図１に示すように、テレビジョン受像機（以下「テレビ」と略記）１、及び、スマートフォン（情報端末）２を含む。システム１０において、スマートフォン２は、テレビ１を操作するためのリモコンとして機能する。
【００７０】
スマートフォン２は、図１に示すように、無線ルータ３を介してＬＡＮ（Local Area Network）に接続され、このＬＡＮに含まれるテレビ１とＩＰ（Internet Protocol）通信を行う。スマートフォン２によるテレビ１の操作は、このＩＰ通信を用いて行われる。なお、スマートフォン２と無線ルータ３との間の無線通信をサポートする通信規格としては、ＩＥＥＥ８０２．１１シリーズなどが挙げられる。
【００７１】
テレビ１は、ＬＡＮに接続されたメディアサーバ４、並びに、インターネットに接続されたＷＥＢサーバ６及びＶＯＤサーバ７ともＩＰ通信を行う。これにより、テレビ１は、地上波デジタル放送、ＢＳ放送、又はＣＳ放送により放送された放送コンテンツに加えて、メディアサーバ４から提供されたメディアコンテンツ、ＷＥＢサーバ６から提供されたＷＥＢコンテンツ、及び、ＶＯＤサーバ７から提供されたＶＯＤコンテンツを再生することができる。
【００７２】
また、テレビ１には、ソース機器５をＨＤＭＩ接続することができる。これにより、テレビ１は、ソース機器５から供給されたコンテンツを再生することができる。テレビ１に接続可能なソース機器５としては、例えば、プレーヤ、レコーダ、携帯電話端末などが挙げられる。更に、テレビ１には、ハードディスクドライブや光ディスクドライブなどの記録装置を内蔵し得る。この場合、テレビ１は、内蔵記録装置に記録された録画コンテンツを再生することができる。
【００７３】
なお、本実施形態においては、スマートフォン２をテレビ１のリモコンとして利用する構成を示したが、これに限定されるものではない。すなわち、タブレット型ＰＣや電子ブックリーダなど、タッチパネルを有する情報端末であれば、どのような情報端末であっても、テレビ１のリモコンとして利用することができる。
【００７４】
また、本実施形態においては、テレビ１とスマートフォン２とが無線ルータ３を介して無線通信する構成を示したが、これに限定されるものではない。例えば、テレビ１が無線ＬＡＮ用の通信インタフェースを備えている場合には、テレビ１とスマートフォン２とが無線ルータ３を介さずに無線通信する構成を採用してもよい。
【００７５】
更に、テレビ１とスマートフォン２との間の無線通信をサポートする通信規格もＩＥＥＥ８０２．１１シリーズ（「ＷｉＦｉ」と呼称されることもある）に限定されない。例えば、ＩＥＥＥ８０２．１５．１（「Ｂｌｕｅｔｏｏｔｈ（登録商標）」と呼称されることもある）、ＩＥＥＥ８０２．１５．４（「ＺｉｇＢｅｅ」と呼称されることもある）などを用いてもよい。また、無線通信に代えて双方向の赤外線通信を用いてもよいし、通信規格も独自仕様のものを用いても良い。すなわち、本発明は特定の通信手段や通信規格に拘泥するものではない。
【００７６】
（テレビのハードウェア構成）
次に、テレビ１の構成について、図２を参照して説明する。図２は、テレビ１のハードウェア構成を示したブロック図である。
【００７７】
テレビ１は、図２に示すように、チューナ１０１、ビデオデコーダ１０２、映像処理部１０３、ＬＣＤコントローラ１０４、ＬＣＤ１０５、オーディオデコーダ１０６、音声処理部１０７、アンプ１０８、スピーカ１０９、ＨＤＭＩレシーバ１１０、電源部１１１、ＬＡＮインタフェース１１２、及び制御部１２０を備えている。
【００７８】
チューナ１０１は、地上波デジタル放送、ＢＳ放送、又はＣＳ放送の放送波から符号化映像信号と符号化音声信号とを復調する。ビデオデコーダ１０２は、チューナ１０１にて復調された符号化映像信号を復号する。ビデオデコーダ１０２にて復号された映像信号は、映像処理部１０３を介してＬＣＤコントローラ１０４に供給される。ＬＣＤコントローラ１０４は、映像処理部１０３により処理された映像信号が表す映像を表示するべく、ＬＣＤ１０５を制御する。オーディオデコーダ１０６は、チューナ１０１にて復調された符号化音声信号を復号する。オーディオデコーダ１０６にて復号された音声信号は、音声処理部１０７を介してアンプ１０８に供給される。アンプ１０８は、音声処理部１０７により処理された音声信号が表す音声を出力すべく、スピーカ１０９を駆動する。
【００７９】
ＨＤＭＩレシーバ１１０は、ソース機器５から供給された映像信号及び音声信号を受信する。ＨＤＭＩレシーバ１１０により受信された映像信号及び音声信号は、それぞれ、映像処理部１０３及び音声処理部１０７に供給され、チューナ１０１により復調された映像信号及び音声信号と同様、ＬＣＤ１０５及びスピーカ１０９から出力される。
【００８０】
また、ＬＡＮインタフェース１１２は、メディアサーバ４、ＷＥＢサーバ６、及びＶＯＤサーバ７から、それぞれ、メディアコンテンツ、ＷＥＢコンテンツ、及びＶＯＤコンテンツを取得する。これらのネットワークコンテンツは、何れも、制御部１２０にてソフトウェア的にデコードされる。制御部１２０にてデコードされたコンテンツを表す映像信号及び音声信号は、それぞれ、映像処理部１０３及び音声処理部１０７に供給され、チューナ１０１により復調された映像信号及び音声信号と同様、ＬＣＤ１０５及びスピーカ１０９から出力される。
【００８１】
ＬＡＮインタフェース１１２／制御部１２０は、上述した機能の他に、スマートフォン２から送信された制御コマンドを受信／実行する機能、及び、スマートフォン２に通知する状態情報を送信／生成する機能を有している。本実施形態の核となるこれらの機能については、参照する図面を代えて後で詳述する。
【００８２】
なお、制御部１２０は、ＣＰＵ（Central Processing Unit）、ＲＯＭ（Read Only Memory）、ＲＡＭ（Random Access Memory）等を備えて構成されており、ＲＯＭ、ＲＡＭ等に記録されているプログラムをＣＰＵが実行することにより、上述した各機能を実現する。
【００８３】
電源部１１１は、上記各部に電力を供給する。電源部１１１の動作モードには、通常モードとスタンバイモードとがある。ここで、通常モードは、上述したブロックの全てに電力を供給する動作モードであり、スタンバイモードは、ＬＡＮインタフェース１１２及び制御部１２０のみに電力を供給する動作モードである。
【００８４】
（スマートフォンのハードウェア構成）
次に、スマートフォン２のハードウェア構成について、図３を参照して説明する。図３は、スマートフォン２のハードウェア構成を示すブロック図である。
【００８５】
スマートフォン２は、図２に示すように、タッチパネル２０１、タッチパネルコントローラ２０２、スピーカ２０３、アンプ２０４、無線ＬＡＮインタフェース２０５、無線ＬＡＮアンテナ２０６、マイク２０７、ＡＤＣ２０８、３Ｇインタフェース２０９、３Ｇアンテナ２１０、及び制御部２２０を備えている。
【００８６】
タッチパネルコントローラ２０２は、制御部２２０によって生成されたＧＵＩ（Graphical User Interface）を表示するようタッチパネル２０１を制御する。本実施形態において、制御部２２０は、テレビ１を操作するためのＧＵＩ要素（「ウィジェット」あるいは「コントロール」と呼称されることもある）により構成されたＧＵＩを生成する。ここで、ＧＵＩ要素とは、スイッチ、スライダ、ボタン、リスト、テキストフィールドなどのＧＵＩ部品のことを指す。また、タッチパネルコントローラ２０２は、タッチパネル２０１に表示されたＧＵＩ要素に対するユーザ操作（タップ操作やフリック操作など）を検出し、検出したユーザ操作の内容（どのＧＵＩ要素に対してどのようなユーザ操作が行われたか）を示す操作情報を制御部２２０に提供する。
【００８７】
アンプ２０４は、制御部２２０から供給された音声信号が表す音声を出力するようスピーカ２０３を駆動する。制御部２２０から供給される音声としては、通話音声に加えて、制御部２２０によって実行されるアプリケーションが生成する各種音声が挙げられる。タッチパネル２０１に表示されたＧＵＩ要素に対してユーザ操作が行われたときに、リモコンアプリケーションが生成する効果音もその一例である。
【００８８】
無線ＬＡＮインタフェース２０５は、無線ＬＡＮアンテナ２０６を用いて無線ルータ３との間でＩＥＥＥ８０２．１１シリーズに従った通信を行うための通信インタフェースである。テレビ１を遠隔操作するための通信、すなわち、制御コマンドの送信、及び、状態情報の受信は、この無線ＬＡＮインタフェース２０５によって行われる。制御部２２０は、無線ＬＡＮインタフェース２０５が受信した状態情報に応じて、タッチパネル２０１に表示するＧＵＩを切り換える。また、タッチパネル２０１に表示されたＧＵＩに対するユーザ操作に応じて、無線ＬＡＮインタフェース２０５を用いてテレビ１に送信するコマンドを生成する。
【００８９】
マイク２０７及びＡＤＣ２０８は、音声入力を行うための構成である。ユーザの声は、マイク２０７によって電気信号に変換され、更に、ＡＤＣ２０８によってデジタル信号に変換される。制御部２２０は、このデジタル信号を参照することによって音声通話機能及び文字入力機能を実現する。
【００９０】
３Ｇインタフェース２０９は、３Ｇアンテナ２１０を用いて基地局との間でＷ−ＣＤＭＡ又はＣＤＭＡ２０００に従った通信を行うための通信インタフェースである。回線事業者が提供するサービスであるデータ通信及び音声通話のための通信は、この３Ｇインタフェース２０９によって行われる。
【００９１】
なお、制御部２２０は、ＣＰＵ（Central Processing Unit）、ＲＯＭ（Read Only Memory）、ＲＡＭ（Random Access Memory）等を備えて構成されており、ＲＯＭ、ＲＡＭ等に記録されているプログラムをＣＰＵが実行することにより、スマートフォン２の各部を制御する。
【００９２】
（制御部の構成）
次に、テレビ１及びスマートフォン２の制御部１２０及び制御部２２０の機能のうち、本実施形態の核となる機能について、図４を参照して説明する。図４は、制御部１２０及び制御部２２０の機能構成を示した機能ブロック図である。
【００９３】
図４に示すように、テレビ１の制御部１２０は、状態制御部（状態切換手段）１２１及び状態通知部（状態通知手段）１２２として機能する。また、スマートフォン２の制御部２２０は、ＧＵＩ表示部（ＧＵＩ切換手段）２２１及びコマンド送信部（コマンド送信手段）２２２として機能する。これらは、以下のステップ１〜５を繰り返すことによって、テレビ１の状態をユーザ操作に応じた状態に順次遷移させつつ、スマートフォン２に表示されるＧＵＩをテレビ１の最新の状態に応じたＧＵＩに順次変化させる。
【００９４】
ステップ１：スマートフォン２において、タッチパネルコントローラ２０２は、タッチパネル２０１に表示されている第１のＧＵＩに対するユーザ操作を検出すると、検出したユーザ操作の内容（どのＧＵＩ要素に対してどのユーザ操作が行われたか）を示す操作情報をコマンド送信部２２２に提供する。
【００９５】
ステップ２：スマートフォン２において、コマンド送信部２２２は、タッチパネルコントローラ２０２から操作情報を取得すると、取得した操作情報に対応する制御コマンドを、無線ＬＡＮインタフェース２０５を介してテレビ１に送信する。
【００９６】
ステップ３：テレビ１において、状態制御部１２１は、ＬＡＮインタフェース１１２を介して制御コマンドを受信すると、受信した制御コマンドを実行する。すなわち、制御コマンドにより指定された制御対象部１３０を、制御コマンドにより指定された状態に遷移させる。
【００９７】
ステップ４：テレビ１において、状態通知部１２２は、制御対象部１３０の状態が遷移したことを検出すると、制御対象部１３０の遷移後の状態を示す状態情報を、ＬＡＮインタフェース１１２を介してスマートフォン２に送信する。
【００９８】
ステップ５：スマートフォン２において、ＧＵＩ表示部２２１は、無線ＬＡＮインタフェース２０５を介して状態情報を受信すると、タッチパネル２０１に表示するＧＵＩを、受信した状態情報に対応するＧＵＩに切り換えるよう、タッチパネルコントローラ２０２を制御する。
【００９９】
ここで、制御対象部１３０は、テレビ１に含まれるブロックのうち、制御コマンドにより指定されたブロックのことを指す。すなわち、例えば、制御コマンドが電源をスタンバイ状態に切り換えるものである場合には、制御対象部１３０＝電源部１１１であり、制御コマンドが表示対象チャンネルを切り換えるものである場合には、制御対象部１３０＝チューナ１０１である。
【０１００】
なお、上述したステップ２は、例えば、操作情報と制御コマンドとの対応関係を記載したルックアップテーブルを制御部２２０のＲＯＭ等に格納しておくことにより容易に実現することができる。この場合、コマンド送信部２２２は、このルックアップテーブルを参照することによって、送信すべき制御コマンドを特定することができる。
【０１０１】
また、上述したステップ５は、例えば、状態情報とＧＵＩとの対応関係を記載したルックアップテーブルを制御部２２０のＲＯＭ等に格納しておくことにより容易に実現することができる。この場合、ＧＵＩ表示部２２１は、このルックアップテーブルを参照することによって、表示すべきＧＵＩを特定することができる。
【０１０２】
〔リモコン機能の具体例〕
以下、スマートフォン２上で動作するリモコンアプリケーションの機能について、タッチパネル２０１に表示されるＧＵＩの具体例を参照しながら説明する。以下では、タッチパネル２０１に表示されるＧＵＩのことを、「画面」と記載することもある。
【０１０３】
（基本機能）
＜リモコントップ画面＞
まず、リモコンアプリケーションが起動時（２回目以降の起動時）に表示するリモコントップ画面について、図５を参照して説明する。図５は、リモコントップ画面の構成を示した図である。
【０１０４】
リモコントップ画面は、図５に示すように、上段、中段、及び下段の３つの領域に分割されている。画面上段には固定操作パネルが配置され、画面下段には表示切換タブが配置される。固定操作パネル及び表示切換タブは、リモコンアプリケーションが動作している間、表示され続ける固定的なＧＵＩである。一方、画面中段には、操作パネル、簡単ナビパネル、上下選局パネル、数字選局パネル、検索パネル、入力切換パネル、及びリンク操作パネルのうち、表示切換タブにて選択されたパネルが配置される。なお、図５において画面中段に配置されているパネルは、デフォルトの数字選局パネルである。
【０１０５】
＜固定操作パネル＞
次に、固定操作パネルの構成について、図６を参照して説明する。図６は、固定操作パネルの構成を示した図である。
【０１０６】
固定操作パネルには、図６に示すように、電源スイッチ、操作対象機器名、ボリュームダウンボタン、ボリュームアップボタン、及びホームページボタンが配置される。
【０１０７】
電源スイッチは、テレビ１の電源をＯＮ状態からスタンバイ状態へと、また、スタンバイ状態からＯＮ状態へと切り換えるためのスライド式トグルスイッチである。電源スイッチのスライド部分には、テレビ１の電源状態を示すインジケータ（ＯＮ状態では緑、スタンバイ状態では赤）が設けられている。
【０１０８】
テレビ１の電源がＯＮ状態であるときに、スライド部分を右にドラッグしてからリリースする操作が行われると、スマートフォン２は、電源をスタンバイ状態に切り換えることを指示する制御コマンドをテレビ１に送信する。そして、テレビ１から電源がスタンバイ状態へと切り換わったことが通知されると、スマートフォン２は、インジケータの表示色を緑色から赤色に切り換える。
【０１０９】
逆に、テレビ１の電源がスタンバイ状態であるときに、スライド部分を右にドラッグしてからリリースする操作が行われると、スマートフォン２は、電源をＯＮ状態に切り換えることを指示する制御コマンドをテレビ１に送信する。そして、テレビ１から電源がＯＮ状態へと切り換わったことが通知されると、スマートフォン２は、インジケータの表示色を赤色から緑色に切り換える。
【０１１０】
操作対象機器名は、操作対象となっているテレビ１のフレンドリネームを示すテキストである。操作対象機器名がタッチダウンされる（指を操作対象機器名の表示エリアに接触させる）と、スマートフォン２は、操作対象機器名の文字色を変更し、タッチアップ（指を操作対象機器名の表示エリアから離す）と、スマートフォン２は、後述する機器名選択画面に画面を遷移させる。
【０１１１】
ボリュームダウンボタンは、テレビ１のボリュームレベルを下げるためのボタンであり、ボリュームアップボタンは、テレビ１のボリュームを上げるためのボタンである。ボリュームダウンボタンがタップされると、スマートフォン２は、プログレスバー型の音量ゲージを表示すると共に、ボリュームレベルを１段階下げることを指示する制御コマンドをテレビ１に送信する。また、ボリュームダウンボタンがホールド（指をボリュームダウンボタンの表示エリアに所定の時間以上接触させ続ける）されると、スマートフォン２は、ミュート（ボリュームレベルを０にすること）を指示する制御コマンドをテレビ１に送信する。一方、ボリュームアップボタンがタップされると、スマートフォン２は、上述した音量ゲージを表示すると共に、ボリュームレベルを１段階上げることを指示する制御コマンドをテレビ１に送信する。なお、上述した音量ゲージは、ボリュームダウンボタン又はボリュームアップボタンがタップされてから所定の期間（例えば３秒間）だけ表示される。
【０１１２】
これらの制御コマンドに対するフィードバックとして、変更後のボリュームレベルがテレビ１から通知されると、スマートフォン２は、上述した音量ゲージの指示位置（ボリュームレベルを示すバーの右端の位置）を、通知されたボリュームレベルに応じたものに切り換える。また、音量ゲージの右端に表示するボリュームレベルを、通知されたボリュームレベルを示す数値に切り換える。
【０１１３】
なお、ホームページボタンをタップしたときの動作については、参照する図面を代えて後述する。
【０１１４】
＜表示切換タブ＞
次に、表示切換タブについて、図７〜８を参照して説明する。
【０１１５】
図７は、表示切換タブの構成を示す図である。図８は、表示切換タブの各領域をタップしたときに表示されるパネルを一覧した図である。
【０１１６】
表示切換タブは、上述したように、画面中段に表示するパネルを切り換えるためのタブである。表示切換タブは、図７に示すように、画面中段に表示可能なパネルの各々に対応する７つの領域に分割されている。例えば、１番左の領域をタップすると、当該領域がハイライトされると共に、画面中段に操作パネルが表示される。また、左から２番目の領域をタップすると、当該領域がハイライトされると共に、画面中段に簡単ナビパネルが表示される。他の領域をタップしたときに画面中段に表示されるパネルについては、図８を参照されたい。
【０１１７】
表示切換タブの横幅は、タッチパネル２０１の横幅よりも長く、タッチパネル２０１に表示切換タブ全体を表示することはできない。ただし、表示切換タブは、図７に示すように、左右にスクロールすることができる。表示切換タブをドラッグすれば、表示切換タブの表示位置がドラッグ方向にドラッグ量分だけ移動し、表示切換タグをフリックすれば、表示切換タブの表示位置がフリック方向に１ページ分だけ移動する。
【０１１８】
なお、表示切換タブを画面に表示する際には、画面端で見切れている領域にはボカシを入れる。これは、表示されていない領域が存在することが明らかにするための工夫である。なお、表示切換タグをフリックしても選択されている領域が変更されることはない。また、表示切換タグを端までフリックしても、表示切換タグがバウンドすることはない。また、表示切換タブの表示位置の初期値は、図７において点線で囲まれた領域がタッチパネル２０１に表示される位置である。
【０１１９】
＜リモコントップ画面からの画面遷移＞
次に、リモコントップ画面からの画面遷移について、図９を参照して説明する。図９は、リモコントップ画面からの画面遷移を示した画面遷移図である。
【０１２０】
リモコントップ画面９−ｂにおいて、ホームページボタンがタップされると、スマートフォン２は、予め定められたホームページ（図９においては「ＡＱＵＯＳ  Ｃｉｔｙ」）にアクセスすることを指示する制御コマンドをテレビ１に送信すると共に、間もなくテレビ１にてホームページが表示されることを通知するダイアログをリモコントップ画面上に表示する（画面９−ｃ）。そして、制御コマンドを送信してから２秒間経過するか、又は、テレビ１からホームページの表示が完了した旨の通知を受けると、スマートフォン２は、画面中段に表示するパネルを、十字ボタンモードの操作パネルに切り換える（画面９−ｄ）。これにより、テレビ１に表示されたホームページにおいて、カーソル移動操作が行える状態になる。
【０１２１】
なお、本実施形態において、スマートフォン２は、制御コマンドに対するテレビ１からの応答（制御コマンドにより指定された処理の実行が完了した旨の通知）を待ち受ける待機時間を２秒間とし、この待機時間が経過してもなおテレビ１からの応答が得られない場合に処理を進める（ＧＵＩを次に遷移させる）構成としているが、この待機時間は２秒間に限定されない。すなわち、この待機時間は、予め定められた任意の時間であってよく、例えば、１秒間であってもよいし、３秒間であってもよい。以下の説明においても、「２秒間」という限定は例示であり、予め定められた任意の時間に変更し得る。
【０１２２】
また、リモコントップ画面９−ｂにおいて、数字選局パネルに設けられた番組表ボタンがタップされると、スマートフォン２は、電子番組表の表示を指示する制御コマンドをテレビ１に送信すると共に、間もなくテレビ１にて電子番組表が表示されることを通知するダイアログをリモコントップ画面上に表示する（画面９−ｅ）。そして、制御コマンドを送信してから２秒間経過するか、又は、テレビ１から電子番組表の表示が完了した旨の通知を受けると、スマートフォン２は、画面中段に表示するパネルを、十字ボタンモードの操作パネルに切り換える（画面９−ｄ）。これにより、テレビ１に表示された電子番組表において、カーソル移動操作が行える状態になる。
【０１２３】
なお、リモコンアプリケーションの２回目以降の起動時には、リモコントップ画面９−ｂが表示されるが、リモコンアプリケーションの初回起動時には、機器選択画面９−ａが表示される。この機器選択画面９−ａは、操作対象とするテレビをユーザに選択させるための画面であり、ＬＡＮに接続されたテレビの機器名のリストを含む。このリストにおいてテレビ１の機器名が選択されると、スマートフォン２は、操作対象をテレビ１に設定したうえで、画面を機器選択画面９−ａからリモコントップ画面９−ｂに切り換えた、リモコントップ画面９−ｂの固定操作パネルに、テレビ１の機器名を操作対象機器名として表示する。
【０１２４】
また、リモコントップ画面９−ｂを表示しているときに、固定操作パネルの操作対象機器名がタッチダウン／タッチアップされると、上述したとおり、スマートフォン２は、画面をリモコントップ画面９−ｂから機器選択画面９−ａに遷移させる。これにより、ユーザは、操作対象とするテレビ１を再選択することが可能になる。この際、テレビ１を再選択することなくバックボタンをタップすれば、操作対象とするテレビ１を変更することなく、リモコントップ画面９−ｂに戻ることができる。
【０１２５】
なお、リモコンアプリケーションの２回目以降の起動時に、操作対象として設定されているテレビ１をＬＡＮ内で発見できなかった場合、スマートフォン２は、図１０に示すように、操作対象とするテレビ１が発見できなかったことを通知するダイアログをリモコントップ画面上に表示する。このダイアログにおいてユーザが「ＯＫ」をタップすると、スマートフォン２は、画面を機器選択画面９−ａに切り換える。
【０１２６】
＜数字選局パネル＞
次に、数字選局パネルについて、図１１〜図１２及び図１５〜１６を参照して説明する。
【０１２７】
図１１は、３つのモードにおける数字選局パネルの構成を示す図である。これら３つのモードは、図１１に示すように、タブをタップすることにより、又は、左右方向へのフリックにより切り換えられる。
【０１２８】
地上Ｄモードの数字選局パネル１１−ａは、地上波デジタル放送のチャンネルを選局するためのパネルであり、図１１に示すように、１２個のチャンネルボタンにより構成されている。チャンネルボタンがタップされると、スマートフォン２は、タップされたチャンネルボタンに対応するチャンネルを選局することを指示する制御コマンドをテレビ１に送信する。
【０１２９】
地上Ｄモードの数字選局パネル１１−ａにおいて注目すべきは、図１１に示すように、各チャンネルボタンに対応する放送局名が表示されている点である。図１２に示すように、スマートフォン２は、数字選局パネルが選択される度に、テレビ１からチャンネルリストを取得する。このチャンネルリストには、チャンネルと放送局名との対応関係が登録されており、スマートフォン２は、これを参照することによって、各チャンネルボタンに対応する放送局名を特定し、特定した放送局名をそのチャンネルボタンに表示する。
【０１３０】
なお、ここでは、数字選局パネルが選択される度にスマートフォン２がテレビ１からチャンネルリストを取得する構成を採用しているが、スマートフォン２がチャンネルリストを取得するタイミングはこれに限定されない。すなわち、例えば、何らかの理由でチャンネルリストが更新される度にテレビ１がスマートフォン２にチャンネルリストが更新された旨を通知し、この通知を受ける度にスマートフォン２がテレビ１からチャンネルリストを取得する構成を採用してもよい。
【０１３１】
ＢＳモードの数字選局パネル１１−ｂは、ＢＳ放送のチャンネルを選局するためのパネルであり、２４個のチャンネルボタンとページ送り／戻しボタンとにより構成されている。これら２４個のチャンネルボタンは、１ページに１２個ずつ２ページに亘って配置される。１ページ目には、１〜１２チャンネルに対応する１２個のボタンと共にページ送りボタンが配置され、２ページ目には、１３〜２４チャンネルに対応する１２個のボタンと共にページ戻しボタンが配置されることになる。図１１には、１ページ目が表示された状態が示されている。図１５に示すように、１ページ目が表示された状態でページ送りボタン（図１５においては、「１３〜２４へ」ボタン）がタップされると、表示対象ページが１ページ目から２ページ目に切り換わる。また、２ページ目が表示された状態でページ戻しボタン（図１５においては、「１〜１２へ」ボタン）がタップされると、表示対象ページが２ページ目から１ページ目に切り換わる。図１５に示すとおり、上下方向へのフリック操作によっても、これらのページを切り換えることができる。
【０１３２】
ＣＳモードの数字選局パネル１１−ｃは、ＣＳ放送のチャンネルを選局するためのパネルであり、図１１に示すように、各チャンネルに対応するリスト項目からなるリストにより構成されている。リスト項目がタップされると、スマートフォン２は、タップされたリスト項目に対応するチャンネルを選局することを指示する制御コマンドをテレビ１に送信する。ＣＳモードの数字選局パネル１１−ｃがリストにより構成されているのは、ＣＳ放送は地上デジタル放送やＢＳ放送よりもチャンネル数が多いので、スクロール可能なリストを用いた方が選局操作が容易になるためである。このリストのスクロールは、図１６に示すように、上下方向へのフリック操作又はドラッグ操作によって行うことができる。
【０１３３】
＜上下選局パネル＞
次に、上下選局パネルについて、図１３〜図１４を参照して説明する。
【０１３４】
図１３は、３つのモードにおける上下選局パネルの構成を示す図である。これら３つのモードは、図１３に示すように、タブをタップすることにより、又は、左右方向へのフリックにより切り換えられる。
【０１３５】
上下選局パネル１３−ａ〜１３−ｃは、何れのモードにおいても、チャンネルアップボタンとチャンネルダウンボタンとにより構成される。チャンネルアップボタンがタップされると、スマートフォン２は、現在選局されているチャンネルよりも１つ上のチャンネルを選局することを指示する制御コマンドをテレビ１に送信する。一方、チャンネルダウンボタンがタップされると、スマートフォン２は、現在選局されているチャンネルよりも１つ下のチャンネルを選局することを指示する制御コマンドをテレビ１に送信する。
【０１３６】
上下選局パネル１３−ａ〜１３−ｃにおいて注目すべきは、図１３に示すように、現在選局されているチャンネルに対応する放送局名が表示されている点である。図１４に示すように、スマートフォン２は、選局操作が行われる度に、テレビ１から現在選局されているチャンネルとチャンネルリストとを取得する。スマートフォン２は、チャンネルリストを参照することによって、現在選択されているチャンネルに対応する放送局名を特定し、特定した放送局名を上下選局パネル１３−ａ〜１３−ｃに表示する。この際、現在選択されているチャンネルの周辺のチャンネルに対応する放送局名を併せて特定し、図１４に示すように、これらの放送局名も上下選局パネル１３−ａ〜１３−ｃに表示するようにしてもよい。
【０１３７】
なお、ここでは、選局操作が行われる度にスマートフォン２がテレビ１からチャンネルリスト及びチャンネル情報（現在選局されているチャンネルを示す情報）を取得する構成を採用しているが、スマートフォン２がチャンネルリスト及びチャンネル情報を取得するタイミングはこれに限定されない。すなわち、例えば、何らかの理由でチャンネルリストが更新されるか、又は、選局されているチャンネルが変更される度にテレビ１がスマートフォン２にチャンネルリスト又はチャンネル情報が更新された旨を通知し、この通知を受ける度にスマートフォン２がテレビ１からチャンネルリスト及びチャンネル情報を取得する構成を採用してもよい。
【０１３８】
選局操作が行われる度にテレビ１からチャンネル情報が提供される場合、スマートフォン２は、このチャンネル情報をチャンネルボタンの重複タップを防止するために利用することもできる。すなわち、例えば、スマートフォン２は、通知されたチャンネル情報に対応するチャンネルボタンのタップ操作を無効とすることによって、既に選局されているチャンネルが再度選局されないようにする。このような構成を採用すれば、チャンネルを切り換えるための制御コマンドの無駄な送信を避けることができる。
【０１３９】
（機器選択機能）
リモコンアプリケーションには、複数のテレビをテレビリストに登録することができ、テレビリストからユーザが選択した任意のテレビを操作対象とすることができる。ここでは、テレビをテレビリストに登録する方法やテレビをテレビリストから削除する方法などについて説明する。なお、本項では、ＬＡＮに接続された複数のテレビを想定するため、テレビについては符号を付さずに記載する。
【０１４０】
まず、リモコンアプリケーションを最初に起動した際のスマートフォン２の動作を、図１７を参照して説明する。
【０１４１】
リモコンアプリケーションを起動すると、スマートフォン２は、ＬＡＮに接続されたテレビ（特にリモコンアプリケーションに対応したテレビ）を検索する。テレビの検索を行っている間、スマートフォン２は、プログレス画面１７−ａを表示する。ＬＡＮに接続されたテレビを発見できた場合、スマートフォン２は、発見したテレビをテレビリストに登録する。そして、テレビリストに登録されたテレビの機器名（フレンドリネームであってもよい）をリスト項目とするリストである機器選択画面１７−ｂを表示する。ＬＡＮに接続されたテレビを発見できなかった場合、スマートフォン２は、操作対象となるテレビが発見できない旨のメッセージと共に、再検索を行うか否かをユーザに問うダイアログ画面１７−ｃを表示する。この問いに対してユーザが再検索を行うことを指示すると、スマートフォン２は、再びＬＡＮに接続されたテレビを検索し、上述した処理を繰り返す。一方、この問いに対してユーザが再検索を行わないことを指示すると、スマートフォン２は、リモコンアプリケーションを終了する。
【０１４２】
次に、リモコンアプリケーションを２回目以降に起動した際のスマートフォン２の動作を、図１８を参照して説明する。
【０１４３】
リモコンアプリケーションを起動すると、スマートフォン２は、既にテレビリストに登録されたテレビの機器名をリスト項目とするリストを含む機器選択画面１８−ａを表示する。この際、操作対象として前回選択されたテレビの機器名を強調表示する。また、この際、既にテレビリストに登録されたテレビのうち、ＬＡＮに接続されていないテレビの機器名をグレーアウト表示する。そして、機器選択画面１８−ａにおいて、ＬＡＮに接続されていないテレビに対応するリスト項目がタップされると、スマートフォン２は、再検索を行うか否かを問うポップアップダイアログを機器選択画面１８−ｂ上に表示する。この問いに対してユーザが再検索を行うことを指示すると、スマートフォン２は、選択されたリスト項目に対応するテレビをＬＡＮにおいて検索し、図１７に示した処理を繰り返す。
【０１４４】
次に、機器選択画面から操作対象とするテレビを選択する際のスマートフォン２の動作を、図１９を参照して説明する。
【０１４５】
機器選択画面１９−ａにおいて、何れかのリスト項目がタップされると、スマートフォン２は、タップされたリスト項目に対応するテレビを操作対象とすることの可否を問うポップアップダイアログを機器選択画面１９−ｂ上に表示する。この問いに対してユーザが許可する旨を指示すると、スマートフォン２は、そのテレビを操作対象とした上でリモコントップ画面１９−ｃを表示する。
【０１４６】
なお、意図しない操作がなされることを避けるために、テレビがスマートフォン２を認証する構成を採用してもよい。この場合のスマートフォン２の動作を図２０に示す。
【０１４７】
機器選択画面２０−ａにおいて、何れかのリスト項目がタップされると、スマートフォン２は、タップされたリスト項目に対応するテレビを操作対象とすることの可否を問うポップアップダイアログを機器選択画面２０−ｂ上に表示する。この問いに対してユーザが許可する旨を指示すると、スマートフォン２は、認証画面２０−ｃを表示する。認証画面２０−ｃには、ログインＩＤを入力するためのテキストフィールドとパスワードを入力するためのテキストフィールドが含まれている。認証画面２０−ｃのログインボタンがタップされると、スマートフォン２は、入力されたログインＩＤとパスワードとをテレビに通知する。ログインの可否がテレビから通知されるまでの間、スマートフォン２は、プログレス画面２０−ｄを表示する。そして、テレビからログインを許可する旨の通知を取得した場合、スマートフォン２は、そのテレビを操作対象とした上でリモコントップ画面２０−ｅを表示する。また、テレビからログインを許可しない旨の通知を取得した場合、スマートフォン２は、その旨を通知するダイアログ画面２０−ｆを表示する。
【０１４８】
上述した再検索は、起動時に限らず、所望の時点で行うことができる。
【０１４９】
ユーザが指示した時点で再検索を行う際のスマートフォン２の動作について、図２１を参照して説明する。
【０１５０】
機器選択画面２１−ａの右下には、点線で囲んで示した再検索ボタンが設けられている。この再検索ボタンがタップされると、スマートフォン２は、再びＬＡＮに含まれるテレビを検索する。検索を行っている間、スマートフォン２は、機器選択画面２１−ｂ上に検索中であることを示すポップアップダイアログを表示する。検索が完了すると、スマートフォン２は、既にテレビリストに登録されているテレビと新たな検索で発見されたテレビとを比較し、表示するリストを更新する。具体的に言うと、（１）テレビリストに登録されており、かつ、新たな検索で発見できなかった機器の機器名をグレーアウト表示し、（２）機器名をグレーアウト表示にしたテレビが操作対象として選択されている場合には選択を解除し、（３）テレビリストに登録されておらず、かつ、新たな検索で発見されたテレビの機器名をリストの末尾に追加する。
【０１５１】
なお、機器選択画面の表示中、スマートフォン２は、機器名がグレーアウト表示されているテレビがＬＡＮに接続されたことを検出すると、図２２に示すように、そのテレビの機器名のグレーアウト表示を解除することによって、そのテレビを操作対象として選択し得ることをユーザに通知する。
【０１５２】
テレビリストに登録されたテレビの機器名を編集する際のスマートフォン２の動作を、図２３、図２４、及び図２６を参照して説明する。
【０１５３】
図２３の（ａ）に示すように、機器選択画面２３−ａにおいて、リスト項目がホールドされると、スマートフォン２は、機器選択画面２３−ｂ上にポップアップメニューを表示する。このポップアップメニューには、機器名変更、機器名初期化、及び機器削除の各メニュー項目が含まれる。ただし、ホールドされたリスト項目に対応するテレビがＬＡＮに接続されていない場合、機器削除のみが選択可能であり、選択不可能な残り２つのメニュー項目は、図２３（ｂ）に示すようにグレーアウト表示される。
【０１５４】
このポップアップメニューにおいて、機器名変更がタップされると、スマートフォン２は、機器名入力画面２３−ｃを表示する。機器名編集画面２３−ｃには、テキストフィールドとソフトウェアキーボードが含まれている（テキストフィールドには、編集前の機器名が初期値として入力されている）。ユーザは、ソフトウェアキーボードを用いて、所望の機器名をテキストフィールドに入力することができる。
【０１５５】
テキストフィールドに新機器名が入力された状態（機器名編集画面２３−ｄ）でソフトウェアキーボードの確定キーがタップされると、スマートフォン２は、機器名を新機器名に変更することの可否を問うダイアログを機器名編集画面２３−ｅ上に表示する。
【０１５６】
このダイアログにおいて可が選択されると、スマートフォン２は、機器名を新機器名に変更することを指示する制御コマンドをテレビに送信する。テレビは、この制御コマンドに従って自装置の機器名を新機器名に変更し、自装置の機器名が新機器名に変更されたことをスマートフォン２に通知する。スマートフォン２は、この通知をトリガーとして、機器名選択画面２３−ｆに表示する機器名を新機器に変更する。図２４は、この流れを模式的に示したものである。
【０１５７】
一方、テキストフィールドに機器名が入力されていない状態（機器名編集画面２３−ｇ）でソフトウェアキーボードの確定キーがタップされると、スマートフォン２は、機器名を初期化することの可否を問うダイアログを機器名編集画面２３−ｈ上に表示する。
【０１５８】
このダイアログにおいて可が選択されると、スマートフォン２は、機器名を初期化することを指示する制御コマンドをテレビに送信する。テレビは、この制御コマンドに従って自装置の機器名を初期値（例えば、テレビのフレンドリネーム）に戻し、自装置の機器名が初期値に戻ったことをスマートフォン２に通知する。スマートフォン２は、この通知をトリガーとして、機器名選択画面２３−ｉに表示する機器名を初期値に変更する。
【０１５９】
なお、機器名の編集中にテレビがＬＡＮから外れたときには、図２６に示すように、ポップアップダイアログを表示した後、機器名をグレーアウト表示に変える。
【０１６０】
次に、テレビリストに登録されたテレビの機器名を初期化する際のスマートフォン２の動作を、図２５を参照して説明する。
【０１６１】
機器選択画面２５−ａにおいて、リスト項目がホールドされると、スマートフォン２は、機器選択画面２５−ｂ上にポップアップメニューを表示する。上述したとおり、このポップアップメニューには、機器名変更、機器名初期化、及び機器削除の各メニュー項目が含まれる。
【０１６２】
このポップアップメニューにおいて、機器名初期化がタップされると、スマートフォン２は、機器名を初期化することを指示する制御コマンドをテレビに送信すると共に、機器名を初期化中であることを示すポップアップダイアログを機器選択画面２５−ｃ上に表示する。テレビは、この制御コマンドに従って自装置の機器名を初期値（例えば、テレビのフレンドリネーム）に戻し、自装置の機器名が初期値に戻ったことをスマートフォン２に通知する。スマートフォン２は、この通知をトリガーとして、機器名選択画面２５−ｄに表示する機器名を初期値に変更する。
【０１６３】
次に、テレビリストからテレビを削除する際のスマートフォン２の動作を、図２７を参照して説明する。
【０１６４】
図２７の（ａ）に示すように、機器選択画面において、リスト項目がホールドされると、スマートフォン２は、機器選択画面上にポップアップメニューを表示する。このポップアップメニューにおいて、機器削除がタップされると、スマートフォン２は、ホールドされたリスト項目に対応するテレビをテレビリストから削除する。また、機器選択画面からのホールドされたリスト項目を削除し、削除したリスト項目よりも下に配置されていたリスト項目を繰り上げて配置する。なお、スマートフォン２は、テレビリストから全てのテレビが削除されると、図２７（ｂ）に示すダイアログ画面を表示して再検索を促す。
【０１６５】
なお、機器選択画面において、「ＡＱＵＯＳ  Ｒｅｍｏｔｅ」というロゴがホールドされると、スマートフォン２は、図２８に示すようにデモ画面を表示する。
【０１６６】
（キーワード検索機能）
本発明のスマートフォン２におけるキーワード検索（シームレス検索）機能について図２９から図３２を参照して説明する。図２９は、スマートフォン２におけるキーワード検索機能の流れの一例を示す画面遷移図である。
【０１６７】
図２９に示すように、すでにスマートフォン２の画面に、テレビ１を操作するための画面２９−ａ（リモコントップ画面）が表示されているとする。画面２９−ａにおいて、ユーザが画面下部の「検索」タブを選択すると、スマートフォン２は、画面を、画面２９−ｂ（検索画面）に切り換える。画面２９−ｂにおいて、ユーザが「キーワード入力」を選択すると、スマートフォン２は、画面を、画面２９−ｃに切り換える。画面２９−ｃにおける文字入力の方法については、（文字入力について）にて詳細に説明する。
【０１６８】
画面２９−ｃにて、ユーザが検索したい文字列（検索文字列）を入力し、「確定」を選択すると、スマートフォン２は、画面を画面２９−ｂに切り換える。このとき、確定した文字列が、文字入力枠３０１に表示される。
【０１６９】
また、画面２９−ｃにて、ユーザが［ＢＡＣＫ］キーを押下すると、スマートフォン２の画面は、画面２９−ｂに戻る。
【０１７０】
ユーザが検索文字列を確定後、画面２９−ｂにて、４つのボタン（「インターネットを検索する」、「ＶＯＤタイトルを検索する」、「番組表を検索する」および「録画タイトルを検索する」）の何れかを押下すると、スマートフォン２は、テレビ１に対し、検索を指示するコマンドを検索文字列とともに送信する。また、スマートフォン２の画面は、検索結果をテレビ１に表示していることを示すメッセージを表示した画面を表示する（画面２９−ｄ）。ここで、「インターネットを検索する」とは、ウェブサーバに蓄積されたウェブコンテンツから検索文字列に合致するコンテンツを検索することを示している。また、「ＶＯＤタイトルを検索する」とは、ＶＯＤサーバに蓄積されたＶＯＤコンテンツから検索文字列に合致するコンテンツを検索することを示している。また、「番組表を検索する」とは、電子番組表に掲載された放送番組から検索文字列に合致するコンテンツを検索することを示している。また、「録画タイトルを検索する」とは、テレビ１又はテレビ１に接続されたレコーダに記録された録画コンテンツから検索文字列に合致するコンテンツを検索することを示している。
【０１７１】
テレビ１は、スマートフォン２からのコマンドを受信すると、各コンテンツに対し検索文字列を検索し、検索結果を表示する（画面２９−ｆ）。ここで、画面２９−ｆの例を、図３０に示す。
【０１７２】
図３０の（ａ）〜（ｄ）は、検索文字列を検索したときの検索結果を表示したテレビ１の画面の一例を示す図である。（ａ）は、ユーザが「録画タイトルを検索する」を選択したときの、テレビ１の検索結果の画面例である。また、（ｂ）は、ユーザが「ＶＯＤタイトルを検索する」を選択したときの、テレビ１の検索結果の画面例である。また、（ｃ）は、ユーザが「インターネットを検索する」を選択したときの、テレビ１の検索結果の画面例である。また、（ｄ）は、ユーザが「番組表を検索する」を選択したときの、テレビ１の検索結果の画面例である。このようにテレビ１には、各コンテンツに対し検索文字列を検索した時の検索結果が表示される。
【０１７３】
その後、テレビ１がスマートフォン２に対し、検索結果の表示が完了した旨を通知する、または、スマートフォン２が図２９に示す画面２９−ｄを表示してから２秒経過すると、スマートフォン２は、キーワード検索を終了し、画面２９−ｅに画面を切り換える。画面２９−ｅは、「十字ボタン」モードの操作パネルである。
【０１７４】
なお、その後、ユーザが画面下部の何れかのタブを選択することにより、スマートフォン２が画面を操作パネル以外に切り換えた場合であっても、テレビ１に表示された検索結果画面は終了しない。
【０１７５】
画面２９−ｅにおいて、ユーザがテレビ１に表示された検索結果の中から、該当するコンテンツを選択し、「決定」を押下すると、テレビ１は、選択されたコンテンツを表示する（画面２９−ｇ）。その後、スマートフォン２は、テレビ１からの指示に従って、画面の表示を切り換える。
【０１７６】
なお、ユーザが検索文字列を入力していない場合、４つのボタンは、グレーアウト表示され、使用不可であることを示す。
【０１７７】
なお、検索文字列は、音声入力によって入力することも可能である。図３１は、音声入力による検索文字列入力の流れを示す画面遷移図である。
【０１７８】
図３１に示すように、ユーザが画面３１−ａにおいて、音声入力を選択すると、スマートフォン２は音声入力を行う画面３１−ｂ（音声入力画面）に画面を切り換える。ユーザがスマートフォン２に向かって音声を入力すると、スマートフォン２は、音声を解析し、ユーザが入力した音声の候補を一覧表示した画面（画面３１−ｃ）を表示する。ユーザが入力した音声が画面３１−ｃに表示されていない場合、ユーザが再入力ボタンを押下することにより、スマートフォン２の画面は、音声入力画面に戻る。
【０１７９】
画面３１−ｃにおいて、ユーザが文字列を選択すると、スマートフォン２は、文字入力枠３０１に選択された文字列が表示された画面３１−ｄに遷移する。例えば、画面３１−ｃにおいて、ユーザが「ドラマ」を選択した場合、画面３１−ｄに示すように、文字入力枠３０１に「ドラマ」が表示される。
【０１８０】
このように、検索文字列は、音声入力によって入力することも可能である。
【０１８１】
次に、ユーザが検索文字列を入力せずに、４つのボタンのいずれかを押下した時の流れについて図３２を参照して説明する。図３２は、検索文字列が入力されていないときのキーワード検索機能の流れの一例を示す画面遷移図である。
【０１８２】
図３２に示すように、画面３２−ａにおいて、ユーザが検索文字列を入力せずに４つのボタンのいずれかを押下したとき、スマートフォン２は、検索文字列が入力されていない旨のメッセージを表示する。例えば、画面３２−ｂのように「検索キーワードが未入力です」というメッセージを表示する。なお、表示するメッセージはこれに限定されない。
【０１８３】
スマートフォン２は、画面３２−ｂを表示してから３秒経過後、画面３２−ｃに画面を切り換える。
【０１８４】
（入力切換機能）
テレビ１には、複数のソース機器が接続されており、テレビ１は、これらのソース機器から供給される映像を表示することができる。また、スマートフォン２は、入力ソースとして選択するソース機器の切り換えをテレビ１に指示し、入力ソースとして選択されたソース機器をテレビ１を介して操作することができる。
【０１８５】
スマートフォン２を用いたソース機器の切り換えについて、図３３〜３４を参照して説明する。
【０１８６】
図３３は、スマートフォン２を用いたソース機器の切り換えの概要を示す図である。
【０１８７】
表示切換タブの入力切換領域がタップされると、スマートフォン２は、テレビ１に接続されたソース機器のリストである入力機器リスト（データ）をテレビに要求する。これに応じて、テレビ１は、入力機器リスト（データ）を生成し、生成した入力機器リスト（データ）をスマートフォン２に提供する。
【０１８８】
スマートフォン２は、入力機器リスト（データ）の取得をトリガーとして、画面に表示するパネルを入力切換パネルに切り換える。入力切換パネルは、テレビ１に接続されたソース機器の機器名をリスト項目とするリスト（ＧＵＩ要素）であり、スマートフォン２は、テレビ１から取得した入力機器リスト（データ）を参照してこれを生成する。
【０１８９】
入力切換パネルに含まれる何れかのリスト項目がタップされると、スマートフォン２は、そのリスト項目に対応するソース機器を入力ソースとして選択することを指示する制御コマンドをテレビ１に送信する。この制御コマンドに従って、テレビ１は、ソース機器を選択した後、選択したソース機器をスマートフォン２に通知する。
【０１９０】
スマートフォン２は、テレビ１からの通知をトリガーとして、画面に表示するパネルを入力切換パネルからリンク操作パネルに切り換える。リンク操作パネルは、テレビ１から通知されたソース機器の操作に特化した操作パネルである。
【０１９１】
図３４は、リンク操作パネルを例示した図である。左から、レコーダ用、ＵＳＢ−ＨＤＤ／内蔵ＢＤ用、プレーヤ／ＶＯＤ／ＤＬＮＡビデオ用、携帯電話端末用のリンク操作パネルである。例えば、テレビから入力ソースとしてレコーダを選択したことが通知された場合、スマートフォン２は、レコーダの操作に特化したリンク操作パネルとして、レコーダ用のリンク操作パネルを表示する。
【０１９２】
リンク操作パネルには、対応するソース機器を操作するための各種ボタンが設けられている。例えば、レコーダ用のリンク操作パネルには、録画ボタンが設けられており、このボタンがタップされると、スマートフォン２は、録画の開始を指示する制御コマンドをテレビ１に送信する。テレビ１は、この制御コマンドをＣＥＣコマンドに変換して、ＨＤＭＩ接続されたレコーダに送信する。
【０１９３】
次に、ソース機器のファミリンク操作について、図３５を用いて説明する。ここで、ファミリンク操作とは、ソース機器を操作するための操作パネル（以下、「ファミリンクパネル」と記載）をテレビ１のディスプレイに表示し、このファミリンクパネルをリモコンで操作することにより、ソース機器の制御を行う操作態様のことを指す。
【０１９４】
リンク操作パネルに設けられたファミリンクボタンがタップされると、スマートフォン２は、ファミリンクパネルの表示を指示する制御コマンドをテレビ１に送信すると共に、ファミリンク操作を開始する旨のポップアップメッセージをリンク操作パネル上に表示する。テレビ１は、スマートフォン２から送信された制御コマンドに従って、ファミリンクパネルの表示を開始すると共に、ファミリンクパネルの表示を開始した旨をスマートフォン２に通知する。スマートフォン２は、この通知をトリガーとして、画面に表示するパネルを十字ボタンモードの操作パネルに切り換える。これにより、赤外線リモコンを用いてファミリンクパネルを操作するのと同様の感覚で、スマートフォン２を用いてファミリンクパネルを操作することができる。
【０１９５】
次に、テレビ１が表示する機器選択画面を用いたソース機器の選択について、図３６を用いて説明する。
【０１９６】
リンク操作パネルに設けられた機器選択ボタンがタップされると、スマートフォン２は、機器選択画面の表示を指示する制御コマンドをテレビ１に送信すると共に、機器選択操作を開始する旨のポップアップメッセージをリンク操作パネル上に表示する。テレビ１は、スマートフォン２から送信された制御コマンドに従って、機器選択画面の表示を開始すると共に、機器選択画面の表示を開始した旨をスマートフォン２に通知する。スマートフォン２は、この通知をトリガーとして、画面に表示するパネルを十字ボタンモードの操作パネルに切り換える。これにより、赤外線リモコンを用いて機器選択画面を操作するのと同様の感覚で、スマートフォン２を用いて機器選択画面を操作することができる。
【０１９７】
次に、上述した入力切換パネルについて、図３７を参照して説明する。
【０１９８】
入力切換パネルは、各ページに４つのリスト項目を含むマルチページのリストであり、リスト項目の下方に設けられたページ送りボタン／ページ戻しボタンをタップすることにより、表示するページを切り換えることができる。なお、スマートフォン２は、できるだけ無駄なページ切換が生じないよう、どのページを表示するときでも、空白を生じさせることなく４つのリスト項目を表示する。例えば、リスト項目が６つある場合、１ページには１番目から４番目までのリスト項目を表示し、２ページには３番目から６番目までのリスト項目を表示する。この場合、３番目及び４番目のリスト項目がどちらのページからでもアクセスできるようになるため、３番目及び４番目のリスト項目を選択するためにページ切換を行う必要がなくなる。
【０１９９】
なお、ここでは、入力切換パネルをマルチページのリストとしたが、これに限定されるものではない。すなわち、図３８に示すように、入力切換パネルをフリック又はドラッグ操作によってスクロール可能なリストとしてもよい。
【０２００】
（簡単ナビ機能）
本発明のスマートフォン２における簡単ナビ機能について図３９から図４２を参照して説明する。図３９は、スマートフォン２における簡単ナビ機能の流れの一例を示す画面である。
【０２０１】
図３９に示すように、スマートフォン２の画面３９−ａ（簡単ナビ）において、ユーザが「チャンネル」を選択すると、スマートフォン２には、「チャンネル」の詳細な処理内容（簡単ナビの第２階層）が表示される（画面３９−ｂ）。画面３９−ｂにおいて、「チャンネル」を再度選択すると、スマートフォン２には、再度、画面３９−ａが表示される。
【０２０２】
ここで、画面３９−ｂにおいて、「チャンネル」の右側に表示されている上向き三角が表示されているが、これは、当該上向き三角が表示されている項目の第２階層を表示しない（閉じる）ことを示す。一方、画面３９−ａにおいて、「チャンネル」の右側に表示されている下向き三角は、当該下向き三角が表示されている項目の第２階層を表示する（開く）ことを示す。
【０２０３】
図４０（ａ）に、簡単ナビ機能で画面に表示される項目の一例を示す。ここでは、簡単ナビの初期画面に表示される項目を第１階層の項目とよび、第１階層の項目を選択することで表示される項目を第２階層の項目と呼ぶ。簡単ナビで画面に表示される項目は、図４０（ａ）に示すような項目である。なお、第１階層の各項目には、項目名の左側にアイコンが表示され、第２階層の項目には、アイコンが表示されない。
【０２０４】
ここで、画面３９−ｂの状態で、ユーザが画面下部のタブを選択することによってスマートフォン２が、他の画面（例えば、操作パネル）に画面を切り換えた後に、再度、ユーザが簡単ナビを選択すると、スマートフォン２の画面は、前回の表示状態を維持する。つまり、スマートフォン２には、画面３９−ａではなく、画面３９−ｂが表示される。
【０２０５】
次に、画面３９−ｂにおいて、ユーザが「番組表を使う」を選択すると、スマートフォン２は、テレビ１に対し、番組表を表示する旨のコマンドを送信する。また、スマートフォン２は、簡単ナビをテレビ１に表示していることを示すメッセージを画面に表示する（画面３９−ｃ）。
【０２０６】
その後、テレビ１は、画面３９−ｅのように番組表を表示する。テレビ１がスマートフォン２に対し番組表を表示した旨を通知する、または、スマートフォン２が画面３９−ｃを表示してから２秒経過すると、スマートフォン２は、簡単ナビを終了し、画面３９−ｄ（「十字ボタン」モードの操作パネル）を表示する。
【０２０７】
図４０（ｂ）に、簡単ナビで表示される項目に対し、テレビ１に表示される画面およびスマートフォン２に表示される画面の一例を示す。
【０２０８】
図４０（ｂ）に示すように、テレビ１は、項目に対応するコンテンツの一覧（例えば、番組表）が表示される。また、テレビ１にコンテンツの一覧が表示された場合、スマートフォン２には、「十字ボタン」モードの操作パネルが表示される。また、「キーワードで番組を探す」が選択された場合、スマートフォン２は、検索画面を表示する。また、「ファミリンク機能を使う」が選択された場合、スマートフォン２は、ファミリンク画面を表示する。なお、簡単ナビに表示される項目はこれに限定されない。
【０２０９】
なお、スマートフォン２の１画面で、簡単ナビのすべての項目が表示されるわけではない。そのため、図４１に、簡単ナビの複数の項目の表示例を示す。
【０２１０】
図４１に示すように、スマートフォン２は、簡単ナビの項目を選択するためのＧＵＩ要素であるリストを表示する。このリストに表示される簡単ナビの項目は、一部分ずつ、複数のページにわたって表示される（画面４１−ａ）。画面４１−ａでは、簡単ナビの項目が４項目がリストで表示されているが、表示される項目数はこれに限定されない。また、項目の下には前のページを表示させるための「前ページ」ボタンと、次のページを表示させるための「次ページ」ボタンが表示される。画面４１−ａのように、表示された画面が、先頭ページである場合、「前ページ」ボタンは、グレーアウト表示され、使用不可であることを示す。
【０２１１】
画面４１−ａにて、ユーザが「次ページ」を選択すると、スマートフォン２は、次の４項目を表示する（画面４１−ｂ）。画面４１−ｂにて、ユーザが「前ページ」を選択すると、スマートフォン２には、前ページである画面４１−ａが表示される。
【０２１２】
画面４１−ｂにて、ユーザが「次ページ」を選択すると、スマートフォン２は、更に次の４項目を表示する。画面４１−ｃのように、表示された画面が、末尾ページである場合、「次ページ」ボタンは、グレーアウト表示され、使用不可であることを示す。
【０２１３】
なお、スマートフォン２は、先頭ページを表示するとき、先頭の項目がリストの一番上に表示されるように、各項目を表示する。また、スマートフォン２は、末尾ページを表示するとき、最後尾の項目がリストの一番下に表示されるように、各項目を表示する。つまり、スマートフォン２は、リストの上下に空きができないように、各項目を画面に表示する。
【０２１４】
また、簡単ナビの複数の項目は、上下ドラッグまたはフリックでスクロールさせ、表示させることが可能である。図４２に、簡単ナビの複数の項目の表示の他の例を示す。
【０２１５】
画面４２−ａのように、４項目が表示された画面において、ユーザが下方向へドラッグまたはフリックすると、スマートフォン２には、次の項目が表示されたページである画面４２−ｂが表示される。画面４２−ｂに表示される項目は、ドラッグおよびフリックによって異なる。スマートフォン２は、ドラッグによって、項目を行単位でスクロールさせてもよい。また、スマートフォン２は、フリックの強弱によって、スクロールする量を調整してもよい。
【０２１６】
画面４２−ｂにて、ユーザが上方向へドラッグまたはフリックすると、スマートフォン２には、上方向にスクロールした画面（例えば、画面４２−ａ）を表示する。
【０２１７】
画面４２−ｂにて、ユーザが下方向へドラッグまたはフリックすると、スマートフォン２は、更に下にスクロールした画面（例えば、画面４２−ｃ）を表示する。
【０２１８】
画面４２−ａが先頭ページである場合、ユーザが上方向へドラッグまたはフリックすると、画面４２−ａはバウンドし、吸着する。また、画面４２−ｃが末尾ページである場合、ユーザが下方向へドラッグまたはフリックすると、画面４２−ｃはバウンドし、吸着する。
【０２１９】
また、画面４２−ａのように、表示された画面が、先頭ページである場合、「前ページ」ボタンは、グレーアウト表示される。同様に、画面４２−ｃのように、表示された画面が、末尾ページである場合、「次ページ」ボタンは、グレーアウト表示される。
【０２２０】
（操作パネル）
本発明のスマートフォン２における操作パネルの表示について図４３から図４５を参照して説明する。図４３は、スマートフォン２における操作パネルの表示の流れの一例を示す画面遷移図である。
【０２２１】
図４３に示すように、すでにスマートフォン２の画面に、テレビ１を操作するための画面４３−ａ（リモコントップ画面）が表示されているとする。画面４３−ａにおいて、ユーザが画面下部の「操作パネル」タブを選択すると、スマートフォン２は、画面４３−ｂ（操作パネル）に画面を切り換える。このとき、画面４３−ｃのように、テレビ側の表示は切り換えない。
【０２２２】
ここで、画面４３−ｂでは「十字ボタン」モードが表示されているが、操作パネルで表示されるモードはこれに限定されない。例えば、初回起動時のみ画面４３−ｂのような「十字ボタン」モードの画面が表示され、次回からは前回表示していたモードの画面が表示されてもよい。
【０２２３】
また、画面４３−ｂにおいて、ユーザが、［ｄデータ］、［終了］、［戻る］、４色（赤、青、黄、緑）ボタンなどのボタンが表示されているが、これらはテレビ１から通知された情報に依存する。つまり、チャンネルを切り換えたとき、当該チャンネルで使用可能なボタンがテレビ１からスマートフォン２に通知され、スマートフォン２は通知されたボタンを表示する。また、これらのボタンを押下したときの動作は、テレビ１の動作に依存する。
【０２２４】
次に、操作パネルで表示可能なモードについて図４４を参照して説明する。図４４は、スマートフォン２における操作パネルで表示可能なモードの一例を示す図である。
【０２２５】
図４４に示すように、操作パネルは、「十字ボタン」、「フリック」および「数字」の３つのモードを表示可能とする。初回起動時（デフォルト）は、画面４４−ａのような「十字ボタン」モードの画面がスマートフォン２に表示される。ここで、「十字ボタン」モードの操作パネルとは、カーソルを移動することに特化したＧＵＩのことを指す。
【０２２６】
画面４４−ａにおいて、「フリック」タブを選択すると、画面４４−ｂのような「フリック」モードの画面がスマートフォン２に表示される。「フリック」モードの操作パネルの画面の動きについては、後述する。
【０２２７】
また、画面４４−ａにおいて、「数字」タブを選択すると、画面４４−ｃのような「数字」モードの画面がスマートフォン２に表示される。ここで、「数字」モードの操作パネルとは、数字がボタンと共に表示されたＧＵＩのことである。
【０２２８】
同様に、画面４４−ｂにおいて、「十字ボタン」タブを選択すると、「十字ボタン」モードの画面がスマートフォン２に表示される。また、画面４４−ａにおいて、「数字」タブを選択すると「数字」モードの画面がスマートフォン２に表示される。
【０２２９】
また、画面４４−ｃにおいて、「フリック」タブを選択すると、「フリック」モードの画面がスマートフォン２に表示される。また、画面４４−ｃにおいて、「十字ボタン」タブを選択すると、「十字ボタン」モードの画面がスマートフォン２に表示される。
【０２３０】
操作パネルの何れかのモードの画面において、ユーザが画面下部のタブを選択することによって、スマートフォン２の画面が他の画面（例えば、簡単ナビ）に切り換えられた後に、再度、ユーザが操作パネルを選択すると、スマートフォン２の画面は、前回の表示状態を維持する。つまり、スマートフォン２が、「フリック」モードで表示された画面から、簡単ナビに画面を切り換えた後に、再度操作パネルに画面を切り換えるとき、スマートフォン２は、操作パネルを「フリック」モードで表示する。
【０２３１】
次に、操作パネルの「フリック」モードにおける画面の動きについて図４５を用いて説明する。
【０２３２】
「フリック」モードの画面４５−ａにおいて、フリックエリアを上方向にフリックすると、「十字ボタン」モードの上ボタンの押下と同様の操作を行うことができる。同様に、フリックエリアを下方向、右方向、左方向にフリックすると、それぞれ、下ボタン、右ボタン、左ボタンの押下と同様の操作を行うことができる。また、フォーカス可能な場所が存在する場合、ユーザがフリックエリアを２タッチ（ダブルタップ）することにより、当該フォーカスが決定される。なお、ここで、フリックエリアとは、画面４５−ａの中央に設けられた角丸矩形状の領域のことを指す。
【０２３３】
また、ユーザが［ｄデータ］ボタンを右方向にフリックしたとき、［ｄデータ］ボタンが選択されたとする。同様に、ユーザが［戻る］ボタンを右方向にフリックしたとき、［戻る］ボタンが選択されたとする。
【０２３４】
更に、ユーザが［終了］ボタンを下方向にフリックしたとき、［終了］ボタンが選択されたとする。また、ユーザが４色（赤、青、黄、緑）ボタンのいずれか（例えば、赤）を上方向にフリックしたとき、その４色ボタンのひとつ（本例では、赤）が選択されたとする。
【０２３５】
（オプションメニュー）
本発明のスマートフォン２におけるオプションメニューについて図４６から図４９を参照して説明する。図４６は、スマートフォン２におけるオプションメニューの一例を示す図である。
【０２３６】
図４６に示すように、スマートフォン２は、接続するＡＱＵＯＳを選択する「ＡＱＵＯＳ選択」、並びに、操作音、バイブレータ、スリープ等の各種設定を行う「設定」のオプションを有している。なお、スマートフォン２が有しているオプションはこれに限定されない。
【０２３７】
次に、これらのオプションメニューの操作の流れを図４７を参照して説明する。図４７は、オプションメニューの操作の流れの一例を示す画面遷移図である。
【０２３８】
図４７に示すように、すでにスマートフォン２の画面に、テレビ１を操作するための画面４７−ａ（リモコントップ画面）が表示されているとする。
【０２３９】
画面４７−ａにおいて、ユーザが［ＭＥＮＵ］キーを押下すると、スマートフォン２はオプションメニューを表示する（画面４７−ｂ）。画面４７−ｂにおいて、ユーザが、再度［ＭＥＮＵ］キーを押下または［ＢＡＣＫ］キーを押下すると、スマートフォン２の画面は、画面４７−ａに戻る。
【０２４０】
画面４７−ｂにおいて、ユーザが［ＡＱＵＯＳ選択］を選択すると、スマートフォン２は、接続するＡＱＵＯＳを選択する画面４７−ｃ（機器選択画面）に画面を切り換える。画面４７−ｃにおいて、ユーザが［ＢＡＣＫ］キーを押下する、または、すでに選択されている機器を選択すると、スマートフォン２は何も操作を行わず、画面４７−ａを表示する。なお、画面４７−ｃの操作については、「機器選択」にて詳しく説明する。
【０２４１】
画面４７−ｂにおいて、ユーザが［設定］を選択すると、スマートフォン２は、画面４７−ｄに画面を切り換える。画面４７−ｄは、設定項目として、操作音、バイブレータおよびスリープが表示されている。また、各設定項目の説明文が最大２行で表示されている。なお、画面４７−ｄでは、設定項目として操作音、バイブレータおよびスリープが表示されているが、スマートフォン２が設定可能な項目はこれに限定されない。また、各設定項目の説明文の内容、および説明文の長さはこれに限定されない。
【０２４２】
画面４７−ｄにおいて、ユーザが［操作音］を選択すると、スマートフォン２は、操作音の設定画面である画面４７−ｅに画面を切り換える。画面４７−ｅにおいて、ユーザが操作音の選択を行うと、スマートフォン２は操作音の設定を行う。ユーザが操作音の設定をＯＮにした場合、スマートフォン２は、タッチ操作（タッチダウン）で音を鳴らすことが可能である。設定後、スマートフォン２は、前の画面である画面４７−ｄに画面を切り換える。
【０２４３】
また、画面４７−ｅにおいて、ユーザが［キャンセル］キーまたは［ＢＡＣＫ］キーを押下すると、スマートフォン２は何も設定を行わず、前の画面である画面４７−ｄに画面を切り換える。
【０２４４】
画面４７−ｄにおいて、ユーザが［バイブ］を選択すると、スマートフォン２は、バイブレータの設定画面である画面４７−ｆに画面を切り換える。画面４７−ｆにおいて、ユーザがバイブレータの選択を行うと、スマートフォン２はバイブレータの設定を行う。ユーザがバイブレータの設定をＯＮにした場合、スマートフォン２は、表示切換タブ以外のボタン押下時（タッチダウン）で振動することが可能である。なお、リスト操作（ドラッグ、フリック、タッチなど）やカーソルモード（「フリック」モード時のみ）のときは、振動しないこととする。設定後、スマートフォン２は、前の画面である画面４７−ｄに画面を切り換える。
【０２４５】
また、画面４７−ｆにおいて、ユーザが［キャンセル］キーまたは［ＢＡＣＫ］キーを押下すると、スマートフォン２は何も設定を行わず、前の画面である画面４７−ｄに画面を切り換える。
【０２４６】
画面４７−ｄにおいて、ユーザが［スリープ］を選択すると、スマートフォン２は、スリープの設定画面である画面４７−ｇに画面を切り換える。画面４７−ｇにおいて、ユーザがスリープの選択を行うと、スマートフォン２は選択された時間でスリープの設定を行う。なお、スリープまでの時間は、スマートフォン２を最後に操作したときから開始される。また、ユーザが［ＨＯＭＥ］キーを押下するなどを行うことにより、スマートフォン２が画面を他のアプリケーションの画面に切り換えた場合、スマートフォン２は、リモコンアプリに復帰後、スリープまでのタイマーをリセットする動作を行う。設定後、スマートフォン２は、前の画面である画面４７−ｄに画面を切り換える。
【０２４７】
また、画面４７−ｇにおいて、ユーザが［キャンセル］キーまたは［ＢＡＣＫ］キーを押下すると、スマートフォン２は何も設定を行わず、前の画面である画面４７−ｄに画面を切り換える。
【０２４８】
次に、スマートフォン２における機器選択画面のオプションメニューの一例を図４８に示す。
【０２４９】
図４８に示すように、スマートフォン２は、機器選択画面のオプションとして、複数枚の画面イメージを表示する「操作ガイド」、並びに、操作音、バイブレータ、スリープ等の各種設定を行う「設定」のオプションを有している。なお、スマートフォン２が有している機器選択画面のオプションはこれに限定されない。
【０２５０】
次に、これらの機器選択画面のオプションメニューの操作の流れを図４９を参照して説明する。図４９は、機器選択画面のオプションメニューの操作の流れの一例を示す画面遷移図である。
【０２５１】
図４９に示すように、すでにスマートフォン２の画面に、接続する機器を選択する画面４９−ａ（機器選択画面）が表示されているとする。
【０２５２】
画面４９−ａにおいて、ユーザが［ＭＥＮＵ］キーを押下すると、スマートフォン２は機器選択画面のオプションメニューを表示する（画面４９−ｂ）。画面４９−ｂにおいて、ユーザが、再度［ＭＥＮＵ］キーを押下または［ＢＡＣＫ］キーを押下すると、スマートフォン２の画面は、画面４９−ａに戻る。
【０２５３】
画面４９−ｂにおいて、ユーザが［操作ガイド］を選択すると、スマートフォン２の画面は、操作ガイドを表示する（画面４９−ｃ）。画面４９−ｃにおいて、ユーザが［ＢＡＣＫ］キーを押下すると、スマートフォン２は、前の画面である画面４９−ｂに画面を切り換える。
【０２５４】
画面４９−ｂにおいて、ユーザが［設定］を選択すると、スマートフォン２は、画面４９−ｄに画面を切り換える。なお、画面４９−ｄは、上述した画面４７−ｄと同様の画面であり、同様の設定を行うことが可能であるため、各設定項目についての説明は割愛する。
【０２５５】
（文字入力について）
本発明のスマートフォン２における文字入力の流れを図５０から図５２を参照して説明する。図５０は、スマートフォン２における文字入力の流れの一例を示す画面遷移図である。
【０２５６】
図５０（ａ）に示すように、テレビ１は、文字列を入力する必要が生じると、画面５０−ｄ（文字入力ウィンドウ画面）を表示すると共に、スマートフォン２の画面を文字列を入力する画面（文字入力画面）に切り換えさせる（遷移させる）ための遷移要求（文字入力画面への遷移要求）を、スマートフォン２に送信する。なお、テレビ１において文字列を入力する必要が生じる場合としては、図５０（ａ）に示すように、テレビ１がウェブページを表示している際に、ユーザがスマートフォン２に表示された操作パネル（画面５０−ａ）を用いて、文字入力枠（テキストフィールド）３１１を選択した場合などが挙げられる。
【０２５７】
テレビ１から文字入力画面への遷移要求を受け取ると、スマートフォン２は、画面５０−ｂ（文字入力画面）に画面を切り換える（文字入力画面に遷移）。画面５０−ｂにおいて、文字列を入力するためのＧＵＩ要素である文字入力枠（テキストフィールド）３０１に、最初に表示される文字列（初期文字列）は、例えば、「文字を入力してください」とグレーフォントで表示してもよい。なお、文字入力枠３０１に表示される初期文字列はこれに限定されない。例えば、テレビ１の画面５０−ｄの文字入力枠（テキストフィールド）３１１に文字列が存在している場合、スマートフォン２は、当該文字列を文字入力枠３０１に初期文字列として表示してもよい。また、テレビ１が初期文字列をスマートフォン２に通知する場合、スマートフォン２は、当該初期文字列を文字入力枠３０１に表示してもよい。
【０２５８】
スマートフォン２の文字入力画面（画面５０−ｂ）において、ユーザが文字入力の操作を行い、文字入力が完了したことを示す文字入力完了ボタンを押下すると、スマートフォン２は、入力された文字列をテレビ１に通知する。テレビ１は、文字入力枠３１１内の文字列をスマートフォン２から通知された文字列で上書きする。
【０２５９】
なお、テレビ１は、文字列入力ウィンドウ（画面５０−ｄ）を閉じる際、文字列入力ウィンドウの表示を終了する旨をスマートフォン２に通知する。文字入力画面を終了させるための文字入力画面終了要求を、スマートフォン２に送信する。スマートフォン２は、テレビ１から文字入力画面終了要求を受け取ると、画面５０−ｃ（操作パネル）に画面を切り換える。なお、画面５０−ｃは、文字入力画面を起動したときの画面（元の画面）である画面５０−ａと同じ画面である。
【０２６０】
なお、スマートフォン２がハードウェアキーを有している端末である場合、スマートフォン２は、ソフトウェアキーボードが表示されている画面５０−ｂの代わりに、図５０（ｂ）に示すようなソフトウェアキーボードが表示されていない画面５０−ｆを表示してもよい。
【０２６１】
次に、画面５０−ｃにおいて、ユーザが文字入力の操作を行う際の、スマートフォン２の詳細な画面の流れの一例について図５１を参照して説明する。
【０２６２】
図５１に示すように、画面５１−ａ（文字入力画面）において、ユーザが文字列「なら」と入力すると、スマートフォン２の画面には、文字列「なら」の変換候補の一覧（変換候補一覧）３０２が表示される（画面５１−ｂ）。本例では、変換候補一覧３０２は、文字入力が可能なアプリケーション（例えば、リモコンアプリ）の動作に従い表示されることとする。更に、画面５１−ｂには、変換候補一覧３０２の上部に、文字入力完了ボタンが表示される。なお、文字入力完了ボタンの表示位置は、これに限定されない。
【０２６３】
次に、ユーザが変換候補一覧３０２の中から「奈良」を選択すると、スマートフォン２は、文字入力枠３０１にユーザが選択した「奈良」が表示され、変換候補一覧３０２が表示されない画面に切り換える（画面５１−ｃ）。
【０２６４】
また、画面５１−ｂにおいて、ユーザが、前の画面に戻るための［Ｂａｃｋ］キーを押下したとき、または、入力した文字列を消去するための［Ｄｅｌ］キーを押して入力した文字列を消去したとき、スマートフォン２は、画面５１−ａに画面を切り換える。
【０２６５】
画面５１−ｂまたは画面５１−ｃにおいて、ユーザが「奈良」を入力文字列として確定するために文字入力完了ボタンを押下すると、スマートフォン２はテレビ１に対し、入力された文字列（入力文字列）を送信する。テレビ１が当該文字列を受信すると、テレビ１の画面は、文字入力ウィンドウ（画面５１−ｆ）から文字入力ウィンドウ以外の画面（画面５１−ｇ）に遷移する。また、スマートフォン２は、文字入力画面を起動したときの画面である画面５１−ｄに画面を切り換える。
【０２６６】
なお、スマートフォン２は画面５１−ｃにおいて、文字入力完了ボタンではなく、例えば「実行ボタン」といった、文字入力をするために使用しているアプリケーションの表示に従って、文字入力完了ボタンと同様の動作を行うようにしてもよい。
【０２６７】
画面５１−ａおよび画面５１−ｃにおいて、ユーザが［Ｂａｃｋ］キーを押下したとき、スマートフォン２は、ソフトウェアキーボードが表示されていない画面５１−ｅに画面を切り換える。なお、画面５１−ｅが、画面５１−ｃから切り換えられた画面であった場合、スマートフォン２は、画面５１−ｅの文字入力枠３０１にユーザが入力した文字列（本例では、「なら」）を表示してもよい。
【０２６８】
画面５１−ｅにおいて、ユーザが［Ｂａｃｋ］キーを押下すると、スマートフォン２は、文字入力画面を起動したときの画面である画面５１−ｄに画面を切り換える。
【０２６９】
なお、テレビ１の文字入力画面に表示された文字列とスマートフォン２にて文字入力完了した文字列とはリアルタイムで同期している。つまり、スマートフォン２にて文字列を入力し、文字入力完了ボタンを押下すると、入力した文字列がテレビ１の文字入力枠３１１に表示される。また、ユーザがテレビ１の文字入力ウィンドウの文字入力枠３１１に入力した文字列を入力文字列として確定すると、テレビ１は当該文字列をスマートフォン２に通知する。スマートフォン２は、テレビ１から通知された文字列を文字入力枠３０１に表示する。つまり、一方の文字入力枠において、文字列が確定されると、確定された文字列を他方に送信する。このとき文字列を受信した側の文字入力枠は、受信した文字列で、上書きされる。
【０２７０】
また、入力された文字列の変換候補が表示されているときにテレビ１からスマートフォン２に文字列が送信された場合、スマートフォン２は、テレビ１から送信された文字列を無視する。つまり、ユーザが文字列を入力し文字入力完了ボタンを押下する前に、テレビ１からスマートフォン２に文字列が送信された場合、スマートフォン２は、ユーザが入力している文字列を文字入力枠３０１に表示する。
【０２７１】
なお、本例では、文字入力枠３０１を１行に制限する。すなわち、文字入力枠３０１に入力可能な文字列は、１行とし、改行はできないものとする。また、文字入力枠３０１に対する動作（例えば、コピー、ペースト、範囲指定など）は、スマートフォン２の標準動作に従うものとする。
【０２７２】
また、文字入力枠３０１に入力可能な文字の種別は、テレビ１の文字入力枠３１１に入力可能な文字種別（例えば、数字（半角および全角）、英語（半角および全角）、平仮名、常用漢字など）であるとする。また、文字入力枠３０１に入力可能な文字数は、テレビ１の文字入力枠３１１に入力可能な文字数と同等であるとする。なお、このとき入力可能な文字種別、入力可能な文字数など入力される文字の制限は、テレビ１からスマートフォン２に通知するものとする。
【０２７３】
なお、文字入力について、図５０および図５１では、キーボードから文字を入力することについて説明を行ったが、本発明はこれに限定されない。文字入力は、音声を用いて入力してもよい。
【０２７４】
図５２を参照して、音声を用いた文字入力の流れについて説明する。図５２は、スマートフォン２における文字入力の流れの他の例を示す画面遷移図である。
【０２７５】
図５２に示すように、画面５２−ａにおいて、ユーザが音声入力を開始するための音声入力ボタンを選択すると、スマートフォン２は、画面を音声入力を行う画面（音声入力画面）に切り換える（画面５２−ｂ）。ユーザがスマートフォン２に向かって音声を入力すると、スマートフォン２は、音声を解析し、ユーザが入力した音声の候補を一覧表示した画面（画面５２−ｃ）を表示する。ユーザが入力した音声が画面５２−ｃに表示されていない場合、ユーザが再入力ボタンを押下することにより、スマートフォン２の画面は、音声入力画面に戻る。
【０２７６】
画面５２−ｃにおいて、ユーザが文字列を選択すると、スマートフォン２は、文字入力枠３０１に選択された文字列が表示された画面５２−ｄに画面を切り換える。例えば、画面５２−ｃにおいて、ユーザが「ドラマ」を選択した場合、画面５２−ｄに示すように、文字入力枠３０１に「ドラマ」が表示される。
【０２７７】
画面５２−ｄにおいて、ユーザが文字入力完了ボタンを押下したとき、または、画面５２−ｃにおいて、ユーザが文字列を選択したとき、スマートフォン２はテレビ１に対し、文字列を送信する。
【０２７８】
なお、音声入力中に、テレビ１からスマートフォン２に文字列が送信された場合、スマートフォン２は、テレビ１から送信された文字列を無視する。その後、スマートフォン２は、ユーザが入力した文字列をテレビ１に送信する。その後、テレビ１は、スマートフォン２から送信された文字列を表示する。
【０２７９】
また、図５０および図５１にて示したように、文字列を入力していた途中で、音声入力を行った場合、キーボードを用いて入力された文字列は、音声入力にて入力された文字列で上書きされる。つまり、文字入力枠３０１には、それまで入力されていた文字列ではなく、音声入力にて入力された文字列が表示される。
【０２８０】
（設定画面）
スマートフォン２を用いた遠隔操作に関して、テレビ１においていくつかの項目を設定することができる。図５３は、その設定を行うためにテレビ１に表示される設定画面を示す。
【０２８１】
図５３に示すように、テレビにおいては、例えば、（１）スマートフォン２を用いた遠隔操作（ＩＰコントロール）を受け付けるか否か、（２）機器名、（３）ログインＩＤ、（４）パスワードを設定することができる。
【０２８２】
（フラッシュバック機能）
本発明のスマートフォン２におけるフラッシュバック機能について図５８から図６３を参照して説明する。フラッシュバック機能とは、テレビ１が過去に表示したチャンネル、機器などの視聴履歴をスマートフォン２の画面に表示させる機能である。
【０２８３】
図５８は、スマートフォン２を用いたフラッシュバック機能の概要の一例を示した図である。図５８に示すように、スマートフォン２は、フラッシュバック機能を実行するためのフラッシュバック（Ｆｌａｓｈｂａｃｋ）タブが選択されると、視聴履歴（入力履歴）を一覧表示する。
【０２８４】
なお、図５８のスマートフォン２では、３つの視聴履歴が表示されているが、視聴履歴の数はこれに限定されない。スマートフォン２に表示される視聴履歴は、例えば、チャンネル名、または、テレビ１にデータを入力した機器名などである。
【０２８５】
ユーザが視聴履歴からチャンネル名または入力機器名を選択すると、テレビ１の画面は、現在視聴中の画面から、選択されたチャンネルまたは入力機器の画面に切り換わる。
【０２８６】
このように、スマートフォン２は、テレビ１が以前に表示したチャンネルまたはテレビ１に以前に入力した機器が何かを表示することができる。したがって、以前の入力が何であったかをユーザにわかりやすく表示することができる。
【０２８７】
＜テレビ１における視聴履歴の管理方法＞
図５９は、テレビ１における視聴履歴の管理方法の一例を示したフローチャートである。図５９に示すように、テレビ１の制御部１２０は、スマートフォン２から選局または入力切換要求を受信したか否かを判定する（ステップＳ５９１。以下単にＳ５９１とする。）。制御部１２０は、選局または入力切換要求を受信していない場合（Ｓ５９１にてＮＯ）、Ｓ５９１を繰り返す。一方、選局または入力切換要求を受信している場合（Ｓ５９１にてＹＥＳ）、図６０に示すように、現在視聴中の入力（例えば、チャンネル、機器名など）を、現在の時刻と共に入力履歴ＤＢに保存する（Ｓ５９２）。
【０２８８】
ここで、入力履歴ＤＢは、図６０に示すような制御部１２０によって管理されたデータベースである（履歴情報管理手段）。なお、入力履歴ＤＢは、制御部１２０とは別の部材によって管理されてもよい。
【０２８９】
Ｓ５９２後、制御部１２０は、受信した選局または入力切換要求に従い、選局または入力切換処理を行う（Ｓ５９３）。
【０２９０】
そして、テレビ１の制御部１２０は、入力履歴を送信するための通信可能な携帯端末があるか否かを検索する（Ｓ５９４）。通信可能な携帯端末が無い場合（Ｓ５９４にてＮＯ）、テレビ１は処理を終了する。通信可能な携帯端末がある場合（Ｓ５９４にてＹＥＳ）、制御部１２０の状態通知部１２２は、通信可能な携帯端末に入力履歴が更新されたことを通知（履歴更新通知を送信）する（Ｓ５９５）。なお、ここでは、通信可能な携帯端末がスマートフォン２であるとする。
【０２９１】
その後、テレビ１の制御部１２０は、通信可能な携帯端末から履歴送信要求（視聴履歴取得要求）を受信したか否かを判定する（Ｓ５９６）。履歴送信要求を受信している場合（Ｓ５９６にてＹＥＳ）、制御部１２０の状態通知部１２２は、当該履歴送信要求と共に受信した時刻情報であって、携帯端末側が管理している履歴情報の最終更新時刻情報に示された時刻以降の履歴情報を携帯端末に送信（通知）し（Ｓ５９７）、処理を終了する。
【０２９２】
図６０に示すように、スマートフォン２から受信した最終更新時刻が、２０１２年３月１日１３時４５分３９秒であった場合、制御部１２０は、入力履歴ＤＢを参照し、当該最終更新時刻以降の入力履歴をスマートフォン２に送信する。また、スマートフォン２から受信した最終更新時刻が、予め決められたデフォルトの時刻（例えば、２００１年１月１日０時０分０秒）である場合、制御部１２０は、入力履歴ＤＢに格納されている全ての入力履歴をスマートフォン２に送信する。
【０２９３】
また、履歴送信要求を受信していない場合（Ｓ５９６にてＮＯ）、制御部１２０はタイムアウト時間を過ぎたか否かを判定する（Ｓ５９８）。タイムアウト時間を過ぎていない場合（Ｓ５９８にてＮＯ）、制御部１２０はＳ５９６に処理を戻す。タイムアウト時間を過ぎた場合（Ｓ５９８にてＹＥＳ）、テレビ１は処理を終了する。
【０２９４】
なお、入力履歴ＤＢは、時刻の代わりに固有の識別記号（文字列等）を付与して、管理してもよい。これについて、図８６および図８７を参照して説明を行う。図８６および図８７は、視聴履歴（入力履歴）を管理するデータベースの一例を示した図である。
【０２９５】
図８６および図８７に示す入力履歴ＤＢでは、現在視聴中の入力がＩＤに関連付けて管理されている。ＩＤは、０１〜９９で循環する数値である。尚、ＩＤの値は一例であり、ＩＤはこれに限定されない。
【０２９６】
また、テレビ１の制御部１２０は、スマートフォン２との接続回数と、入力履歴ＤＢの最新の履歴のＩＤとを連結させた番号をテレビ１側のＩＤとして管理している。具体的には、テレビ１は、スマートフォン２との接続回数が３回目であり、入力履歴ＤＢのうち、最新の履歴のＩＤが「０１」であったとき、図８６に示すように、「０３０１」を、テレビ１側のＩＤとして管理している。
【０２９７】
同様に、スマートフォン２は、テレビ１との接続回数と、スマートフォン２内で管理している最新の履歴のＩＤとを連結させた番号をスマートフォン２側のＩＤとして管理している。具体的には、スマートフォン２は、テレビ１との接続回数が３回目であり、スマートフォン２内で管理している最新の履歴のＩＤが「９８」であったとき、図８６に示すように、「０３９８」を、スマートフォン２側のＩＤとして管理している。
【０２９８】
なお、テレビ１におけるスマートフォン２との接続回数、および、スマートフォン２におけるテレビ１との接続回数は、０１〜９９で循環する数字で表現されるが、本発明はこれに限定されない。
【０２９９】
図８６に示すように、スマートフォン２から受信したスマートフォン２側のＩＤが「０３９８」である場合、テレビ１の制御部１２０は、入力履歴ＤＢを参照し、当該スマートフォン２の最新の履歴ＩＤ以降のＩＤを有した入力履歴（図８６においては、ＩＤ＝９９および０１の入力履歴）をスマートフォン２に送信する。
【０３００】
また、スマートフォン２は、テレビ１からテレビ１が管理している入力履歴ＤＢを全て受信したいとき、スマートフォン２内で管理している最新の履歴のＩＤを「００」としたスマートフォン２側のＩＤをテレビ１に送信する。つまり、テレビ１との接続回数が３回目であり、テレビ１が管理している入力履歴ＤＢを全て受信したいとき、スマートフォン２の制御部２２０は、図８７に示すように、スマートフォン２側のＩＤを「０３００」とし、当該スマートフォン２側のＩＤをテレビ１に送信する。テレビ１の制御部１２０は、スマートフォン２からスマートフォン２側のＩＤ「０３００」を受信すると、入力履歴ＤＢに格納されている全ての入力履歴をスマートフォン２に送信する。
【０３０１】
また、スマートフォン２がテレビ１に登録されていない機器である場合、スマートフォン２は、テレビ１との接続回数を「００」として、当該スマートフォン２がテレビ１に登録されていない機器であることを表してもよい。
【０３０２】
なお、テレビ１側のＩＤおよびスマートフォン２側のＩＤは、一例であり、接続回数と履歴のＩＤとを組み合わせたものに限定されない。例えば、数字ではなく、アルファベット等を使用してもよい。
【０３０３】
これにより、時刻が取得できない環境であっても、テレビ１は、入力履歴を管理することができる。よって、スマートフォン２に入力履歴を表示させることができる。
【０３０４】
＜スマートフォン２における視聴履歴の管理方法＞
次に、スマートフォン２における視聴履歴の管理方法について、図６１を参照して説明する。スマートフォン２の制御部２２０は、テレビ１がＳ５９５にて送信した履歴更新通知を受信したか否かを確認する（Ｓ６１１）。制御部２２０は、履歴更新通知を受信していない場合（Ｓ６１１にてＮＯ）、Ｓ６１１を繰り返す。履歴更新通知を受信している場合（Ｓ６１１にてＹＥＳ）、制御部２２０は、テレビ１から、今までに履歴情報を取得したか否かを確認する（Ｓ６１２）。
【０３０５】
履歴情報を取得したことがある場合（Ｓ６１２にてＹＥＳ）、制御部２２０は、スマートフォン２側で保持している履歴情報の最終更新日時を送信パラメータとして設定する（Ｓ６１３）。一方、履歴情報を取得したことがない場合（Ｓ６１２にてＮＯ）、制御部２２０は、予め決められた時刻（例えば、２００１年１月１日０時０分０秒）を送信パラメータとして設定する（Ｓ６１４）。
【０３０６】
次に、制御部２２０のコマンド送信部２２２は、Ｓ６１３またはＳ６１４にて設定した送信パラメータを用いて、テレビ１に視聴履歴取得要求を送信する（Ｓ６１５）。
【０３０７】
その後、スマートフォン２は、テレビ１がＳ５９７にて送信した履歴情報を受信したか否かを確認する（Ｓ６１６）。履歴情報を受信している場合（Ｓ６１６にてＹＥＳ）、制御部２２０は、スマートフォン２内で管理している履歴情報を受信した履歴情報に更新し（Ｓ６１７）、処理を終了する。また、履歴情報を受信していない場合（Ｓ６１６にてＮＯ）、制御部２２０はタイムアウト時間を過ぎたか否かを判定する（Ｓ６１８）。タイムアウト時間を過ぎていない場合（Ｓ６１８にてＮＯ）、制御部２２０はＳ６１６に処理を戻す。タイムアウト時間を過ぎた場合（Ｓ６１８にてＹＥＳ）、スマートフォン２は処理を終了する。なお、Ｓ６１８において、タイムアウト時間を過ぎていた場合であっても、再度、Ｓ６１６に戻り、テレビ１から履歴情報を受信しているか否かを確認してもよい。
【０３０８】
以上の受信方法にて履歴情報をテレビ１から受信すると、スマートフォン２のＧＵＩ表示部２２１は、図５８に示したような、履歴情報をスマートフォン２の画面上に表示することができる。
【０３０９】
＜視聴履歴画面の変形例＞
なお、履歴情報は、図５８に示した画面に限定されず、例えば、図６２のように表示されてもよい。図６２に示すように、リモコン等に含まれるＦｌａｓｈｂａｃｋキーと同様に、スマートフォン２上でもＦｌａｓｈｂａｃｋキーを選択することができる。このとき、ユーザが当該Ｆｌａｓｈｂａｃｋキーを選択すると、前回、テレビ１が表示したチャンネル名または機器名が表示される。そして、テレビ１には、当該テレビ１が前回表示したチャンネルまたは機器の入力画面が表示される。このとき表示される直前のチャンネル名または機器名は、スマートフォン２が管理している履歴情報から取得してもよいし、テレビ１から送信された履歴情報から取得したものであってもよい。
【０３１０】
また、Ｆｌａｓｈｂａｃｋキーの横のプルダウンキー（下向き三角）を選択することにより、図６３に示すように、履歴の一覧が表示される。なお、図６３では、３つの履歴を表示しているが、スマートフォン２に表示される履歴の数はこれに限定されない。スマートフォン２に表示された履歴は選択可能になっている。ユーザが当該履歴のうちいずれかを選択すると、テレビ１は、現在視聴中の画面から、選択されたチャンネルまたは機器に画面を切り換える。
【０３１１】
テレビ１は、履歴情報を表示するとき、当該履歴情報によって現在ユーザが視聴している画面のサイズを小さくしたり、現在ユーザが視聴している画面と当該履歴情報とを重ねて表示することもできる。ただし、現在ユーザが視聴している画面が見えづらくなる場合がある。このような場合に、フラッシュバック機能を用いることにより、テレビ１に選択されたチャンネルまたは入力ソースの履歴情報を、スマートフォン２に表示することができる。よって、ユーザが視聴している画面を維持したまま、現在視聴している画面より前にテレビ１に表示したチャンネルまたは機器が何であったかを覚えておかなくとも、ユーザは、簡単に以前に表示したチャンネルまたは入力ソースをスマートフォン２上で確認することができる。
【０３１２】
（お気に入りチャンネル機能）
本発明のスマートフォン（携帯端末）２におけるお気に入りチャンネル機能について図６４から図７５を参照して説明する。お気に入りチャンネル機能とは、ユーザが予めお気に入りチャンネルとして設定したチャンネルをスマートフォン２の画面に表示させる機能である。
【０３１３】
図６４は、スマートフォン２を用いたお気に入りチャンネル機能の概要の一例を示した図である。図６４に示すように、スマートフォン２は、お気に入りチャンネル機能を実行するためのお気に入りチャンネル（Ｆａｖｏｒｉｔｅ  ＣＨ）タブが選択されると、お気に入りチャンネルを一覧表示する。なお、図６４のスマートフォン２では、３つのお気に入りチャンネルが表示されているが、お気に入りチャンネルの数はこれに限定されない。ユーザがお気に入りチャンネルから何れかのチャンネルを選択すると、テレビ１の画面は、現在視聴中の画面から、選択されたチャンネルの画面に切り換わる。
【０３１４】
このように、スマートフォン２は、テレビ１に設定されているユーザのお気に入りチャンネルを表示することができる。したがって、ユーザはお気に入りチャンネルに登録されているチャンネルを簡単に選択することができる。
【０３１５】
また、スマートフォン２は、テレビ１に設定されているユーザのお気に入りチャンネルを編集することもできる。図６４に示すように、スマートフォン２の画面には、お気に入りチャンネルを編集する「Ｅｄｉｔ」キーが表示されている。ユーザが「Ｅｄｉｔ」キーを選択すると、スマートフォン２は、図６５に示すようにお気に入りチャンネルの編集画面（Ｅｄｉｔ  Ｆａｖｏｒｉｔｅ  ＣＨ画面）に遷移する。
【０３１６】
登録されているお気に入りチャンネルのいずれか（例えば、「Ｗｏｒｌｄ  Ｓｐｏｒｔｓ」）を選択すると、スマートフォン２のプルダウンメニューにチャンネル一覧が表示される。ユーザは、このプルダウンメニューから新たなお気に入りチャンネルを選択することができる。ユーザが新たなお気に入りチャンネルを選択し、ＯＫボタンを押すと、スマートフォン２からテレビ１に対し、お気に入りチャンネルの更新情報が送信される。テレビ１は、お気に入りチャンネルの更新情報を受信すると、送信された更新情報を基に、テレビ１に設定されたお気に入りチャンネルを更新する。そして、テレビ１のディスプレイにお気に入りチャンネルを更新したことを示すメッセージを表示する。
【０３１７】
テレビ１は、お気に入りチャンネルを編集するとき、編集画面によって現在ユーザが視聴している画面のサイズを小さくしたり、現在ユーザが視聴している画面と当該編集画面とを重ねて表示することもできる。ただし、現在ユーザが視聴している画面が見えづらくなる場合がある。このような場合に、上記の構成を用いることにより、テレビ１に設定するお気に入りチャンネルをスマートフォン２の画面上で設定することができる。よって、ユーザが視聴しているテレビ１の画面を維持したまま、ユーザはお気に入りチャンネルをスマートフォン２上で簡単に編集することができる。
【０３１８】
なお、スマートフォン２がお気に入りチャンネルの編集をしているとき、テレビ１のディスプレイに編集中であることを示すメッセージを表示してもよい。これにより、他のユーザが同時にお気に入りチャンネルの編集をすることを防ぐことができる。
【０３１９】
＜お気に入りチャンネル送信方法＞
次に、テレビ１に設定されたお気に入りチャンネルを、テレビ１がスマートフォン２に送信する方法について、図６６および図６７を参照して説明する。図６６は、テレビ１におけるお気に入りチャンネル送信方法の一例を示したフローチャートである。
【０３２０】
図６６に示すように、テレビ１の制御部１２０は、後述するＳ６８５にてスマートフォン２が送信したお気に入りチャンネル（Ｆａｖｏｒｉｔｅ  ＣＨ）取得要求を、受信したか否かを確認する（Ｓ６６１）。制御部１２０は、お気に入りチャンネル取得要求を受信していない場合（Ｓ６６１にてＮＯ）、Ｓ６６１を繰り返す。一方、お気に入りチャンネル取得要求を受信している場合（Ｓ６６１にてＹＥＳ）、制御部１２０は、お気に入りチャンネル取得要求に含まれる送信パラメータから時刻を抽出する（Ｓ６６２）。
【０３２１】
制御部１２０は、抽出した時刻が、お気に入りチャンネルＤＢの更新日時より前か否かを確認する（Ｓ６６３）。ここで、お気に入りチャンネルＤＢは、図６７に示すような、制御部１２０によって管理されたデータベースである（お気に入りチャンネル管理手段）。なお、お気に入りチャンネルＤＢは、制御部１２０とは別の部材によって管理されてもよい。
【０３２２】
抽出した時刻が、お気に入りチャンネルＤＢの更新日時より前の場合（Ｓ６６３にてＹＥＳ）、制御部１２０の状態通知部１２２は、スマートフォン２にお気に入りチャンネルリストを送信し（Ｓ６６４）、処理を終了する。例えば、図６７に示すように、Ｓ６６２にて抽出した時刻（スマートフォン２から受信した時間）が２００１年１月１日０時０分０秒であり、お気に入りチャンネルＤＢの更新日時が、２０１２年３月１日１１時３８分２７秒である場合、制御部１２０は、スマートフォン２にお気に入りチャンネルＤＢに基づいて作成したお気に入りチャンネルリストを送信する。
【０３２３】
抽出した時刻が、お気に入りチャンネルＤＢの更新日時と同じ、または、更新日時より後の場合（Ｓ６６３にてＮＯ）、制御部１２０の状態通知部１２２は、お気に入りチャンネルの更新が不要である旨の応答（更新不要応答）をスマートフォン２に送信し（Ｓ６６５）、処理を終了する。
【０３２４】
＜お気に入りチャンネル受信方法＞
次に、スマートフォン２における、テレビ１に設定されたお気に入りチャンネルの受信方法について、図６８を参照して説明する。図６８に示すように、スマートフォン２の制御部２２０は、お気に入りチャンネル操作画面に遷移することを確認し（Ｓ６８１）、遷移していない場合（Ｓ６８１にてＮＯ）、Ｓ６８１を繰り返す。遷移している場合（Ｓ６８１にてＹＥＳ）、制御部２２０は、お気に入りチャンネルリストを今までにテレビ１から取得しているか否かを確認する（Ｓ６８２）。
【０３２５】
お気に入りチャンネルリストを取得したことがある場合（Ｓ６８２にてＹＥＳ）、制御部２２０は、スマートフォン２側で保持しているお気に入りチャンネルの情報の最終更新日時を送信パラメータとして設定する（Ｓ６８３）。一方、お気に入りチャンネルリストを取得したことがない場合（Ｓ６８２にてＮＯ）、制御部２２０は、予め決められた時刻（例えば、２００１年１月１日０時０分０秒）を送信パラメータとして設定する（Ｓ６８４）。
【０３２６】
次に、制御部２２０のコマンド送信部２２２は、Ｓ６８３またはＳ６８４にて設定した送信パラメータと共に、テレビ１にお気に入りチャンネル情報を取得するためのお気に入りチャンネル取得要求を送信する（Ｓ６８５）。
【０３２７】
その後、制御部２２０は、テレビ１からの応答を受信したか否かを確認する（Ｓ６８６）。テレビ１からの応答を受信していない場合（Ｓ６８６にてＮＯ）、制御部２２０はタイムアウト時間を過ぎたか否かを判定する（Ｓ６８７）。タイムアウト時間を過ぎていない場合（Ｓ６８７にてＮＯ）、制御部２２０はＳ６８６に処理を戻す。タイムアウト時間を過ぎた場合（Ｓ６８７にてＹＥＳ）、スマートフォン２は処理を終了する。なお、Ｓ６８７において、タイムアウト時間を過ぎていた場合であっても、再度、Ｓ６８６に戻り、テレビから応答を受信しているか否かを確認してもよい。
【０３２８】
テレビ１からの応答を受信した場合（Ｓ６８６にてＹＥＳ）、制御部２２０は、当該応答が、Ｓ６６５にてテレビ１から送信された更新不要応答か否かを確認し（Ｓ６８８）、更新不要応答である場合（Ｓ６８８にてＹＥＳ）、処理を終了する。受信した応答が更新不要応答でない場合（Ｓ６８８にてＮＯ）、スマートフォン２内で管理しているお気に入りチャンネルの情報を受信したお気に入りチャンネルリストを基に更新し（Ｓ６８９）、処理を終了する。
【０３２９】
以上の受信方法にてお気に入りチャンネルリストをテレビ１から受信すると、スマートフォン２のＧＵＩ表示部２２１は、図６４に示したような、お気に入りチャンネルの一覧をスマートフォン２の画面上に表示することができる。
【０３３０】
＜チャンネル一覧送信方法＞
次に、図６９および図７０を参照して、テレビ１が受信可能なチャンネルの一覧をスマートフォン２に送信する送信方法について説明する。図６９は、テレビ１が受信可能なチャンネルの一覧をテレビ１からスマートフォン２へ送信する方法の一例を示したフローチャートである。
【０３３１】
図６９に示すように、テレビ１の制御部１２０は、後述するＳ７１５にてスマートフォン２が送信したチャンネル一覧取得要求を受信したか否かを確認する（Ｓ６９１）。制御部１２０は、チャンネル一覧取得要求を受信していない場合（Ｓ６９１にてＮＯ）、Ｓ６９１を繰り返す。一方、チャンネル一覧取得要求を受信している場合（Ｓ６９１にてＹＥＳ）、制御部１２０は、チャンネル一覧取得要求に含まれる送信パラメータから時刻を抽出する（Ｓ６９２）。
【０３３２】
制御部１２０は、抽出した時刻が、受信可能なチャンネル一覧ＤＢの更新日時より前か否かを確認する（Ｓ６９３）。ここで、受信可能なチャンネル一覧ＤＢとは、図７０に示すように、テレビ１が受信可能なチャンネルを管理するデータベースであり、制御部１２０によって管理されたデータベースである。なお、受信可能なチャンネル一覧ＤＢは、制御部１２０とは別の部材によって管理されてもよい。
【０３３３】
抽出した時刻が、受信可能なチャンネル一覧ＤＢの更新日時より前の場合（Ｓ６９３にてＹＥＳ）、制御部１２０の状態通知部１２２は、スマートフォン２に受信可能なチャンネル一覧を送信し（Ｓ６９４）、処理を終了する。
【０３３４】
抽出した時刻が、受信可能なチャンネル一覧ＤＢの更新日時と同じ、または、更新日時より、後の場合（Ｓ６９３にてＮＯ）、制御部１２０の状態通知部１２２は、受信可能なチャンネル一覧の更新が不要である旨の応答（更新不要応答）をスマートフォン２に送信し（Ｓ６９５）、処理を終了する。例えば、図７０に示すように、Ｓ６９２にて抽出した時刻が２０１２年２月１１日１９時５０分１６秒であり、受信可能なチャンネル一覧ＤＢの更新日時が、２０１２年２月１１日１９時５０分１６秒である場合、抽出した時刻と更新日時とが同じであるため、テレビ１はスマートフォン２に対し更新不要応答を送信する。
【０３３５】
＜チャンネル一覧受信方法＞
次に、スマートフォン２における、テレビ１が受信可能なチャンネルの一覧をテレビ１から受信する方法について、図７１を参照して説明する。図７１に示すように、スマートフォン２の制御部２２０は、お気に入りチャンネル編集画面に遷移することを確認し（Ｓ７１１）、遷移していない場合（Ｓ７１１にてＮＯ）、Ｓ７１１を繰り返す。遷移している場合（Ｓ７１１にてＹＥＳ）、制御部２２０は、テレビ１が受信可能なチャンネルの一覧を今までにテレビ１から取得しているか否かを確認する（Ｓ７１２）。
【０３３６】
チャンネル一覧を取得したことがある場合（Ｓ７１２にてＹＥＳ）、制御部２２０は、スマートフォン２側で保持しているチャンネル一覧の最終更新日時を送信パラメータとして設定する（Ｓ７１３）。一方、チャンネル一覧を取得したことがない場合（Ｓ７１２にてＮＯ）、制御部２２０は、予め決められた時刻（例えば、２００１年１月１日０時０分０秒）を送信パラメータとして設定する（Ｓ７１４）。
【０３３７】
次に、制御部２２０のコマンド送信部２２２は、Ｓ７１３またはＳ７１４にて設定した送信パラメータと共に、テレビ１にチャンネル一覧取得要求を送信する（Ｓ７１５）。
【０３３８】
その後、制御部２２０は、テレビ１からの応答を受信したか否かを確認する（Ｓ７１６）。テレビ１からの応答を受信していない場合（Ｓ７１６にてＮＯ）、制御部２２０はタイムアウト時間を過ぎたか否かを判定する（Ｓ７１７）。タイムアウト時間を過ぎていない場合（Ｓ７１７にてＮＯ）、制御部２２０はＳ７１６に処理を戻す。タイムアウト時間を過ぎた場合（Ｓ７１７にてＹＥＳ）、スマートフォン２は処理を終了する。なお、Ｓ７１７において、タイムアウト時間を過ぎていた場合であっても、再度、Ｓ７１６に戻り、テレビ１から応答を受信しているか否かを確認してもよい。
【０３３９】
テレビ１からの応答を受信した場合（Ｓ７１６にてＹＥＳ）、制御部２２０は、当該応答が、Ｓ６９５にてテレビ１から送信された更新不要応答か否かを確認し（Ｓ７１８）、更新不要応答である場合（Ｓ７１８にてＹＥＳ）、処理を終了する。受信した応答が更新不要応答でない場合（Ｓ７１８にてＮＯ）、スマートフォン２内で管理しているチャンネル一覧を受信したチャンネル一覧を基に更新し（Ｓ７１９）、処理を終了する。
【０３４０】
以上の受信方法にてテレビ１が受信可能なチャンネル一覧をテレビ１から受信すると、スマートフォン２のＧＵＩ表示部２２１は、お気に入りチャンネルの編集画面において、テレビ１が受信可能なチャンネルの一覧を表示することができる。
【０３４１】
＜お気に入りチャンネル編集方法＞
次に、図７２および図７３を参照して、テレビ１に設定されたお気に入りチャンネルの編集を行う方法について説明する。図７２は、テレビ１に設定されたお気に入りチャンネルの編集をスマートフォン２上で行う際のスマートフォン２側の処理の流れを示すフローチャートである。また、図７３は、テレビ１に設定されたお気に入りチャンネルの編集をスマートフォン２上で行う際のテレビ１側の処理の流れを示すフローチャートである。
【０３４２】
図７２に示すように、スマートフォン２の制御部２２０は、ＧＵＩ表示部２２１がスマートフォン２の画面をお気に入りチャンネル編集画面に遷移させたか否か確認し（Ｓ７２０）、遷移していない場合（Ｓ７２０にてＮＯ）、Ｓ７２０を繰り返す。遷移している場合（Ｓ７２０にてＹＥＳ）、制御部２２０は、テレビ１にお気に入り番組の編集を開始する通知（編集開始通知）を送信する（Ｓ７２１）。
【０３４３】
その後、制御部２２０は、テレビ１からの応答を受信したか否かを確認する（Ｓ７２２）。テレビ１からの応答を受信していない場合（Ｓ７２２にてＮＯ）、制御部２２０はタイムアウト時間を過ぎたか否かを判定する（Ｓ７２３）。タイムアウト時間を過ぎていない場合（Ｓ７２３にてＮＯ）、制御部２２０はＳ７２２に処理を戻す。タイムアウト時間を過ぎた場合（Ｓ７２３にてＹＥＳ）、スマートフォン２は処理を終了する。なお、Ｓ７２３において、タイムアウト時間を過ぎていた場合であっても、再度、Ｓ７２２に戻り、テレビから応答を受信しているか否かを確認してもよい。
【０３４４】
テレビ１からの応答を受信した場合（Ｓ７２２にてＹＥＳ）、制御部２２０は、受信した応答が、後述するＳ７３６にてテレビ１から送信された編集許可応答か否かを確認する（Ｓ７２４）。編集許可応答の場合（Ｓ７２４にてＹＥＳ）、制御部２２０は、編集画面を終了したか否かを確認し（Ｓ７２５）、編集画面を終了していない場合（Ｓ７２５にてＮＯ）、Ｓ７２５を繰り返す。
【０３４５】
編集画面を終了している場合（Ｓ７２５にてＹＥＳ）、最後に「ＯＫ」が押下されたか否かを確認する（Ｓ７２６）。最後に「ＯＫ」が押下された場合（Ｓ７２６にてＹＥＳ）、制御部２２０のコマンド送信部２２２は、テレビ１に編集完了通知と共に編集内容を送信する（Ｓ７２７）。このように、お気に入りチャンネルの更新があった場合、制御部２２０は、編集完了通知と共に編集内容を送信することにより、テレビ１に更新があったことを示す。
【０３４６】
その後、制御部２２０は、テレビ１からの更新応答を受信したか否かを確認する（Ｓ７２８）。テレビ１からの更新応答を受信していない場合（Ｓ７２８にてＮＯ）、制御部２２０は、Ｓ７２８を繰り返す。テレビ１からの更新応答を受信した場合（Ｓ７２８にてＹＥＳ）、制御部２２０は、処理を終了する。
【０３４７】
一方、テレビ１から送信された応答が、編集許可応答でない場合（Ｓ７２４にてＮＯ）、スマートフォン２は、画面に編集不可能状態を示す情報を表示する（Ｓ７２９）。なお、編集不可能状態を示す情報は、テレビ１に表示するように設定してもよい。
【０３４８】
Ｓ７２９終了後、または、最後に「ＯＫ」が押下されていない場合（Ｓ７２６にてＮＯ）、制御部２２０のコマンド送信部２２２は、テレビ１に編集完了通知を送信し（Ｓ７３０）、処理を終了する。このように、お気に入りチャンネルの更新がない場合、制御部２２０は、編集完了通知のみを送信することにより、テレビ１に更新が無いことを示す。
【０３４９】
次に、テレビ１に設定されたお気に入りチャンネルの編集をスマートフォン２上で行う際のテレビ１側の処理について説明する。図７３に示すように、テレビ１の制御部１２０は、Ｓ７２１にてスマートフォン２が送信したお気に入りチャンネルの編集開始の通知（編集開始通知）を受信したか否かを確認する（Ｓ７３１）。制御部１２０は、編集開始通知を受信していない場合（Ｓ７３１にてＮＯ）、Ｓ７３１を繰り返す。一方、編集開始通知を受信している場合（Ｓ７３１にてＹＥＳ）、制御部１２０は、スマートフォン２以外の携帯端末（他の携帯端末）がお気に入りチャンネルの編集を行っているか（編集中か）否かを確認する（Ｓ７３２）。
【０３５０】
他の携帯端末がお気に入りチャンネルの編集を行っている場合（Ｓ７３２にてＹＥＳ）、制御部１２０は、スマートフォン２に編集開始を却下する旨の応答（編集却下応答）を通知する（Ｓ７３３）。他の携帯端末がお気に入りチャンネルの編集を行っていない場合（Ｓ７３２にてＮＯ）、制御部１２０は、テレビ１側でお気に入りチャンネルの編集が行われていないか否かを確認する（Ｓ７３４）。
【０３５１】
テレビ１側でお気に入りチャンネルの編集が行われている場合（Ｓ７３４にてＹＥＳ）、制御部１２０はテレビ１側のお気に入りチャンネルの編集画面を終了する（Ｓ７３５）。Ｓ７３５終了後、または、テレビ１側でお気に入りチャンネルの編集が行われていない場合（Ｓ７３４にてＮＯ）、制御部１２０は、スマートフォン２に対し、編集許可応答を通知する（Ｓ７３６）。そして、テレビ１は、スマートフォン２がお気に入りチャンネルを編集中であることを記録する（Ｓ７３７）。
【０３５２】
Ｓ７３３終了後、または、Ｓ７３７終了後、制御部１２０は、スマートフォン２から編集完了通知を受信したか否かを確認する（Ｓ７３８）。編集完了通知を受信していない場合（Ｓ７３８にてＮＯ）、制御部１２０はスマートフォン２との接続が切断されたか否かを判定する（Ｓ７３９）。スマートフォン２との接続が切断されていない場合（Ｓ７３９にてＮＯ）、制御部１２０はＳ７３８に処理を戻す。
【０３５３】
スマートフォン２との接続が切断された場合（Ｓ７３９にてＹＥＳ）、または、編集完了通知を受信した場合（Ｓ７３８にてＹＥＳ）、制御部１２０は、お気に入りチャンネルの編集内容（登録内容）が更新されたか否かを確認する。具体的には、Ｓ７２７にてスマートフォン２から送信された編集内容を確認する（Ｓ７４０）。編集内容が更新された場合（Ｓ７４０にてＹＥＳ）、制御部１２０は、テレビ１にて管理しているお気に入りチャンネルの登録情報を更新する。具体的には、制御部１２０は、図６７で示したお気に入りチャンネルＤＢを更新する（Ｓ７４１）。そして、制御部１２０は、お気に入りチャンネルを更新したことを示す応答（更新応答）をテレビ１に送信する（Ｓ７４２）。
【０３５４】
Ｓ７４２終了後、または、編集内容が更新されていない場合（Ｓ７４０にてＮＯ）、制御部１２０は、お気に入りチャンネルの更新を行う対象の端末（本例では、スマートフォン２）がお気に入りチャンネルを編集中か否かを確認し（Ｓ７４３）、スマートフォン２がお気に入りチャンネルを編集中でない場合（Ｓ７４３にてＮＯ）、処理を終了する。
【０３５５】
また、スマートフォン２がお気に入りチャンネルを編集中の場合（Ｓ７４３にてＹＥＳ）、制御部１２０は、スマートフォン２に対し、Ｓ７３７にて記録した、スマートフォン２がお気に入りチャンネル編集中であるという記録を消去し（Ｓ７４４）、処理を終了する。
【０３５６】
お気に入りチャンネルの登録情報を更新することにより、テレビ１は、図６５に示すような、お気に入りチャンネルの編集が完了したことを示す画面（Ｕｐｄａｔｅ  ｆａｖｏｒｉｔｅ  ＣＨ  ｌｉｓｔ画面）に遷移する。
【０３５７】
＜お気に入りチャンネル表示画面の変形例＞
なお、お気に入りチャンネルの表示画面は、図６４に示した画面に限定されず、例えば、図７４のように表示されてもよい。図７４に示すように、リモコン等に含まれるＦａｖｏｒｉｔｅ  ＣＨキーと同様に、スマートフォン２上でもＦａｖｏｒｉｔｅ  ＣＨキーを選択することができる。このとき、ユーザが当該Ｆａｖｏｒｉｔｅ  ＣＨキーを選択すると、スマートフォン２は、テレビ１から、テレビ１に登録されているお気に入りチャンネルの一覧（Ｆａｖｏｒｉｔｅ  ＣＨ  Ｌｉｓｔ）を取得し、画面に表示する。そして、ユーザが当該お気に入りチャンネルリストに登録されているチャンネルのうち、１つのチャンネルを選択すると、テレビ１は、選択されたチャンネルに画面を切り換える。
【０３５８】
このように、テレビ１に登録されているお気に入りチャンネルをスマートフォン２上で確認することにより、登録内容を覚えていなくとも、登録されているチャンネルがどのチャンネルかユーザにわかりやすく提示することができる。また、このようにお気に入りチャンネルが一覧表示されることにより、ユーザが所望の番組を簡単に選択することができる。
【０３５９】
また、お気に入りチャンネルの編集画面は、図６５に示した画面に限定されず、例えば、図７５のように表示されてもよい。図７５に示すように、お気に入りチャンネルリストに含まれるチャンネルのうち、何れかのチャンネルを選択することにより、スマートフォン２は、お気に入りチャンネルの編集画面に遷移する。チャンネル名の横に表示されたプルダウンキー（下向き三角）を選択することにより、スマートフォン２のプルダウンメニューにチャンネル一覧が表示される。ユーザは、このプルダウンメニューから新たなお気に入りチャンネルを選択することができる。ユーザが新たなお気に入りチャンネルを選択し、編集を終了すると、スマートフォン２からテレビ１に対し、お気に入りチャンネルの更新情報が送信される。テレビ１は、お気に入りチャンネルの更新情報を受信すると、送信された更新情報を基に、テレビ１に設定されたお気に入りチャンネルを更新する。そして、テレビ１のディスプレイにお気に入りチャンネルを更新したことを示すメッセージを表示する。
【０３６０】
上記構成によれば、テレビ１の設定画面を開いてお気に入りチャンネルを更新する場合に比べ、ユーザは簡単にお気に入りチャンネルを更新することができる。
【０３６１】
（お気に入りアプリ機能）
本発明のスマートフォン（携帯端末）２におけるお気に入りアプリ機能について図７６から図７９を参照して説明する。お気に入りアプリ機能とは、ユーザが予めお気に入りアプリとして設定したアプリケーション（サービス）をスマートフォン２の画面に表示させる機能である。
【０３６２】
図７６は、スマートフォン２を用いたお気に入りアプリ機能の概要の一例を示した図である。図７６に示すように、スマートフォン２は、お気に入りアプリ機能を実行するためのお気に入りアプリ（Ｆａｖｏｒｉｔｅ  Ａｐｐｓ）タブが選択されると、お気に入りアプリを一覧表示する。なお、図７６のスマートフォン２では、３つのお気に入りアプリが表示されているが、お気に入りアプリの数はこれに限定されない。ユーザがお気に入りアプリから何れかのアプリケーション名を選択すると、テレビ１の画面は、現在視聴中の画面から、選択されたアプリケーションの画面に切り換わる。
【０３６３】
また、図７６に示すように、スマートフォン２は、アプリケーション名（サービス名）の隣に、当該アプリケーション示すアイコン（図７６では、楕円、三角および月の形をしたアイコン）を表示してもよい。また、スマートフォン２は、アプリケーション名の代わりに上記アイコンを表示してもよい。
【０３６４】
このように、スマートフォン２は、テレビ１に設定されているユーザのお気に入りアプリを表示することができる。したがって、ユーザはお気に入りアプリに登録されているアプリケーションを簡単に選択することができる。
【０３６５】
また、スマートフォン２は、テレビ１に設定されているユーザのお気に入りアプリを編集することもできる。図７６に示すように、スマートフォン２の画面には、お気に入りアプリを編集する「Ｅｄｉｔ」キーが表示されている。ユーザが「Ｅｄｉｔ」キーを選択すると、スマートフォン２は、図７７に示すようにお気に入りアプリの編集画面（Ｅｄｉｔ  Ｆａｖｏｒｉｔｅ  Ａｐｐｓ画面）に遷移する。
【０３６６】
登録されているお気に入りアプリのいずれか（例えば、「ＵＳＢ  Ｍｅｄｉａ」）を選択すると、スマートフォン２のプルダウンメニューにアプリ一覧が表示される。ユーザは、このプルダウンメニューから新たなお気に入りアプリを選択することができる。ユーザが新たなお気に入りアプリを選択し、ＯＫボタンを押すと、スマートフォン２からテレビ１に対し、お気に入りアプリの更新情報が送信される。テレビ１は、お気に入りアプリの更新情報を受信すると、送信された更新情報を基に、テレビ１に設定されたお気に入りアプリを更新する。そして、テレビ１のディスプレイにお気に入りアプリを更新したことを示すメッセージを表示する。
【０３６７】
テレビ１は、お気に入りアプリを編集するとき、編集画面によって現在ユーザが視聴している画面のサイズを小さくしたり、現在ユーザが視聴している画面と当該編集画面とを重ねて表示することもできる。ただし、現在ユーザが視聴している画面が見えづらくなる場合がある。このような場合に、上記の構成を用いることにより、テレビ１に設定するお気に入りアプリをスマートフォン２の画面上で設定することができる。よって、ユーザが視聴しているテレビ１の画面を維持したまま、ユーザはお気に入りアプリをスマートフォン２上で簡単に編集することができる。
【０３６８】
なお、スマートフォン２がお気に入りアプリの編集をしているとき、テレビ１のディスプレイに編集中であることを示すメッセージを表示してもよい。これにより、他のユーザが同時にお気に入りアプリの編集をすることを防ぐことができる。
【０３６９】
＜お気に入りアプリ送信方法＞
次に、テレビ１に設定されたお気に入りアプリを、テレビ１がスマートフォン２に送信する方法について説明する。なお、本方法は、図６６に示したお気に入りチャンネルの送信方法において、お気に入りチャンネルをお気に入りアプリに置き換えたものである。
【０３７０】
テレビ１の制御部１２０は、スマートフォン２が送信したお気に入りアプリ（Ｆａｖｏｒｉｔｅ  Ａｐｐｓ）取得要求を、受信したか否かを確認する。制御部１２０は、お気に入りアプリ取得要求を受信していない場合、上記確認を繰り返す。一方、お気に入りアプリ取得要求を受信している場合、制御部１２０は、お気に入りアプリ取得要求に含まれる送信パラメータから時刻を抽出する。
【０３７１】
次に、制御部１２０は、抽出した時刻が、お気に入りアプリＤＢの更新日時より前か否かを確認する。ここで、お気に入りアプリＤＢは、制御部１２０によって管理されたデータベースである（お気に入りアプリ管理手段）。なお、お気に入りアプリＤＢは、制御部１２０とは別の部材によって管理されてもよい。
【０３７２】
抽出した時刻が、お気に入りアプリＤＢの更新日時より前の場合、制御部１２０の状態通知部１２２は、スマートフォン２にお気に入りアプリリストを送信し、処理を終了する。抽出した時刻が、お気に入りアプリＤＢの更新日時と同じ、または、更新日時より後の場合、制御部１２０の状態通知部１２２は、お気に入りアプリの更新が不要である旨の応答（更新不要応答）をスマートフォン２に送信し、処理を終了する。
【０３７３】
＜お気に入りアプリ受信方法＞
次に、スマートフォン２における、テレビ１に設定されたお気に入りアプリの受信方法について説明する。なお、本方法は、図６８に示したお気に入りチャンネルの送信方法のお気に入りチャンネルをお気に入りアプリに置き換えたものである。
【０３７４】
スマートフォン２の制御部２２０は、お気に入りアプリ操作画面に遷移することを確認し、遷移していない場合、当該確認を繰り返す。遷移している場合、制御部２２０は、お気に入りアプリリストを今までにテレビ１から取得しているか否かを確認する。
【０３７５】
お気に入りアプリリストを取得したことがある場合、制御部２２０は、スマートフォン２側で保持しているお気に入りアプリの情報の最終更新日時を送信パラメータとして設定する。一方、お気に入りアプリリストを取得したことがない場合、制御部２２０は、予め決められた時刻（例えば、２００１年１月１日０時０分０秒）を送信パラメータとして設定する。
【０３７６】
次に、制御部２２０のコマンド送信部２２２は、設定した送信パラメータと共に、テレビ１にお気に入りアプリ取得要求を送信する。
【０３７７】
その後、制御部２２０は、テレビ１からの応答を受信したか否かを確認する。テレビ１からの応答を受信していない場合、制御部２２０はタイムアウト時間を過ぎたか否かを判定する。タイムアウト時間を過ぎていない場合、制御部２２０は再度、テレビ１からの応答を受信したか否かを確認する。タイムアウト時間を過ぎた場合、スマートフォン２は処理を終了する。なお、タイムアウト時間を過ぎていた場合であっても、再度、テレビ１から応答を受信しているか否かを確認してもよい。
【０３７８】
テレビ１からの応答を受信した場合、制御部２２０は、当該応答が、テレビ１から送信された更新不要応答か否かを確認し、更新不要応答である場合、処理を終了する。受信した応答が更新不要応答でない場合、スマートフォン２内で管理しているお気に入りアプリの情報を受信したお気に入りアプリリストを基に更新し、処理を終了する。
【０３７９】
以上の受信方法にてお気に入りアプリリストをテレビ１から受信すると、スマートフォン２のＧＵＩ表示部２２１は、図７６に示したような、お気に入りアプリの一覧をスマートフォン２の画面上に表示することができる。
【０３８０】
＜アプリ一覧送信方法＞
次に、テレビ１が利用可能なアプリケーションの一覧をスマートフォン２に送信する送信方法について説明する。なお、本方法は、図６９に示した受信可能なチャンネル一覧の送信方法における受信可能なチャンネルを利用可能なアプリケーションに置き換えたものである。
【０３８１】
テレビ１の制御部１２０は、スマートフォン２が送信したアプリ一覧取得要求を受信したか否かを確認する。制御部１２０は、アプリ一覧取得要求を受信していない場合、上記確認を繰り返す。一方、アプリ一覧取得要求を受信している場合、制御部１２０は、アプリ一覧取得要求に含まれる送信パラメータから時刻を抽出する。
【０３８２】
次に、制御部１２０は、抽出した時刻が、利用可能なアプリ一覧ＤＢの更新日時より前か否かを確認する。ここで、利用可能なアプリ一覧ＤＢとは、テレビ１が利用可能なアプリケーションを管理するデータベースであり、制御部１２０によって管理されたデータベースである。なお、受信可能なチャンネル一覧ＤＢは、制御部１２０とは別の部材によって管理されてもよい。
【０３８３】
抽出した時刻が、利用可能なアプリ一覧ＤＢの更新日時より前の場合、制御部１２０の状態通知部１２２は、スマートフォン２に利用可能なアプリ一覧を送信し、処理を終了する。
【０３８４】
抽出した時刻が、利用可能なアプリ一覧ＤＢの更新日時と同じ、または、更新日時より後の場合、制御部１２０の状態通知部１２２は、利用可能なアプリ一覧の更新が不要である旨の応答（更新不要応答）をスマートフォン２に送信し、処理を終了する。
【０３８５】
＜アプリ一覧受信方法＞
次に、スマートフォン２における、テレビ１が利用可能なアプリケーションの一覧をテレビ１から受信する方法について説明する。なお、本方法は、図７１に示した受信可能なチャンネル一覧の受信方法における受信可能なチャンネルを利用可能なアプリケーションに置き換えたものである。
【０３８６】
スマートフォン２の制御部２２０は、お気に入りアプリ編集画面に遷移することを確認し、遷移していない場合、上記確認を繰り返す。遷移している場合、制御部２２０は、テレビ１が利用可能なアプリケーションの一覧（アプリ一覧）を今までにテレビ１から取得しているか否かを確認する。
【０３８７】
アプリ一覧を取得したことがある場合、制御部２２０は、スマートフォン２側で保持しているアプリ一覧の最終更新日時を送信パラメータとして設定する。一方、アプリ一覧を取得したことがない場合、制御部２２０は、予め決められた時刻（例えば、２００１年１月１日０時０分０秒）を送信パラメータとして設定する。
【０３８８】
次に、制御部２２０のコマンド送信部２２２は、設定した送信パラメータと共に、テレビ１にアプリ一覧取得要求を送信する。
【０３８９】
その後、制御部２２０は、テレビ１からの応答を受信したか否かを確認する。テレビ１からの応答を受信していない場合、制御部２２０はタイムアウト時間を過ぎたか否かを判定する。タイムアウト時間を過ぎていない場合、制御部２２０は再度、テレビ１からの応答を受信したか否かを確認する。タイムアウト時間を過ぎた場合、スマートフォン２は処理を終了する。なお、タイムアウト時間を過ぎていた場合であっても、再度、テレビ１から応答を受信しているか否かを確認してもよい。
【０３９０】
テレビ１からの応答を受信した場合、制御部２２０は、当該応答が、テレビ１から送信された更新不要応答か否かを確認し、更新不要応答である場合、処理を終了する。受信した応答が更新不要応答でない場合、スマートフォン２内で管理しているアプリ一覧を受信したアプリ一覧を基に更新し、処理を終了する。
【０３９１】
以上の受信方法にてテレビ１が利用可能なアプリ一覧をテレビ１から受信すると、スマートフォン２のＧＵＩ表示部２２１は、お気に入りアプリの編集画面において、テレビ１が利用可能なアプリケーションの一覧を表示することができる。
【０３９２】
＜お気に入りアプリ編集方法＞
次に、テレビ１に設定されたお気に入りアプリの編集を行う方法について説明する。なお、本方法は、図７２および図７３に示したお気に入りチャンネルの編集方法におけるチャンネルがアプリケーションに変更されたものである。
【０３９３】
スマートフォン２の制御部２２０は、ＧＵＩ表示部２２１がスマートフォン２の画面をお気に入りチャンネル編集画面に遷移させたか否か確認し、遷移していない場合、上記確認を繰り返す。遷移している場合、制御部２２０は、テレビ１にお気に入りアプリの編集を開始する通知（編集開始通知）を送信する。
【０３９４】
その後、制御部２２０は、テレビ１からの応答を受信したか否かを確認する。テレビ１からの応答を受信していない場合、制御部２２０はタイムアウト時間を過ぎたか否かを判定する。タイムアウト時間を過ぎていない場合、制御部２２０は再度、テレビ１からの応答を受信したか否かを確認する。タイムアウト時間を過ぎた場合、スマートフォン２は処理を終了する。なお、タイムアウト時間を過ぎていた場合であっても、再度、テレビから応答を受信しているか否かを確認してもよい。
【０３９５】
テレビ１からの応答を受信した場合、制御部２２０は、受信した応答が、テレビ１から送信された編集許可応答か否かを確認する。編集許可応答の場合、制御部２２０は、編集画面を終了したか否かを確認し、編集画面を終了していない場合、上記確認を繰り返す。
【０３９６】
編集画面を終了している場合、最後に「ＯＫ」が押下されたか否かを確認する。最後に「ＯＫ」が押下された場合、制御部２２０のコマンド送信部２２２は、テレビ１に編集完了通知と共に編集内容を送信する。このように、お気に入りアプリの更新があった場合、制御部２２０は、編集完了通知と共に編集内容を送信することにより、テレビ１に更新があったことを示す。
【０３９７】
その後、制御部２２０は、テレビ１からの更新応答を受信したか否かを確認する。テレビ１からの更新応答を受信していない場合、制御部２２０は、上記確認を繰り返す。テレビ１からの更新応答を受信した場合、制御部２２０は、処理を終了する。
【０３９８】
一方、テレビ１から送信された応答が、編集許可応答でない場合、スマートフォン２は、画面に編集不可能状態を示す情報を表示する。なお、編集不可能状態を示す情報は、テレビ１に表示するように設定してもよい。
【０３９９】
編集不可能状態表示後、または、最後に「ＯＫ」が押下されていない場合、制御部２２０のコマンド送信部２２２は、テレビ１に編集完了通知を送信し、処理を終了する。このように、お気に入りアプリの更新がない場合、制御部２２０は、編集完了通知のみを送信することにより、テレビ１に更新が無いことを示す。
【０４００】
次に、テレビ１に設定されたお気に入りアプリの編集をスマートフォン２上で行う際のテレビ１側の処理について説明する。テレビ１の制御部１２０は、スマートフォン２が送信したお気に入りアプリの編集開始の通知（編集開始通知）を受信したか否かを確認する。制御部１２０は、編集開始通知を受信していない場合、上記確認を繰り返す。一方、編集開始通知を受信している場合、制御部１２０は、スマートフォン２以外の携帯端末（他の携帯端末）がお気に入りアプリの編集を行っているか（編集中か）否かを確認する。
【０４０１】
他の携帯端末がお気に入りアプリの編集を行っている場合、制御部１２０は、スマートフォン２に編集開始を却下する旨の応答（編集却下応答）を通知する。他の携帯端末がお気に入りアプリの編集を行っていない場合、制御部１２０は、テレビ１側でお気に入りアプリの編集が行われていないか否かを確認する。
【０４０２】
テレビ１側でお気に入りアプリの編集が行われている場合、制御部１２０はテレビ１側のお気に入りアプリの編集画面を終了する。お気に入りアプリの編集終了後、または、テレビ１側でお気に入りアプリの編集が行われていない場合、制御部１２０は、スマートフォン２に対し、編集許可応答を通知する。そして、テレビ１は、スマートフォン２がお気に入りアプリを編集中であることを記録する。
【０４０３】
編集却下応答を通知後、または、スマートフォン２がお気に入りアプリを編集中であることを記録した後、制御部１２０は、スマートフォン２から編集完了通知を受信したか否かを確認する。編集完了通知を受信していない場合、制御部１２０はスマートフォン２との接続が切断されたか否かを判定する。スマートフォン２との接続が切断されていない場合、制御部２２０は、再度、テレビ１からの応答完了通知を受信したか否かを確認する。
【０４０４】
スマートフォン２との接続が切断された場合、または、編集完了通知を受信した場合、制御部１２０は、お気に入りアプリの編集内容（登録内容）が更新されたか否かを確認する。具体的には、スマートフォン２から送信された編集内容を確認する。編集内容が更新された場合、制御部１２０は、テレビ１にて管理しているお気に入りアプリの登録情報を更新する。具体的には、制御部１２０は、お気に入りアプリＤＢを更新する。そして、制御部１２０は、お気に入りアプリを更新したことを示す応答（更新応答）をテレビ１に送信する。
【０４０５】
更新応答送信後、または、編集内容が更新されていない場合、制御部１２０は、お気に入りアプリの更新を行う対象の端末（本例では、スマートフォン２）がお気に入りアプリを編集中か否かを確認し、スマートフォン２がお気に入りアプリを編集中でない場合、処理を終了する。
【０４０６】
また、スマートフォン２がお気に入りアプリを編集中の場合、制御部１２０は、スマートフォン２に対し、スマートフォン２がお気にアプリ編集中であるという記録を消去し、処理を終了する。
【０４０７】
お気に入りアプリの登録情報を更新することにより、テレビ１は、図７７に示すような、お気に入りアプリの編集が完了したことを示す画面（Ｕｐｄａｔｅ  ｆａｖｏｒｉｔｅ  Ａｐｐ  ｌｉｓｔ画面）に遷移する。
【０４０８】
＜お気に入りアプリ表示画面の変形例＞
なお、お気に入りアプリの表示画面は、図７６に示した画面に限定されず、例えば、図７８のように表示されてもよい。図７８に示すように、リモコン等に含まれるＦａｖｏｒｉｔｅ  ＡＰＰキーと同様に、スマートフォン２上でもＦａｖｏｒｉｔｅ  ＡＰＰキーを選択することができる。このとき、ユーザが当該Ｆａｖｏｒｉｔｅ  ＡＰＰキーを選択すると、スマートフォン２は、テレビ１から、テレビ１に登録されているお気に入りアプリの一覧を取得し、画面に表示する。そして、ユーザが当該お気に入りアプリに登録されているアプリケーションのうち、１つのアプリケーションを選択すると、テレビ１は、選択されたアプリケーションに画面を切り換える。
【０４０９】
このように、テレビ１に登録されているお気に入りアプリをスマートフォン２上で確認することにより、登録内容を覚えていなくとも、登録されているアプリケーションがどのアプリケーションかユーザにわかりやすく提示することができる。また、このようにお気に入りアプリが一覧表示されることにより、ユーザが所望のアプリケーションを簡単に選択することができる。
【０４１０】
また、お気に入りアプリの編集画面は、図７７に示した画面に限定されず、例えば、図７９のように表示されてもよい。図７９に示すように、お気に入りアプリの一覧に含まれるアプリケーションのうち、何れかのアプリケーションを選択することにより、スマートフォン２は、お気に入りアプリの編集画面に遷移する。ユーザがアプリケーション名の横に表示されたプルダウンキー（下向き三角）を選択することにより、スマートフォン２のプルダウンメニューにアプリケーション一覧が表示される。ユーザは、このプルダウンメニューから新たなお気に入りアプリを選択することができる。ユーザが新たなお気に入りアプリを選択し、編集を終了すると、スマートフォン２からテレビ１に対し、お気に入りアプリの更新情報が送信される。テレビ１は、お気に入りアプリの更新情報を受信すると、送信された更新情報を基に、テレビ１に設定されたお気に入りアプリを更新する。そして、テレビ１のディスプレイにお気に入りアプリを更新したことを示すメッセージを表示する。
【０４１１】
上記構成によれば、テレビ１の設定画面を開いてお気に入りアプリを更新する場合に比べ、ユーザは簡単にお気に入りアプリを更新することができる。
【０４１２】
（チャンネル一覧からの選局機能）
本発明のスマートフォン（携帯端末）２におけるチャンネル一覧からの選局機能について図８０を参照して説明する。チャンネル一覧からの選局機能とは、テレビ１が受信可能なチャンネルの一覧をスマートフォン２の画面に表示させ、当該一覧から選択されたチャンネルをテレビ１に表示させる機能である。
【０４１３】
図８０は、スマートフォン２を用いたチャンネル一覧からの選局機能の概要の一例を示した図である。図８０に示すように、スマートフォン２は、テレビ１が受信可能なチャンネルの一覧を表示するためのチャンネルリスト（ＣＨ  Ｌｉｓｔ）タブが選択されると、テレビ１が受信可能なチャンネルを一覧表示する。なお、本実施形態においては、チャンネル一覧は、図８０に示したように、地上Ｄ、ＢＳおよびＣＳごとに表示する構成となっているが、本発明はこれに限定されず、地上Ｄ、ＢＳおよびＣＳを区別せず、シームレスに表示する方法であってもよい。
【０４１４】
図８０に示すようにテレビ１が受信可能なチャンネルは、スクロール可能なリストを用いて表示されている。ユーザが上下方向へのフリック操作またはドラッグ操作を行うことにより、スマートフォン２は、次ページ以降のチャンネルを表示することができる。また、ユーザがチャンネル一覧の項目（チャンネル名）を選択すると、テレビ１の画面は、現在視聴中の画面から、選択されたチャンネルの画面に切り換わる。
【０４１５】
＜チャンネル一覧送信方法＞
本機能におけるテレビ１が受信可能なチャンネルの一覧をスマートフォン２に送信する送信方法は、上述したお気に入りチャンネル機能におけるチャンネル一覧送信方法と同じ方法であるため、説明を省略する。
【０４１６】
＜チャンネル一覧受信方法＞
次に、スマートフォン２における、テレビ１が受信可能なチャンネルの一覧をテレビ１から受信する方法について説明する。まず、制御部２２０は、チャンネルリスト（ＣＨ  Ｌｉｓｔ）画面に遷移することを確認し、遷移していない場合、当該確認処理を繰り返す。遷移している場合、制御部２２０は、図７１にて説明を行ったお気に入りチャンネル機能におけるチャンネル一覧受信方法のＳ７１２以下を実行する。これにより、スマートフォン２はテレビ１が受信可能なチャンネル一覧をテレビ１から受信することができる。
【０４１７】
（アプリ一覧（ＤＯＣＫ）からのアプリケーション切換機能）
本発明のスマートフォン（携帯端末）２におけるアプリ一覧（ＤＯＣＫ）からのアプリケーション切換機能について図８１を参照して説明する。アプリ一覧（ＤＯＣＫ）からのアプリケーション切換機能とは、テレビ１が利用可能なアプリケーションの一覧をスマートフォン２の画面に表示させ、当該一覧から選択されたアプリケーションをテレビ１に表示させる機能である。
【０４１８】
図８１は、スマートフォン２を用いたアプリ一覧（ＤＯＣＫ）からのアプリケーション切換機能の概要の一例を示した図である。図８１に示すように、スマートフォン２は、テレビ１が利用可能なアプリケーションの一覧を表示するためのＤＯＣＫタブが選択されると、テレビ１が利用可能なアプリケーションを一覧表示する。図８１に示すようにテレビ１が利用可能なアプリケーションは、アプリケーション名（サービス名）と当該アプリケーションに対応するアイコン（図７６では、楕円、三角、月等の形をしたアイコン）とを表示する。なお、アプリ一覧には、アプリケーション名または当該アプリケーションに対応するアイコンのどちらか一方を表示してもよい。また、アプリケーション一覧は、スクロール可能に表示されている。ユーザが上下方向へのフリック操作またはドラッグ操作を行うことにより、スマートフォン２は、次ページ以降のアプリ一覧を表示することができる。また、ユーザがアプリ一覧の項目（アプリケーション名またはアイコン）を選択すると、テレビ１の画面は、現在視聴中の画面から、選択されたアプリケーションの画面に切り換わる。
【０４１９】
＜アプリ一覧送信方法＞
本機能におけるテレビ１が利用可能なアプリケーションの一覧をスマートフォン２に送信する送信方法は、上述したお気に入りアプリ機能におけるアプリ一覧送信方法と同じ方法であるため、説明を省略する。
【０４２０】
＜アプリ一覧受信方法＞
次に、スマートフォン２における、テレビ１が利用可能なアプリケーションの一覧をテレビ１から受信する方法について説明する。まず、スマートフォン２の制御部２２０は、ＤＯＣＫ画面に遷移することを確認し、遷移していない場合、上記確認を繰り返す。遷移している場合、制御部２２０は、上述したお気に入りアプリ機能におけるアプリ一覧受信方法のお気に入りアプリ編集画面の確認処理以降の処理を実行する。これにより、スマートフォン２はテレビ１が利用可能なアプリ一覧をテレビ１から受信することができる。
【０４２１】
＜アプリ一覧表示画面の変形例＞
なお、アプリ一覧の表示画面は、図８１に示した画面に限定されず、例えば、図８２のように表示されてもよい。図８２に示すように、スマートフォン２は、テレビ１が利用可能なアプリ一覧を一行ずつ表示してもよい。また、図８１と同様に、スマートフォン２は、テレビ１が利用可能なアプリケーションを示すアプリケーション名および当該アプリケーションを示すアイコンの少なくとも一方を表示する。
【０４２２】
ユーザが上下方向へのフリック操作またはドラッグ操作を行うことにより、スマートフォン２は、次ページ以降のアプリケーションを表示することができる。また、ユーザがアプリ一覧の項目（アプリケーション名またはアイコン）を選択すると、テレビ１の画面は、現在視聴中の画面から、選択されたアプリケーションの画面に切り換わる。
【０４２３】
アプリケーション一覧をテレビ１の画面上に表示した場合、ＯＳＤ画面等に表示されるため現在視聴中の画面が隠れてしまう場合がある。しかし、図８１および図８２のように、アプリ一覧をスマートフォン２の画面上に表示することにより、現在視聴中の画面を隠すことなく、ユーザが所望するアプリケーションを選択することができる。
【０４２４】
（サービスリスト表示機能）
本発明のスマートフォン（携帯端末）２におけるサービスリスト表示機能について、図８３から図８５を参照して説明する。サービスリスト表示機能とは、テレビ１が利用可能なデータ放送コンテンツの一覧（サービスリスト）をスマートフォン２の画面に表示させる機能である。
【０４２５】
図８３は、スマートフォン２を用いたサービスリスト機能の概要の一例を示した図である。図８３に示すように、データサービスをテレビ１から受信すると、スマートフォン２は、サービスリスト機能を実行するためのデータサービス（Ｄａｔａ  Ｓｅｒｖｉｃｅ）タブに、テレビ１が利用可能なデータ放送コンテンツを一覧表示する。なお、図８３のスマートフォン２では３つのデータ放送コンテンツが表示されているが、スマートフォン２に表示されるデータ放送コンテンツの数はこれに限定されない。
【０４２６】
ここで、データ放送コンテンツが単独で表示可能なコンテンツの場合、テレビ１は、当該コンテンツの読み込みを完了した時点で逐次、スマートフォン２に送信する。また、データ放送コンテンツが複数のコンテンツの全てを読み込まないとテレビ１に表示できないデータ放送コンテンツの場合、テレビ１は、当該データ放送コンテンツに含まれる全てのコンテンツの読み込みが完了した時点で、一括してスマートフォン２に送信する。
【０４２７】
ユーザがスマートフォン２に表示されたデータ放送コンテンツ一覧から何れかのデータ放送コンテンツを選択すると、テレビ１は、現在視聴中の画面に選択されたデータ放送コンテンツを表示する。図８３に示すように、「ＡＢＣ  Ｄａｔａ  ｅｘｐｒｅｓｓ」が選択されると、テレビ１は、現在視聴中の画面に選択された「ＡＢＣ  Ｄａｔａ  ｅｘｐｒｅｓｓ」を表示する。
【０４２８】
なお、スマートフォン２は、ユーザによって、データ放送コンテンツをテレビ１から受信後、自動的にデータ放送コンテンツの一覧を表示する画面に遷移するように設定されてもよいし、自動的に遷移しないように設定されてもよい。なお、製品出荷時、スマートフォン２は、データ放送コンテンツを受信後、自動的に受信したデータ放送コンテンツの一覧を表示する画面に遷移するように設定されていてもよい。
【０４２９】
＜サービスリスト送信方法＞
次にテレビ１が利用可能なデータ放送コンテンツの一覧をスマートフォン２に送信する送信方法について、図８４を参照して説明する。図８４は、テレビ１が利用可能なデータ放送コンテンツの一覧（サービスリスト）をスマートフォン２に送信する方法の一例を示すフローチャートである。なお、以下のフローチャートにおいては、データ放送コンテンツをサービスと呼ぶ。
【０４３０】
図８４に示すように、テレビ１の制御部１２０は、データ放送コンテンツが存在するか否かを確認し（Ｓ８４１）、データ放送コンテンツが存在しない場合（Ｓ８４１にてＮＯ）、処理を終了する。データ放送コンテンツが存在する場合（Ｓ８４１にてＹＥＳ）、制御部１２０は、新たに読み込みを完了したサービスが存在するか否かを確認する（Ｓ８４２）。
【０４３１】
新たに読み込みを完了したサービスが存在しない場合（Ｓ８４２にてＮＯ）、制御部１２０は、Ｓ８４２を繰り返す。新たに読み込みを完了したサービスが存在する場合（Ｓ８４２にてＹＥＳ）、制御部１２０は、存在するサービスが単独でテレビ１に利用可能なサービスか否かを確認する（Ｓ８４３）。
【０４３２】
存在するサービスが単独でテレビ１に利用可能なサービスである場合（Ｓ８４３にてＹＥＳ）、制御部１２０の状態通知部１２２は、スマートフォン２に当該サービスを含んだサービスリスト（データ放送コンテンツの一覧）を通知（送信）する（Ｓ８４４）。Ｓ８４４終了後、または、存在するサービスが単独でテレビ１に利用可能なサービスでない場合（Ｓ８４３にてＮＯ）、制御部１２０は、全てのサービスの読み込みが完了したか否かを確認する（Ｓ８４５）。
【０４３３】
全てのサービスの読み込みが完了していない場合（Ｓ８４５にてＮＯ）、制御部１２０は、Ｓ８４２に処理を戻す。全てのサービスの読み込みが完了している場合（Ｓ８４５にてＹＥＳ）、制御部１２０は、最新のサービスリストを送信しているか否かを確認する（Ｓ８４６）。
【０４３４】
最新のサービスリストを送信している場合（Ｓ８４６にてＹＥＳ）、テレビ１は処理を終了する。最新のサービスリストを送信していない場合（Ｓ８４６にてＮＯ）、制御部１２０の状態通知部１２２は、スマートフォン２にサービスリストを通知（送信）し（Ｓ８４７）、処理を終了する。
【０４３５】
＜サービスリスト受信方法＞
次に、スマートフォン２における、テレビ１が利用可能なデータ放送コンテンツの一覧をテレビ１から受信する送信方法について、図８５を参照して説明する。図８５は、テレビ１が利用可能なデータ放送コンテンツの一覧（サービスリスト）を受信する方法の一例を示すフローチャートである。なお、以下のフローチャートにおいては、データ放送コンテンツをサービスと呼ぶ。
【０４３６】
図８５に示すように、スマートフォン２はテレビ１からサービスリスト（データサービスリスト）を受信しているか否かを確認する（Ｓ８５１）。データサービスリストを受信していない場合（Ｓ８５１にてＮＯ）、制御部２２０は、Ｓ８５１を繰り返す。データサービスリストを受信している場合（Ｓ８５１にてＹＥＳ）、制御部２２０は、スマートフォン２内で管理しているデータサービスリストを更新する（Ｓ８５２）。
【０４３７】
その後、制御部２２０は、データサービスリストの選択画面に自動で遷移（自動表示）する設定がされているか否かを確認し（Ｓ８５３）、自動表示が設定されていない場合（Ｓ８５３にてＮＯ）、処理を終了する。なお、自動表示が設定されていない場合、データサービスが更新されたことを示すポップアップをスマートフォン２の画面に表示してもよい。
【０４３８】
自動表示が設定されている場合（Ｓ８５３にてＹＥＳ）、スマートフォン２の画面にデータサービス選択画面を表示し（Ｓ８５４）、処理を終了する。
【０４３９】
以上の受信方法にてテレビ１がデータ放送コンテンツの一覧をテレビ１から受信すると、スマートフォン２のＧＵＩ表示部２２１は、テレビ１が利用可能なデータ放送コンテンツの一覧を表示することができる。また、スマートフォン２は、テレビ１が利用可能なデータ放送コンテンツのみを表示するため、ユーザはスマートフォン２に表示されたデータ放送コンテンツをすぐに利用することができる。また、テレビ１が利用できないデータ放送コンテンツを選択するという誤操作の可能性を低減することができる。
【０４４０】
〔その他のアプリケーション〕
ここまでは、スマートフォン２を従来の赤外線リモコンのように動作させるためのリモコンアプリケーションについて説明したが、ここで説明したテレビ１の制御方法は、その他のアプリケーションにも応用することができる。以下、このような応用例をいくつか例を挙げて説明する。
【０４４１】
（ブラウザアプリケーション）
テレビ１及びスマートフォン２には、ウェブコンテンツを閲覧するためのウェブブラウザが搭載されている。ここでは、スマートフォン２で動作するウェブブラウザによって、テレビ１で動作するウェブブラウザを制御する方法について説明する。もう少し具体的に言うと、スマートフォン２で動作するウェブブラウザで閲覧中のウェブページに、テレビ１で動作するウェブブラウザをアクセスさせる方法について説明する。
【０４４２】
図５４は、スマートフォン２で動作するウェブブラウザで閲覧中のウェブページに、テレビ１で動作するウェブブラウザをアクセスさせる方法の概要を示した図である。
【０４４３】
ウェブページＡを閲覧しているときにユーザが予め定められた特定の操作を行うと、スマートフォン２は、ウェブページＡにアクセスすることを指示する制御コマンドであって、ウェブページＡのＵＲＬを含む制御コマンドをテレビ１に送信する。テレビ１は、この制御コマンドを受信すると、ウェブブラウザが起動されていなければウェブブラウザを起動する。そして、テレビ１で動作するウェブブラウザは、制御コマンドに含まれるＵＲＬにより指定されるリソース（ＨＴＭＬファイルなど）をインターネットを介して取得し、取得したリソースをもちいてウェブページＡを再生する。これにより、スマートフォン２にて閲覧中のウェブページＡをテレビ１でも閲覧できるようになる。
【０４４４】
なお、ウェブサイトによっては、ＰＣ用、テレビ用、スマートフォン用のウェブページをもち、これらのウェブページに異なるＵＲＬを与えている場合がある。このような場合に備えて、テレビ１で動作するウェブブラウザがウェブページＡにアクセスする方法を以下のように変更してもよい。
【０４４５】
すなわち、テレビ１で動作するウェブブラウザは、制御コマンドに含まれるＵＲＬを所定のリダイレクトサーバに送信する。このリダイレクトサーバは、スマートフォン用のウェブページのＵＲＬとテレビ用のウェブページのＵＲＬとが関連付けて登録されたデータベースを有しており、テレビ１から取得しスマートフォン用のウェブページＡのＵＲＬを、テレビ用のウェブページＡ’のＵＲＬに翻訳してテレビ１に返す。テレビ１は、このリダイレクトサーバから取得したＵＲＬにより指定されるリソースをインターネットを介して取得し、取得したリソースを用いてウェブページＡ’を再生する。これにより、スマートフォン２で閲覧中のウェブページＡに対応するテレビ用のウェブページＡ’をテレビ１で閲覧できるようになる。
【０４４６】
（ＤＬＮＡアプリケーション）
テレビ１は、メディアサーバ４に蓄積されたコンテンツを再生するＤＮＬＡメディアプレーヤとして機能する。また、スマートフォン２は、メディアサーバ４に蓄積されたコンテンツを再生するＤＮＬＡメディアプレーヤ、及び、ＤＬＮＡメディアプレーヤとしてのテレビ１を制御するＤＬＮＡメディアコントローラとして機能する。これらを用いることによって、動画及び静止画の再生シーンにおいて、テレビ１とスマートフォン２との間で有機的な連携を実現することができる。
【０４４７】
図５５は、静止画の再生シーンにおけるテレビ１とスマートフォン２との連携動作を示した図である。
【０４４８】
スマートフォン２においてメディアサーバ４から取得した画像を再生している際に（５５−ａ）、その画像を上方にドラッグするユーザ操作が行われると、スマートフォン２は、その画像の再生を指示するコマンドをテレビ１に送信する。同時に、スマートフォン２は、その画像が傾きながら上方から画面外にフレームアウトするようなアニメーションを表示する（５５−ｂ）。このコマンドを受けたテレビ１（５５―ｃ）は、このコマンドにより指定された画像をメディアサーバ４から取得して再生する。この画像の再生を開始する際、テレビ１は、図５５に示すように、この静止画が下方から画面内にフレームインするアニメーションを表示する（５５ｃ〜５５ｄ）。
【０４４９】
このように、スマートフォン２において、画像が上方から画面外にフレームアウトするアニメーションを表示し、テレビ１において、画像が下方から画面内にフレームインするアニメーションを表示することによって、あたかもスマートフォン２からテレビ１へと画像が飛び移ったような斬新な印象をユーザに抱かせることができる。
【０４５０】
スマートフォン２に対して、再生中の画像を右に向かってフリックする操作がなされると、スマートフォン２は、再生中の画像を右方からフレームアウトさせ、メディアサーバ４から取得した新たな画像を左方からフレームインさせることによって、表示対象画像を切り換える。同時に、スマートフォン２は、その新たな画像の再生を指示するコマンド１をテレビ１に送信する（５５−ｅ）。このコマンドを受けたテレビ１は、このコマンドにより指定された画像をメディアサーバ４から取得して再生する。この画像の再生を開始する際、テレビ１は、再生中の画像をフェードアウトさせ、メディアサーバ４から取得した新たな画像をフェードインさせる（５５−ｄ〜５５−ｇ）。
【０４５１】
このように、スマートフォン２において画像をフレームイン／フレームアウトさせるタイミングに合わせて、テレビ１において画像をフェードイン／フェードアウトさせることによって、あたかもテレビ１で表示されている画像を触って操作しているような印象をユーザに抱かせることができる。
【０４５２】
スマートフォン２に対して、再生中の画像を下方にドラッグするユーザ操作が行われると、スマートフォン２は、その画像の再生停止を指示するコマンドをテレビ１に送信する。同時に、スマートフォン２は、その画像が傾きながら上方から画面内にフレームインするようなアニメーションを表示する（５５−ｈ）。このコマンドを受けたテレビ１（５５―ｇ）は、画像の再生を停止して再生対象を放送コンテンツに切り換える。この切り換えが完了すると、テレビ１は、再生対象が放送コンテンツに切り換えられたことをスマートフォン２に通知する（５５−ｉ）。この通知をうけたスマートフォン２は、リモコントップ画面を表示する（５５−ｊ）。
【０４５３】
（スマートフォンからの状態通知）
次に、スマートフォン２からの状態通知の利用について、図５６〜図５７を参照して説明する。
【０４５４】
図５６は、スマートフォン２からの着信通知を利用して、テレビ１のボリュームレベルを制御する方法を示す図である。
【０４５５】
スマートフォン２は、音声通話を着信すると、着信があった旨をテレビ１に通知する（５６−ｂ）。この通知を受けたテレビ１は、音声通話を着信したことを示すメッセージをディスプレイに表示し（５６−ｆ）、ボリュームレベルを低下させる（５６−ｇ）。これにより、テレビ１から出力される音声によって、スマートフォン２での通話が阻害され難くなる。スマートフォン２は、音声通話を終了すると、音声通話を終了した旨をテレビ１に通知する。この通知を受けたテレビ１は、ボリュームレベルを元のレベルにまで上げる。
【０４５６】
図５７は、スマートフォン２にて受信した電子メールをテレビ１に表示する方法を示す図である。
【０４５７】
スマートフォン２は、電子メールを受信すると、電子メールを受信した旨を示すメッセージを表示すると共に、電子メールを受信した旨をテレビ１に通知する（５７−ｂ）。この通知を受けたテレビ１は、電子メールを受信した旨を示すメッセージをディスプレイに表示する（５７−ｆ）。このメッセージには、電子メールの内容をテレビ１に表示させるオプションが示されている。このオプションをユーザが選択すると、テレビ１は、このオプションが選択されたことをスマートフォン２に通知する（５７−ｆ）。この通知を受けたスマートフォン２は、電子メールの本文をテレビ１に表示することを示すメッセージを表示すると共に、電子メールの本文をテレビ１に送信する（５７−ｃ）。テレビ１は、受信した電子メールの本文を表示する（５７−ｇ）。また、テレビ１は、電子メールの表示を終了すると、電子メールの表示を終了した旨をスマートフォン２に通知する（５７−ｇ）。この通知を受けたスマートフォン２は、電子メールの本文をテレビ１に表示することを示すメッセージを消去し、待ち受け状態に戻る。
【０４５８】
なお、ここでは、テレビ１から電子メールの表示を終了した旨の通知を受けてスマートフォン２を待ち受け状態に戻す構成（図５７において点線で囲んで示した構成）を示したが、電子メールの本文をテレビ１に送信し終えたら直ちにスマートフォン２を待ち受け状態に戻す構成を採用してもよい。
【０４５９】
（その他の応用）
なお、テレビ１は、個人識別手段を備え、スマートフォン２のユーザがサービスマンなど予め定められた条件を満たすユーザである場合に限って、特別なＧＵＩを表示するものであってもよい。例えば、スマートフォン２のユーザがサービスマンである場合に限って表示する特別なＧＵＩとしては、自己診断機能実行ボタン、解析画面表示ボタン、あるいは、設定リセットボタンなどを備えたＧＵＩなどが挙げられる。これにより、特殊な機器を使用しなくても、サービスマンが故障の修理などを簡単に行えるようになる。なお、サービスマンのみが利用可能な特別なＧＵＩを表示する構成に代えて、製造者のみが利用可能な特別なＧＵＩ（製造時にのみ必要な機能に対応するボタンなどを有する）を表示する構成を採用してもよい。
【０４６０】
また、テレビ１は、外部からネットワークを介して外部情報を取得する手段を備え、計画停電情報など特定の外部情報を取得したときに限って、特別なＧＵＩを表示するものであってもよい。例えば、計画停電情報を取得した場合に限って表示する特別なＧＵＩとしては、テレビ１を商用電源による駆動からバッテリーによる駆動に切り換えるためのボタンを含むＧＵＩなどが挙げられる。このような構成は、テレビ１以外の操作対象への適用も有効である。例えば、ソーラー発電システムを操作する場合には、自立運転モードに切り換えるためのボタンを含むＧＵＩを表示することなどが考えられる。また、エアコンを操作する場合には、電力会社から提供される電力使用量の情報に基づいて、設定可能な目標温度に制限を設けることなどが考えられる。
【０４６１】
なお、本明細書において、テレビジョン受像機とは、放送された画像を受信する装置のことを指し、その画像を表示する機能を有する装置と、その画像を表示する機能を有さない装置との双方を含む。例えば、チューナとモニタとにより構成されるシステムにおいては、チューナ、モニタ、及びシステムの何れもがテレビジョン受像機に該当する。チューナは、放送された画像を受信する機能を有し、モニタは、放送された画像を、チューナを介して受信する機能、及び、その画像を表示する機能の双方を有し、システムは、放送された画像を受信する機能、及び、その画像を表示する機能の双方を有するからである。ここで、「放送」は、地上デジタル放送などの無線放送に限定されず、ケーブルテレビやＩＰＴＶ（Internet Protocol Television）などの有線放送も含む。
【産業上の利用可能性】
【０４６２】
本発明は、テレビジョン受信機を操作するスマートフォン等の情報端末、及び、スマートフォン等の情報端末により操作されるテレビに適用することができる。なお、本発明の適用範囲は、スマートフォンに限定されず、タブレット型ＰＣや電子ブックリーダなど、タッチパネルを有する任意の情報端末を含む。
【符号の説明】
【０４６３】
１        テレビ
１０１        チューナ
１０２        ビデオデコーダ
１０３        映像処理部
１０４        ＬＣＤコントローラ
１０５        ＬＣＤ
１０６        オーディオデコーダ
１０７        音声処理部
１０８        アンプ
１０９        スピーカ
１１０        ＨＤＭＩレシーバ
１１１        電源部
１１２        ＬＡＮインタフェース
１２０        制御部
１２１        状態制御部
１２２        状態通知部
２        スマートフォン（情報端末）
２０１        タッチパネル
２０２        タッチパネルコントローラ
２０３        スピーカ
２０４        アンプ
２０５        無線ＬＡＮインタフェース
２０６        無線ＬＡＮアンテナ
２０７        マイク
２０８        ＡＤＣ
２０９        ３Ｇインタフェース
２１０        ３Ｇアンテナ
２２０        制御部
２２１        ＧＵＩ表示部
２２２        コマンド送信部
【図１】
0005209808.tif 000002
【図２】
0005209808.tif 000003
【図３】
0005209808.tif 000004
【図４】
0005209808.tif 000005
【図４６】
0005209808.tif 000006
【図４８】
0005209808.tif 000007
【図５９】
0005209808.tif 000008
【図６０】
0005209808.tif 000009
【図６１】
0005209808.tif 000010
【図６６】
0005209808.tif 000011
【図６７】
0005209808.tif 000012
【図６８】
0005209808.tif 000013
【図６９】
0005209808.tif 000014
【図７０】
0005209808.tif 000015
【図７１】
0005209808.tif 000016
【図７２】
0005209808.tif 000017
【図７３】
0005209808.tif 000018
【図８４】
0005209808.tif 000019
【図８５】
0005209808.tif 000020
【図８６】
0005209808.tif 000021
【図８７】
0005209808.tif 000022
【図５】
0005209808.tif 000023
【図６】
0005209808.tif 000024
【図７】
0005209808.tif 000025
【図８】
0005209808.tif 000026
【図９】
0005209808.tif 000027
【図１０】
0005209808.tif 000028
【図１１】
0005209808.tif 000029
【図１２】
0005209808.tif 000030
【図１３】
0005209808.tif 000031
【図１４】
0005209808.tif 000032
【図１５】
0005209808.tif 000033
【図１６】
0005209808.tif 000034
【図１７】
0005209808.tif 000035
【図１８】
0005209808.tif 000036
【図１９】
0005209808.tif 000037
【図２０】
0005209808.tif 000038
【図２１】
0005209808.tif 000039
【図２２】
0005209808.tif 000040
【図２３】
0005209808.tif 000041
【図２４】
0005209808.tif 000042
【図２５】
0005209808.tif 000043
【図２６】
0005209808.tif 000044
【図２７】
0005209808.tif 000045
【図２８】
0005209808.tif 000046
【図２９】
0005209808.tif 000047
【図３０】
0005209808.tif 000048
【図３１】
0005209808.tif 000049
【図３２】
0005209808.tif 000050
【図３３】
0005209808.tif 000051
【図３４】
0005209808.tif 000052
【図３５】
0005209808.tif 000053
【図３６】
0005209808.tif 000054
【図３７】
0005209808.tif 000055
【図３８】
0005209808.tif 000056
【図３９】
0005209808.tif 000057
【図４０】
0005209808.tif 000058
【図４１】
0005209808.tif 000059
【図４２】
0005209808.tif 000060
【図４３】
0005209808.tif 000061
【図４４】
0005209808.tif 000062
【図４５】
0005209808.tif 000063
【図４７】
0005209808.tif 000064
【図４９】
0005209808.tif 000065
【図５０】
0005209808.tif 000066
【図５１】
0005209808.tif 000067
【図５２】
0005209808.tif 000068
【図５３】
0005209808.tif 000069
【図５４】
0005209808.tif 000070
【図５５】
0005209808.tif 000071
【図５６】
0005209808.tif 000072
【図５７】
0005209808.tif 000073
【図５８】
0005209808.tif 000074
【図６２】
0005209808.tif 000075
【図６３】
0005209808.tif 000076
【図６４】
0005209808.tif 000077
【図６５】
0005209808.tif 000078
【図７４】
0005209808.tif 000079
【図７５】
0005209808.tif 000080
【図７６】
0005209808.tif 000081
【図７７】
0005209808.tif 000082
【図７８】
0005209808.tif 000083
【図７９】
0005209808.tif 000084
【図８０】
0005209808.tif 000085
【図８１】
0005209808.tif 000086
【図８２】
0005209808.tif 000087
【図８３】
0005209808.tif 000088